(57)【要約】  本発明は、伝送要求に応じて、リソースをスケジューリングすること、スケジューリングされたリソースとマッチングする非固定フレーム長のフレーム構造を配置することを含むリソーススケジューリング方法と機器を提供する。本発明に係る方法を採用すれば、競合衝突またはランダムバックオフに伴う無線リソースの浪費がなく、動的に将来の種類が豊富で特徴がそれぞれ異なるデータトラフィック要求によく適応できる。
2014515208.tif 000002
【特許請求の範囲】
【請求項１】
伝送要求に応じて、リソースをスケジューリングすること、
スケジューリングされたリソースとマッチングする非固定フレーム長のフレーム構造を配置することを含むことを特徴とするリソーススケジューリング方法。
【請求項２】
前記フレーム構造に、少なくとも同期を取るためのプリアンブルシーケンスと、フレーム構造を示す情報を担持するためのシステム情報チャンネルとを配置することを特徴とする請求項１に記載の方法。
【請求項３】
アップリンク伝送要求がある場合、前記アップリンク伝送要求に応じてアップリンク伝送リソースをスケジューリングして、前記フレーム構造にアップリンク伝送チャンネルを配置し、
ダウンリンク伝送要求がある場合、前記ダウンリンク伝送要求に応じてダウンリンク伝送リソースをスケジューリングして、前記フレーム構造にダウンリンク伝送チャンネルを配置することを特徴とする請求項２に記載の方法。
【請求項４】
前記アップリンク伝送要求は、アップリンクトラフィックを伝送する要求、アップリンクシグナリングを伝送する要求及びダウンリンクトラフィックに対してフィードバックする要求の中の１つまたは複数を含み、
前記アップリンク伝送要求に応じて配置されるアップリンク伝送チャンネルは、アップリンクトラフィック伝送チャンネル、アップリンクシグナリングチャンネルとダウンリンクトラフィックフィードバックチャンネルの中の１つまたは複数を含むことを特徴とする請求項３に記載の方法。
【請求項５】
前記ダウンリンク伝送要求は、ダウンリンクトラフィックを伝送する要求、ダウンリンクシグナリングを伝送する要求、アップリンクトラフィックに対してフィードバックする要求の中の１つまたは複数を含み、
前記ダウンリンク伝送要求に応じて配置されるダウンリンク伝送チャンネルは、ダウンリンクトラフィック伝送チャンネル、ダウンリンクシグナリングチャンネルとアップリンクトラフィックフィードバックチャンネルの中の１つまたは複数を含むことを特徴とする請求項３に記載の方法。
【請求項６】
前記アップリンク伝送要求がある場合、前記フレーム構造にステーションSTAがセンターアクセスポイントCAPへアップリンク探査信号を送信するためのアップリンク探査チャンネルを配置し、
前記アップリンク伝送要求に応じてアップリンク伝送リソースをスケジューリングする時、前記アップリンク探査チャンネルでアップリンク探査信号を測定して、アップリンクのチャンネル品質情報CQIを算出し、算出されたアップリンクCQIに合わせてアップリンク伝送リソースをスケジューリングすることを特徴とする請求項３に記載の方法。
【請求項７】
アップリンク伝送要求がある場合、前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、アップリンク伝送要求に応じてアップリンク伝送リソースをスケジューリングする時、アップリンクダウンリンク互換性に基づいて、STAよりフィードバックされたダウンリンクCQIによってアップリンクCQIを確定して、前記アップリンクCQIに合わせてアップリンク伝送リソースをスケジューリングすることを特徴とする請求項３に記載の方法。
【請求項８】
アップリンク伝送要求がある場合、前記フレーム構造にSTAがCAPへアップリンク探査信号を送信するための探査チャンネルを配置し、
前記アップリンク伝送要求に応じてアップリンク伝送リソースをスケジューリングする時、前記アップリンク探査チャンネルでアップリンク探査信号を測定して、アップリンクCQIとアップリンクのチャンネル状態情報CSIを算出して、前記アップリンクCQIとアップリンクCSIに合わせてアップリンク伝送リソースをスケジューリングすることを特徴とする請求項３に記載の方法。
【請求項９】
アップリンク伝送要求がある場合、前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルと、STAがCAPへダウンリンク探査信号に基づいて算出されたダウンリンクCSIをフィードバックするためのCSIフィードバックチャンネルとを配置し、
アップリンク伝送要求に応じてアップリンク伝送リソースをスケジューリングする時、アップリンクダウンリンク互換性に基づいて、STAよりフィードバックされたダウンリンクCQIによってアップリンクCQIを確定して、且つSTAよりフィードバックされたダウンリンクCSIによってアップリンクCSIを確定して、アップリンクCQIとアップリンクCSIに合わせてアップリンク伝送リソースをスケジューリングすることを特徴とする請求項３に記載の方法。
【請求項１０】
アップリンク伝送要求がある場合、前記フレーム構造に、ステーションSTAがセンターアクセスポイントCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、
アップリンク伝送要求に応じてアップリンク伝送リソースをスケジューリングする時、前記アップリンク探査チャンネルでアップリンク探査信号を測定して、アップリンクのチャンネル品質情報CSIを算出し、且つアップリンクダウンリンク互換性に基づいてSTAよりフィードバックされたダウンリンクCQIによってアップリンクCQIを確定し、アップリンクCQIとアップリンクCSIに合わせてアップリンク伝送リソースをスケジューリングすることを特徴とする請求項３に記載の方法。
【請求項１１】
アップリンク伝送要求がある場合、前記フレーム構造に、ステーションSTAがセンターアクセスポイントCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCSIをフィードバックするためのCSIフィードバックチャンネルとを配置し、
アップリンク伝送要求に応じてアップリンク伝送リソースをスケジューリングする時、前記アップリンク探査チャンネルでアップリンク探査信号を測定して、アップリンクのチャンネル品質情報CQIを算出し、且つアップリンクダウンリンク互換性に基づいてSTAよりフィードバックされたダウンリンクCSIによってアップリンクCSIを確定し、アップリンクCQIとアップリンクCSIに合わせてアップリンク伝送リソースをスケジューリングすることを特徴とする請求項３に記載の方法。
【請求項１２】
ダウンリンク伝送要求がある場合、前記フレーム構造にSTAがCAPへアップリンク探査信号を送信するためのアップリンク探査チャンネルを配置し、 
ダウンリンク伝送要求に応じてダウンリンクリソースをスケジューリングする時、前記アップリンク探査チャンネルでアップリンク探査信号を測定して、アップリンクCQIを算出し、アップリンクダウンリンク互換性に基づいて、ダウンリンクCQIを確定し、算出されたダウンリンクCQIに合わせてダウンリンク伝送リソースをスケジューリングすることを特徴とする請求項３に記載の方法。
【請求項１３】
ダウンリンク伝送要求がある場合、前記フレーム構造にSTAがCAPへアップリンク探査信号を送信するためのアップリンク探査チャンネルを配置し、
ダウンリンク伝送要求に応じてダウンリンクリソースをスケジューリングする時、前記アップリンク探査チャンネルでアップリンク探査信号を測定して、アップリンクCQIとアップリンクCSIを算出し、アップリンクダウンリンク互換性に基づいて、ダウンリンクCQIとダウンリンクCSIを得て、前記ダウンリンクCQIとダウンリンクCSIに合わせてダウンリンク伝送リソースをスケジューリングすることを特徴とする請求項３に記載の方法。
【請求項１４】
ダウンリンク伝送要求がある場合、前記フレーム構造に、、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、
ダウンリンク伝送要求に応じてダウンリンクリソースをスケジューリングする時、STAよりフィードバックされたダウンリンクCQIによってリソースをスケジューリングすることを特徴とする請求項３に記載の方法。
【請求項１５】
ダウンリンク伝送要求がある場合、前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルと、STAがCAPへダウンリンク探査信号に基づいて算出されたダウンリンクCSIをフィードバックするためのCSIフィードバックチャンネルとを配置し、
ダウンリンク伝送要求に応じてダウンリンクリソースをスケジューリングする時、STAよりフィードバックされたダウンリンクCQIとダウンリンクCSIによってダウンリンク伝送リソースをスケジューリングすることを特徴とする請求項３に記載の方法。
【請求項１６】
ダウンリンク伝送要求がある場合、前記フレーム構造に、CAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、
ダウンリンク伝送要求に応じてダウンリンクリソースをスケジューリングする時、前記アップリンク探査チャンネルでアップリンク探査信号を測定して、アップリンクCSIを算出し、アップリンクダウンリンク互換性に基づいて、ダウンリンクCQIを確定し、前記ダウンリンクCSIとSTAよりフィードバックされたダウンリンクCQIによってダウンリンク伝送リソースをスケジューリングすることを特徴とする請求項３に記載の方法。
【請求項１７】
前記フレーム構造に伝送リソースの配分とスケジューリング、および伝送リソースを占めるチャンネルの伝送フォーマットを示すための制御チャンネルを配置することをさらに含むことを特徴とする請求項３に記載の方法。
【請求項１８】
前記制御チャンネルはスケジューリングシグナリングから構成され、前記記述情報は前記スケジューリングシグナリングに担持されることを特徴とする請求項17に記載の方法。
【請求項１９】
伝送要求に応じてリソースをスケジューリングするためのスケジューリングモジュールと、
スケジューリングされたリソースとマッチングする非固定フレーム長のフレーム構造を配置する配置モジュールとを含むことを特徴とするリソーススケジューリング機器。
【請求項２０】
前記配置モジュールは、前記フレーム構造に少なくとも同期を取るためのプリアンブルシーケンスと、フレーム構造を示す情報を担持するためのシステム情報チャンネルとを配置することを特徴とする請求項１9に記載の機器。
【請求項２１】
前記配置モジュールは、前記アップリンク伝送要求に応じてアップリンク伝送リソースをスケジューリングして、前記フレーム構造にアップリンク伝送チャンネルを配置し、且つ、前記ダウンリンク伝送要求に応じてダウンリンク伝送リソースをスケジューリングして、前記フレーム構造にダウンリンク伝送チャンネルを配置することを特徴とする請求項１9に記載の機器。
【請求項２２】
前記アップリンク伝送要求は、アップリンクトラフィックを伝送する要求、アップリンクシグナリングを伝送する要求及びダウンリンクトラフィックに対してフィードバックする要求の中の１つまたは複数を含み、
前記配置モジュールによって配置されるアップリンク伝送チャンネルは、アップリンクトラフィック伝送チャンネル、アップリンクシグナリングチャンネルとダウンリンクトラフィックフィードバックチャンネルの中の１つまたは複数を含むことを特徴とする請求項21に記載の機器。
【請求項２３】
前記ダウンリンク伝送要求は、ダウンリンクトラフィックを伝送する要求、ダウンリンクシグナリングを伝送する要求、アップリンクトラフィックに対してフィードバックする要求の中の１つまたは複数を含み、
前記配置モジュールによって配置されるダウンリンク伝送チャンネルは、ダウンリンクトラフィック伝送チャンネル、ダウンリンクシグナリングチャンネルとアップリンクトラフィックフィードバックチャンネルの中の１つまたは複数を含むことを特徴とする請求項21に記載の機器。
【請求項２４】
前記配置モジュールは、前記アップリンク伝送要求がある場合、さらに前記フレーム構造にステーションSTAがセンターアクセスポイントCAPへアップリンク探査信号を送信するためのアップリンク探査チャンネルを配置し、
前記スケジューリングモジュールは、前記アップリンク伝送要求に応じてアップリンク伝送リソースをスケジューリングする時、前記アップリンク探査チャンネルでアップリンク探査信号を測定して、アップリンクのチャンネル品質情報CQIを算出し、算出されたアップリンクCQIに合わせてアップリンク伝送リソースをスケジューリングすることを特徴とする請求項21に記載の機器。
【請求項２５】
前記配置モジュールは、アップリンク伝送要求がある場合、さらに前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、
前記スケジューリングモジュールは、アップリンク伝送要求に応じてアップリンク伝送リソースをスケジューリングする時、アップリンクダウンリンク互換性に基づいて、STAよりフィードバックされたダウンリンクCQIによってアップリンクCQIを確定して、前記アップリンクCQIに合わせてアップリンク伝送リソースをスケジューリングすることを特徴とする請求項21に記載の機器。
【請求項２６】
前記配置モジュールは、アップリンク伝送要求がある場合、さらに前記フレーム構造にSTAがCAPへアップリンク探査信号を送信するための探査チャンネルを配置し、
前記スケジューリングモジュールは、前記アップリンク伝送要求に応じてアップリンク伝送リソースをスケジューリングする時、前記アップリンク探査チャンネルでアップリンク探査信号を測定して、アップリンクCQIとアップリンクのチャンネル状態情報CSIを算出して、前記アップリンクCQIとアップリンクCSIに合わせてアップリンク伝送リソースをスケジューリングすることを特徴とする請求項21に記載の機器。
【請求項２７】
前記配置モジュールは、アップリンク伝送要求がある場合、さらに前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルと、STAがCAPへダウンリンク探査信号に基づいて算出されたダウンリンクCSIをフィードバックするためのCSIフィードバックチャンネルとを配置し、
前記スケジューリングモジュールは、アップリンク伝送要求に応じてアップリンク伝送リソースをスケジューリングする時、アップリンクダウンリンク互換性に基づいて、STAよりフィードバックされたダウンリンクCQIによってアップリンクCQIを確定して、且つSTAよりフィードバックされたダウンリンクCSIによってアップリンクCSIを確定して、アップリンクCQIとアップリンクCSIに合わせてアップリンク伝送リソースをスケジューリングすることを特徴とする請求項21に記載の機器。
【請求項２８】
前記配置モジュールは、アップリンク伝送要求がある場合、さらに前記フレーム構造に、ステーションSTAがセンターアクセスポイントCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、
前記スケジューリングモジュールは、アップリンク伝送要求に応じてアップリンク伝送リソースをスケジューリングする時、前記アップリンク探査チャンネルでアップリンク探査信号を測定して、アップリンクのチャンネル品質情報CSIを算出し、且つアップリンクダウンリンク互換性に基づいてSTAよりフィードバックされたダウンリンクCQIによってアップリンクCQIを確定し、アップリンクCQIとアップリンクCSIに合わせてアップリンク伝送リソースをスケジューリングすることを特徴とする請求項21に記載の機器。
【請求項２９】
前記配置モジュールは、アップリンク伝送要求がある場合、さらに前記フレーム構造に、ステーションSTAがセンターアクセスポイントCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCSIをフィードバックするためのCSIフィードバックチャンネルとを配置し、
前記スケジューリングモジュールは、アップリンク伝送要求に応じてアップリンク伝送リソースをスケジューリングする時、前記アップリンク探査チャンネルでアップリンク探査信号を測定して、アップリンクのチャンネル品質情報CQIを算出し、且つアップリンクダウンリンク互換性に基づいてSTAよりフィードバックされたダウンリンクCSIによってアップリンクCSIを確定し、アップリンクCQIとアップリンクCSIに合わせてアップリンク伝送リソースをスケジューリングすることを特徴とする請求項21に記載の機器。
【請求項３０】
前記配置モジュールは、ダウンリンク伝送要求がある場合、さらに前記フレーム構造にSTAがCAPへアップリンク探査信号を送信するためのアップリンク探査チャンネルを配置し、
前記スケジューリングモジュールは、ダウンリンク伝送要求に応じてダウンリンクリソースをスケジューリングする時、前記アップリンク探査チャンネルでアップリンク探査信号を測定して、アップリンクCQIを算出し、アップリンクダウンリンク互換性に基づいて、ダウンリンクCQIを確定し、前記ダウンリンクCQIに合わせてダウンリンク伝送リソースをスケジューリングすることを特徴とする請求項21に記載の機器。
【請求項３１】
前記配置モジュールは、ダウンリンク伝送要求がある場合、さらに前記フレーム構造にSTAがCAPへアップリンク探査信号を送信するためのアップリンク探査チャンネルを配置し、
前記スケジューリングモジュールは、ダウンリンク伝送要求に応じてダウンリンクリソースをスケジューリングする時、前記アップリンク探査チャンネルでアップリンク探査信号を測定して、アップリンクCQIとアップリンクCSIを算出し、アップリンクダウンリンク互換性に基づいて、ダウンリンクCQIとダウンリンクCSIを確定し、前記ダウンリンクCQIとダウンリンクCSIに合わせてダウンリンク伝送リソースをスケジューリングすることを特徴とする請求項21に記載の機器。
【請求項３２】
前記配置モジュールは、ダウンリンク伝送要求がある場合、さらに前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、
前記スケジューリングモジュールは、ダウンリンク伝送要求に応じてダウンリンクリソースをスケジューリングする時、STAよりフィードバックされたダウンリンクCQIに合わせてリソースをスケジューリングすることを特徴とする請求項21に記載の機器。
【請求項３３】
前記配置モジュールは、ダウンリンク伝送要求がある場合、さらに前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルと、STAがCAPへダウンリンク探査信号に基づいて算出されたダウンリンクCSIをフィードバックするためのCSIフィードバックチャンネルとを配置し、
前記スケジューリングモジュールは、ダウンリンク伝送要求に応じてダウンリンクリソースをスケジューリングする時、STAよりフィードバックされたダウンリンクCQIとダウンリンクCSIに合わせてダウンリンク伝送リソースをスケジューリングすることを特徴とする請求項21に記載の機器。
【請求項３４】
前記配置モジュールは、ダウンリンク伝送要求がある場合、さらに前記フレーム構造に、STAがCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、
前記スケジューリングモジュールは、ダウンリンク伝送要求に応じてダウンリンクリソースをスケジューリングする時、前記アップリンク探査チャンネルでアップリンク探査信号を測定して、アップリンクCSIを算出し、アップリンクダウンリンク互換性に基づいて、ダウンリンクCQIを確定し、前記ダウンリンクCSIとSTAよりフィードバックされたダウンリンクCQIによってダウンリンク伝送リソースをスケジューリングすることを特徴とする請求項21に記載の機器。
【請求項３５】
前記配置モジュールは、さらに前記フレーム構造にSTAがアップリンクスケジューリングリクエストを送信するためのアップリンクスケジューリングリクエストチャンネルを配置し、CAPへアップリンク伝送要求を報告するための伝送リソースをリクエストすることを特徴とする請求項21に記載の機器。
【請求項３６】
前記スケジューリングモジュールは、STAのアップリンクスケジューリング要求チャンネルに、STAが非競合的にアップリンクスケジューリングを開始させるための独占的なアップリンク伝送リソースをスケジューリングするか、または、STAが競合的にアップリンクスケジューリングを開始させるための共通のアップリンク伝送リソースをスケジューリングすることを特徴とする請求項35に記載の機器。
【請求項３７】
前記配置モジュールは、さらに前記フレーム構造にSTAがCAPへアクセスし、CAPと相関関係を樹立するためのランダムアクセスチャンネルを配置することを特徴とする請求項21に記載の機器。
【請求項３８】
前記配置モジュールは、さらに前記フレーム構造に伝送リソースの配分とスケジューリング、および伝送リソースを占めるチャンネルの伝送フォーマットを示すための制御チャンネルを配置することを特徴とする請求項21に記載の機器。
【請求項３９】
前記制御チャンネルはスケジューリングシグナリングから構成され、前記記述情報はスケジューリングシグナリングに担持されることを特徴とする請求項38に記載の機器。
【請求項４０】
前記スケジューリングモジュールは、時間分割、周波数分割、コード分割および空間分割の中の１つまたは複数を組み合わせたリソースの配分方式を採用してリソースをスケジューリングすることを特徴とする請求項１９に記載の機器。
【請求項４１】
ユーザートラフィックデータを伝送するユーザーリソースグループで、シグナリング及び/またはフィードバック伝送のリソースを示す指示情報を担持するスケジューリングシグナリングを生成すること、
前記スケジューリングシグナリングを送信することを含むことを特徴とするリソース指示方法。
【請求項４２】
前記スケジューリングシグナリングには、さらにユーザーのリソースグループのスタート位置と長さを示すための情報を担持することを特徴とするる請求項４１に記載の方法。
【請求項４３】
前記スケジューリングシグナリングは、さらに既定のシグナリング及び/またはフィードバック伝送フォーマットに基づいく伝送を示すことを特徴とする請求項４１に記載の方法。
【請求項４４】
ユーザートラフィックデータを伝送するユーザーリソースグループで、シグナリング及び/またはフィードバック伝送のリソースを示す指示情報を担持するスケジューリングシグナリングを受信すること、
前記指示情報に基づいて、ユーザーリソースグループで相応する位置にシグナリング及び/またはフィードバック情報を伝送することを含むことを特徴とするデータ送信方法。
【請求項４５】
既定のシグナリング及び/またはフィードバック伝送フォーマットに基づいて伝送することを特徴とする請求項４４に記載の方法。
【請求項４６】
ユーザートラフィックデータを伝送するユーザーリソースグループで、シグナリング及び/またはフィードバック伝送のリソースを示す指示情報を担持するスケジューリングシグナリングを生成するためのパッケージングモジュールと、前記スケジューリングシグナリングを送信するための送信モジュールとを含むことを特徴とするリソース指示装置。
【請求項４７】
前記スケジューリングシグナリングには、さらにユーザーのリソースグループのスタート位置と長さを示すための情報を担持することを特徴とする請求項４６に記載の装置。
【請求項４８】
前記スケジューリングシグナリングは、さらに既定のシグナリング及び/またはフィードバック伝送フォーマットに基づく伝送を示すことを特徴とする請求項４６に記載の装置。
【請求項４９】
ユーザートラフィックデータ伝送するユーザーリソースグループで、シグナリング及び/またはフィードバック伝送のリソースを示す指示情報を担持するスケジューリングシグナリングを受信するための受信モジュールと、前記指示情報に基づいてユーザーリソースグループで相応する位置にシグナリング及び/またはフィードバック情報を伝送する送信モジュールとを含むことを特徴とするデータ送信装置。
【請求項５０】
前記送信モジュールは、既定のシグナリング及び/またはフィードバック伝送フォーマットに基づいて伝送することを特徴とする請求項４９に記載の装置。
【請求項５１】
シグナリング及び/またはフィードバック伝送のリソースを示すための情報を担持する第１スケジューリングシグナリングを生成すること、
前記第１スケジューリングシグナリングを送信することを含むことを特徴とするリソース指示方法。
【請求項５２】
前記シグナリング及び/またはフィードバック伝送のリソースを示す情報には、スタート位置と長さを含むことを特徴とする請求項５１に記載の方法。
【請求項５３】
前記シグナリング及び/またはフィードバック伝送のリソースを示す情報には、リソース多重方式を示すためのフォーマットを含むことを特徴とする請求項５１に記載の方法。
【請求項５４】
前記リソース多重方式が、時間分割多重、周波数分割多重、時間周波数分割多重またはコード分割多重であることを特徴とする請求項５３に記載の方法。
【請求項５５】
前記シグナリング及び/またはフィードバック伝送のリソースを示す情報には、スケジューリング周波数スペクトル集成モードで当該第１スケジューリングシグナリングに適用するサブシグナリングまたはサブキャリアを示すことを含むことを特徴とする請求項５１に記載の方法。
【請求項５６】
シグナリング及び/またはフィードバック伝送のリソースを配分する情報を担持し、各ユーザーに配分したシグナリング及び/またはフィードバック伝送のリソースを示す第２スケジューリングシグナリングを生成すること、
前記第２スケジューリングシグナリングを送信することをさらに含むことを特徴とする請求項５１に記載の方法。
【請求項５７】
前記シグナリング及び/またはフィードバック伝送のリソースを配分する情報には、１つまたは複数のユーザー識別STAID、及び対応するSTAが前記シグナリング及び/またはフィードバック伝送のリソースにおけるスタート位置と長さを含むことを特徴とする請求項５６に記載の方法。
【請求項５８】
前記STAIDは唯一に１つのSTAを識別することを特徴とする請求項５７に記載の方法。
【請求項５９】
前記STAIDはブロードキャストID識別であることを特徴とする請求項５７に記載の方法。
【請求項６０】
前記STAが占めるシグナリング及び/またはフィードバックチャンネルの数を示すことで前記STAの長さを示すことを特徴とする請求項５７に記載の方法。
【請求項６１】
シグナリング及び/またはフィードバック伝送のリソースを示す情報を担持する第１スケジューリングシグナリングを生成するための第１パッケージングモジュールと、
前記第１スケジューリングシグナリングを送信するための第１送信モジュールとを含むことを特徴とするリソース指示装置。
【請求項６２】
前記シグナリング及び/またはフィードバック伝送のリソースを示す情報には、スタート位置と長さを含むことを特徴とする請求項６１に記載の装置。
【請求項６３】
前記シグナリング及び/またはフィードバック伝送のリソースを示す情報には、リソース多重方式を示すためのフォーマットを含むことを特徴とする請求項６１に記載の装置。
【請求項６４】
前記リソース多重方式が、時間分割多重、周波数分割多重、時間周波数分割多重またはコード分割多重であることを特徴とする請求項６３に記載の装置。
【請求項６５】
前記シグナリング及び/またはフィードバック伝送のリソースを示す情報には、スケジューリング周波数スペクトル集成モードで当該第１スケジューリングシグナリングに適用するサブシグナリングまたはサブキャリアを示すことを含むことを特徴とする請求項６１に記載の装置。
【請求項６６】
シグナリング及び/またはフィードバック伝送のリソースを配分する情報を担持し、各ユーザーに配分したシグナリング及び/またはフィードバック伝送のリソースを示す第２スケジューリングシグナリングを生成するための第２パッケージングモジュールと、第２スケジューリングシグナリングを送信するための第２送信モジュールとを含むことを特徴とする請求項６１に記載の装置。
【請求項６７】
前記シグナリング及び/またはフィードバック伝送のリソースを配分する情報には、１つまたは複数のユーザー識別STAID、及び対応するSTAが前記シグナリング及び/またはフィードバック伝送のリソースにおけるスタート位置と長さを含むことを特徴とする請求項６６に記載の装置。
【請求項６８】
前記STAIDは唯一に１つのSTAを識別することを特徴とする請求項６７に記載の装置。
【請求項６９】
前記STAIDはブロードキャストID識別であることを特徴とする請求項６７に記載の装置。
【請求項７０】
前記STAが占めるシグナリング及び/またはフィードバックチャンネルの数を示すことで前記STAの長さを示すことを特徴とする請求項６７に記載の装置。
【発明の詳細な説明】
【技術分野】
【０００１】
本発明は無線通信分野に属し、特にリソースをスケジューリングするための方法と機器に関するものである。
【背景技術】
【０００２】
近年、中短距離通信に適用される無線通信システムは、８０２．１１規格に準拠する無線ＬAＮ技術WｉFｉ、８０２．１５規格に準拠するブルートゥース(Bluetooth)システム及び移動通信システムに由来する室内アプリケーション向けのFeｍto技術等がある。
【０００３】
８０２．１１規格に準拠するWｉFｉ技術は、現在、一番広く使用されている無線ネットワーク伝送技術である。主に無線ＬAＮ環境に適用され、アプリケーションシーンは多くは室内であり、室外環境に適用されてもよい。８０２．１１システムは、最初CDMA伝送メカニズムに基づく８０２．１１bから、OFDM技術に基づく８０２．１１ａ及び８０２．１１gに発展されていた。最新の８０２．１１ｎバージョンには、８０２．１１ｎ物理層のピークレートが６００MbPSに達するようにマルチアンテナ（MIMO）技術を導入した。MAC層において、８０２．１１システムにはランダム多重アドレスに合わせてするキャリア検知多重アクセス／衝突回避(CSMA／CA、Carrier Sense  Multiple Access  with Collision Avoidance)プロトコルが採択されてきた。該プロトコルは、「競合」メカニズムを用い、アクセスポイントCAPと各端末やSTAは、競合によってオープンされているエアインターフェース利用権を取得する。競合が成功すると、その伝送周期内にエアインターフェースが競合成功CAPに独占される。競合メカニズムを利用するため、アクセスネットワークは集中的にノードを制御する必要がない。CAPでもSTAでも、エアインターフェースリソースを競合する面でいずれも平等である。WｉFｉシステムは効率が低く、無線リソースを大きく浪費する。この問題を招来する根本的な原因は、CSMA／CAメカニズムが競合に基づくランダム多重アクセスメカニズムであり、アクセスポイント(CAP、Access Point)とステーション(STA、station)の間、又は異なるSTA同士の間は、CSMA／CAメカニズムにより無線リソースの使用権を競合するとともに、無線チャンネルを競合する。この場合、衝突が発生し、無線リソースの浪費を招く。衝突を回避するために、CSMA／CAメカニズムにおいては、CAP又はSTAが無線チャンネルを競合する時に、ランダムに退避することが要求されており、全部CAP及びSTAがいずれも退避した場合、無線チャンネルは空いてるが、使用されていない。これも無線チャンネルに対する巨大な浪費である。上記原因により、８０２．１１システムは効率が低い。例えば、８０２．１１gシステムでは物理層のピークレートは５４MbPsに達することができるが、TCP層の大容量パケットダウンロードトラフィック（例えば、FTP  Download）下での到達可能なレートが３０MbPs以下である（小容量パケットダウンロードトラフィック下で、オーバーヘッドの比率が増加したため、到達可能なレートがもっと低くなる）。上記欠陥が存在するが、８０２．１１システムは柔軟性があり、集中制御メカニズムによらないので、装置の低コストを図ることができる。
【０００４】
３GPP規格に準拠するFeｍto技術は、移動通信システムから発展されてきた室内向けの新規技術である。３Gシステムのデータ統計によれば、約７０％のデータトラフィックは室内で行われているので、室内ハイレートデータアクセス方案は特に重要である。Feｍto基地局は、超小型基地局と称され、体積が小さくて(Wｉ−Fｉと近似)、設置の融通性がよい。移動通信システムから発展されてきたので、Feｍto基地局は移動通信システムの全ての特徴をほとんど継続している。Feｍto装置は、単に制限されたカバー範囲や少ないアクセス使用者などのアプリケーションシーン特徴に合わせて、装置処理能力を低減させ、さらに装置コストを低減させた。デュプレックスモードから考慮すると、移動通信システムと同様に、Feｍto基地局はFDDとTDDという２種類のデュプレックスモードに分けられる。FDDでは、アップリンクダウンリンクキャリアリソースが対称するが、データトラフィックにおけるアップリンクダウンリンクデータ通信量の非対称トラフィック特徴により、FDDシステムがデータトラフィックする時ある程度のリソース浪費がある。TDDシステムではアップリンクダウンリンクが同一キャリアで作業し、時間リソースを分けることにより、アップリンクダウンリンクに異なる無線リソースを配分するので、FDDに比べてアップリンクダウンリンクトラフィックに必要な非対称のデータトラフィックによく適用できる。しかしながら、移動通信システム(Feｍtoシステムを含む)のTDDデュプレックスモードにおいて、アップリンクダウンリンクリソースが静的に配分され、異なる要求の各種類のデータトラフィック、例えば、ウェブページ閲覧、移動ビデオ、移動ゲーム、machine-to-machine (M2M)等に対して、トラフィック要求とリソース配分の動的アダプテーションを実現し難い。Ｗｉ−Ｆｉと比較すると、Feｍtoがスケジューリングに基づく集中制御メカニズムを採用し、基地局又はCAPと端末、あるいは端末同士の間には、競合衝突及びランダムバックオフによる無線リソースの浪費がないため、リンク効率は高い。Feｍto技術において、その多重アクセスメカニズムは、時間、周波数、コードワードによって、異なるSTAに互いに直交するアクセスリソースを配分する。これは、競合に向けるCSMA/CAのランダム多重アクセスと比べて本質的に異なる。Feｍto技術は、集中的にノードを制御してSTAに互いに直交するアクセスリソースを配分する必要があり、異なるSTAは時間、周波数、コードワード及び空間多重エアインターフェースリソースによって、同時に伝送することができる。物理層技術において、３Gシステムに基づくFeｍto技術はCDMA伝送メカニズムを採用し、LTE又はWiMAXシステムのFeｍto技術に対してOFDMA伝送メカニズムを採用している。OFDMA技術は将来の広帯域無線通信システムの主流技術であるため、本発明で言及されているFeｍto技術はLTE又はWiMAX  Feｍtoを指す。TDD技術は、FDD技術に比べてモバイルインタネットのアップリンクダウンリンク非対称トラフィックにもっとよく適用できるため、本発明で言及されているFeｍtoは主にTDD  Feｍto技術を指す。
【０００５】
Feｍtoシステムもスケジューリングによってアップリンクダウンリンクに通信して、異なる端末に無線リソースを配分するが、静的に設定されたフレーム構造ではアップリンクダウンリンクに無線リソースを柔軟に配分することが不可能で、小さい粒度でトラフィックの変化に自己適応できない。トラフィックとリソースの配置のバランスが崩された場合、長時間行列を起こすか、ユーザーの体験が低下するか、またはチャンネル容量の浪費を招く。
【０００６】
将来の各種類の広帯域、狭帯域データトラフィックに向けて、中短距離無線通信シーンを考慮すると、８O２．１１技術に基づくWｉFｉシステムも、移動通信システムに由来するFeｍto技術もある程度の短所がある。
【０００７】
（１）Wi-Fi技術の短所
８０２.１１n技術はMIMO-OFDM技術によってその物理層のピークレートを６００MbpSに到達させるとができるが、MAC層が採用するCSMA/CAに基づくランダム多重アクセスメカニズムによって、そのTCPスループットが大いに削減される。CSMA/CAは、競合向けの多重アクセスメカニズムであり、システムには競合衝突が不可避的に存在する。２つまたは複数の端末、または端末とCAPの間にエアインターフェースを同時に競合した場合、両方とも競合に成功できない。これが競合衝突である。明らかに、競合衝突はエアインターフェースリソースの浪費に違いない。競合衝突が生じた場合、再び衝突するのを避けるために、競合者はいずれもランダムバックオフを生じさせる。退避過程で、複数の競合ノードがいずれも待ち状態にあるケースが存在する。この時、伝送待ちトラフィックがあるが、エアインターフェースリソースが合理的に使用されていないため、多くのエアインターフェースリソースの浪費を起こす。競合衝突とランダムバックオフは８０２.１１のシステム効率の低下を引き起こす要因である。端末数の増加につれて、衝突確率指数が大きくなり、システム性能がより悪化することはもっとも重要なものである。
【０００８】
（２）TDD LTE Femto技術の短所
【０００９】
TDD LTE Femtoシステムのアップリンクダウンリンク無線リソースはフレーム構造フォーマットによって静的に配置されるが、スケジューリング周期１mSは最小の配置単位とする。種類が多い各タイプのデータトラフィックに対し、そのアップリンクダウンリンクトラフィックの非対称の特性が異なって、このような静的配置のフレームフォーマットはデータトラフィック要求に自己適応することができない。トラフィックの特徴に変更が生じた時、初期配置のアップリンクダウンリンクリソースに冗長や不足が存在し、無線リソースの浪費を招くとともに、トラフィック遅延も増える。スケジューリングによってアップリンクダウンリンクに通信して、異なる端末に無線リソースも配分するが、その静的配置のフレーム構造では、アップリンクダウンリンクに無線リソースを柔軟に配分することが不可能で、小さい粒度でトラフィックの変化に自己適応できない。トラフィックとリソースの配置のバランスが崩された場合、長時間行列を起こすか、ユーザーの体験が低下するか、またはチャンネル容量の浪費を招く。
【発明の概要】
【発明が解決しようとする課題】
【００１０】
上記のことを鑑みて、本発明が解決しようとする技術的課題は、フレームフォーマットとフレーム長の制約を受けることなく、伝送要求に基づいて動的にリソースを配分できるとともに、将来の種類が豊富で特徴がそれぞれ異なるデータトラフィック要求にも動的に適応でき、よい拡張性を備えるリソースをスケジューリングするための方法と機器を提供することである。
【００１１】
本発明で開示される実施例のいくつかの面を基本的に理解するために、以下、簡単な概括を提供している。当該概括部分は一般的に論評するものでもなく、鍵／重要な構成元素を確定する、又はこれらの実施例の保護範囲を描くものでもない。その唯一の目的は、簡単な形式で概念を表して、以下の詳しい説明の基礎とすることにある。
【課題を解決するための手段】
【００１２】
上記の技術的課題を解決するために、本発明は、
伝送要求に応じて、リソースをスケジューリングすること、
スケジューリングされたリソースとマッチングする非固定フレーム長のフレーム構造を配置することを含むリソーススケジューリング方法を提供する。
【００１３】
上記の技術的課題を解決するために、本発明は、また、
伝送要求に応じてリソースをスケジューリングするためのスケジューリングモジュール、
スケジューリングされたリソースとマッチングする非固定フレーム長のフレーム構造を配置する配置モジュールを含むリソーススケジューリング機器を提供する。
【発明の効果】
【００１４】
本発明に係る提案は、下記の機能を実現できる。
【００１５】
１、CAPが集中的に関連STAをスケジューリングして、異なるSTAに無線リソースを配分することで、競合メカニズムによる無線リソースの浪費を避ける。
【００１６】
２、動的TDDフレーム長の配置、柔軟なリソース割合の配置を実現でき、システムの各種の制御情報の効率を高め、トラフィック要求に応じて動的にリソースを配分して、種類が豊富で特徴がそれぞれ異なるデータトラフィックの伝送要求によく動的に適応でき、特定のフレーム長やフレーム周期の制約がなく、フレーム構造も柔軟で可変的である。
【００１７】
３、小さい粒度でユーザーとアップリンクダウンリンク通信に無線リソースを配分し、リソース配分はトラフィックの変化によく自己適応すうことができ、各ユーザーとアップリンクダウンリンク通信に配した無線リソースがトラフィック要求とチャンネル伝送条件によく適応できる。
【００１８】
４、異なる端末における大きいトラフィックレート要求の変化に適応できるだけではなく、無線チャンネルの動的変化にもよく適応できる。本発明はさまざまなデータトラフィック要求の動的変化に適応することができ、チャンネル容量とトラフィック要求とを動的にマッチングさせ、優れたシステム効率が得られる。トラフィック要求とチャンネル特徴の間の均衡を保たせ、動的にアップリンクダウンリンクリンクリソースを区分して、リンク自己適応を考慮する条件下で、異なる端末に動的に無線リソースを配分するすることができる。
【００１９】
５、上記の特徴以外、本発明は、チャンネル状態情報遅延、等級が異なる機器の処理時間に対する要求なども考慮している。上記の考慮はいずれもシステム効率と性能を高める。
【００２０】
６、本フレームのフィードバックを実現でき、MU-MIMOフィードバックの遅延を減少させる。
【００２１】
７、本フレームのスケジューリングを実現でき、トラフィックのスケジューリング遅延を減少させる。
【００２２】
８、フレーム構造は柔軟で可変的であり、各種のデータトラフィックアップリンクダウンリンク伝送要求に動的に自己適応でき、特定のフレーム長やフレーム周期の制約がな。また、本システムはアップリンクダウンリンクスケジューリング伝送周期をアップリンクダウンリンクトラフィック要求の変化に自己適応させ、トラフィック要求とアップリンクダウンリンクチャンネル容量を互いにマッチングさせることができ、高いリソース利用率が得られた。
【００２３】
９、スケジューリング周期は、無線チャンネル時間の選択的に減衰する変化に自己適応することができ、不要な頻繁なスケジューリングによる制御オーバーヘッドを免れる。本システムはフレーム長を動的に調整させ、無線チャンネル時間の選択的減衰に自己適応し、システムのスケジューリング周期と無線チャンネルを互いにマッチングさせることができ、さらに頻繁なスケジューリングによる制御オーバーヘッドを削減して、スループットと無線リソース利用率が高い。
【図面の簡単な説明】
【００２４】
【図１】本発明に係るリソーススケジューリング方法のフロー模式図である。
【図２】本発明に係る実施例の１つのフレーム構造の模式図である。
【図３】本発明に係る実施例のもう１つのフレーム構造の模式図である。
【図４】本発明に係る実施例のまたもう１つのフレーム構造の模式図である。
【図５】本発明に係る応用例１のダウンリングスケジューリング方法のフロー図である。
【図６】本発明に係る応用例１のダウンリングスケジューリング過程の模式図である。
【図７】本発明に係る応用例２のダウンリングスケジューリング方法のフロー図である。
【図８】本発明に係る応用例２のダウンリングスケジューリング過程の模式図である。
【図９】本発明に係る応用例３のアップリングスケジューリング方法のフロー図である。
【図１０】本発明に係る応用例３のアップリングスケジューリング過程の模式図である。
【図１１】本発明に係る応用例４のアップリングスケジューリング方法のフロー図である。
【図１２】本発明に係る応用例４のアップリングスケジューリング過程の模式図である。
【図１３】本発明に係る応用例５のアップダウンリングスケジューリング伝送過程の模式図である。
【図１４】本発明に係る実施例２のリソーススケジューリング機器の装置ブロック図である。
【図１５】本発明に係る実施例３における無線通信システムの構造模式図である。
【図１６】本発明に係る実施例３におけるネットワーク機器の構造模式図である。
【図１７】本発明に係る実施例３における端末機器の構造模式図である。
【図１８】本発明に係る応用例６における物理フレームの構造模式図である。
【図１９】本発明に係る応用例７における物理フレームの構造模式図である。
【図２０Ａ】本発明に係る応用例８における第１の物理フレームの第１構造模式図である。
【図２０Ｂ】本発明に係る応用例８における物理第２のフレームの構造模式図である。
【図２１】本発明に係る応用例８における第１の物理フレームの第２構造模式図である。
【図２２】本発明に係る応用例９における第２の物理フレームの構造模式図である。
【図２３】本発明に係る応用例１０における物理フレームの構造模式図である。
【図２４】本発明に係る応用例１１における物理フレームの構造模式図である。
【図２５】本発明に係る応用例１２における物理フレームの構造模式図である。
【図２６】本発明に係る応用例１３における物理フレームの構造模式図である。
【図２７】本発明に係る応用例１４における物理フレームの構造模式図である。
【図２８】本発明に係る応用例１４におけるCAPによって予めリザーブしたアップリンクガードインターバルを送信することを示す模式図である。
【図２９】本発明に係る応用例１５における物理フレームの構造模式図である。
【図３０】本発明に係る応用例１５におけるアップリンク伝送チャンネル、アップリンクスケジューリングリクエストチャンネル及びアップリンクランダムアクセスチャンネルの多重リソースの模式図である。
【図３１】は、本発明に係る応用例１５における本発明に係る応用例１５における制御チャンネル及びシステム情報チャンネル多重リソースの模式図である。
【図３２】ダウンリンクシグナリング/フィードバック伝送チャンネル多重DL-TCHリソースの模式図である。
【図３３】第１のアップリンクシグナリング/フィードバックチャンネルの構造模式図である。
【図３４】第２のアップリンクシグナリング/フィードバックチャンネルの構造模式図である。
【図３５】アップリンクスケジューリングリクエストチャンネルの生成方法の模式図である。
【図３６】PNシーケンスの最大長線性フィードバックシフトレジスタのシーケンスである。
【図３７】第１のアップリンクランダムアクセスチャンネルのフォーマットである。
【図３８】第２のアップリンクランダムアクセスチャンネルのフォーマットである。
【図３９】第３のアップリンクランダムアクセスチャンネルのフォーマットである。
【発明を実施するための形態】
【００２５】
上記及び関連の目的のために、１つ又は複数の実施例は、後で詳しく説明し且つ特許請求の範囲で特に指摘されら特徴を含む。以下の説明、及び図面は一部の示例的な面を詳しく説明し、且つそれにより示されるものは各実施例の原則的に利用可能な各種方式における一部の方式のみである。その他の利点及び新規性特徴は、下記において詳しく説明するにつれて、図面を結合して考慮すると明らかになり、開示された実施例は、これらの面及びそれらの等価の全てを含む。
【００２６】
当業者が本発明の具体的な実施の形態を実施できるように、以下の記述及び図面はそれらを十分に示している。その他の実施の形態は構成、論理、電気、過程及びその他の変更を含むことができる。実施例は可能な変更のみを代表している。明確な要求がない限り、単独な部品及び機能は選択でき、且つ操作の順は変更できる。一部の実施の形態の部分及び特徴はその他の実施の形態の部分及び特徴に含まれる、又は交替される。本発明の実施の形態の範囲は、特許請求の範囲の全部範囲、及び特許請求の範囲の全ての取得できる等価物を含む。本文において、本発明のこれらの実施の形態は、単独的又は総括的に『発明』という用語により表されが、これは、便利にするために過ぎない。そして、事実上、１つ以上の発明が公開されても、当該応用の範囲が任意の単独な発明又は発明構想に自動的に規制するものではない。
【００２７】
上記のアプリケーションシーンを考慮して、本発明はリソーススケジューリング方法を提案し、図１に示すように、発明を実施するための形態は、
伝送要求に応じて、リソースをスケジューリングするステップS１０１と、
スケジューリングされたリソースとマッチングする非固定フレーム長のフレーム構造を配置するステップS１０２とを含む。
【００２８】
本発明の方法を採用すれば、競合衝突またはランダムバックオフに伴う無線リソースの浪費がない。従来の移動通信システム（LTE、WiMaxなどの次世代移動通信システム）とは異なり、当該システムはトラフィック要求に応じて、アップリンクダウンリンクの無線リソースを動的に配分し、将来の種類が豊富で特徴がそれぞれ異なるデータトラフィック要求によく適応できる。
【００２９】
上記の方法によって、我々は伝送する通信フレームを得られる。
【００３０】
本発明に係る伝送する通信フレームは、TDD二重方式（ある特定のキャリア、基地局又はCAPと端末またはSTAは、送受信スイッチング時間分割によって受送信を完成する）を基礎とし、データ伝送方向によって、TDDフレーム（Frame）はダウンリンク（DL、Downlink、基地局から端末へ、又はCAPからSTAへ）伝送とアップリンク（UL、Uplink、端末から基地局へ、またはSTAからCAPへ）伝送に分けられる。フレーム長も、フレーム構造も動的に配置できる。つまり、本発明において、伝送の要求に応じてリソースをスケジューリングし、フレームフォーマットはスケジューリングされたリソースによって決められ、リソースのスケジューリングプロセスはフレーム長とフレームフォーマットの制限を受けることなく、リソースをもっと合理的に配分する。
【００３１】
以下に、いかに伝送の要求に応じてリソースをスケジューリングすることによりフレーム構造を配置するかについて詳しく説明する。
【００３２】
「実施例１」
【００３３】
本発明に係るフレーム構造には、アップリンクサブフレーム及び/またはダウンリンクサブフレームを含み、ダウンリンクサブフレームとアップリンクサブフレームは機能によって異なるチャンネルを分ける。ダウンリンクサブフレームとアップリンクサブフレームの間にガードインターバルGIがあり、ダウンリンクからアップリンクまでの受送信ガードインターバルがダウンリンクガードインターバルDGIと称され、アップリンクからダウンリンクまでの受送信ガードインターバルがアップリンクガードインターバルUGIと称される。
【００３４】
本発明に係るフレーム構造に、少なくともプリアンブルシーケンスとシステム情報チャンネルを配置する。そのうち、前記プリアンブルシーケンスは、フレーム構造のスタート位置に配置し、同期を取るために用いられる。プリアンブルシーケンスはショートプリアンブルシーケンスとロングプリアンブルシーケンスに分けられる。その中、ショートプリアンブルシーケンスは主にシステムの粗同期に用いられ、フレームの検出、AGC、粗周波数の同期または粗シンボルの同期にも用いられる。ロングプリアンブルシーケンスは主にシステムの精同期、及びチャンネルの推定に用いられ、精周波数の同期、精シンボルの同期などにも用いられる。
【００３５】
前記システム情報チャンネルは、フレーム構造を示す情報を担持するために用いられる。前記システム情報チャンネルで前記フレーム構造を示す情報の検出することによって、CAPに関連するすべてのSTAはいずれも本フレームの構造を取得できる。前記システム情報チャンネルは前記プリアンブルシーケンスの後ろに位置し、その位置はCAPとSTAによって規定される。また、前記システム情報チャンネルは、ブロードキャストベースのシステム配置、例えばCAP識別、CAPアンテナ配置、フレームマーク、CRCチェック保護情報などに用いられる。。
【００３６】
伝送要求がある場合、伝送要求に応じて相応する伝送リソースをスケジューリングし、スケジューリングされた伝送リソースとマッチングするフレーム構造を配置する。本発明に係る伝送要求はスケジューリング情報に担持され、CAPがスケジューリング情報を取得し解析して、伝送要求を得ることで、リソースのスケジューリングを完成する。
【００３７】
なお、前記アップリンクの伝送要求はCAPがSTAから取得されたものである。具体的には、CAPは次のような３つの方式によってアップリンクの伝送要求を取得することができる。
【００３８】
第１方式、リクエスト-応答方式によってアップリンクの伝送要求を取得する。具体的には、STAはスケジューリングリクエストを送信し、CAPは前記STAにアップリンクの伝送要求をフィードバックするリソースを配分し、前記STAが相応するリソースでアップリンクの伝送要求をフィードバックする。
【００３９】
第１方式を採用すれば、前記フレーム構造に、STAがCAPにアップリンクスケジューリングリクエストを送信するためのアップリンクスケジューリングリクエストチャンネルを配置し、CAPにアップリンク伝送要求を送信するための伝送リソースをリクエストする必要がある。
【００４０】
前記フレーム構造に、アップリンクスケジューリングリクエストチャンネルを配置するとき、STAにSTAが非競合的にアップリンクスケジューリングを開始させるための独占的なアップリンク伝送リソースをスケジューリングすることができる。または、 STAにSTAが競合的にアップリンクスケジューリングを開始させるための共通のアップリンク伝送リソースをスケジューリングすることもできる。つまり、STAがスケジューリングリクエストを送信する時、非競合衝突に基づくアップリンク伝送リクエストメカニズム、または競合に基づくアップリンク伝送リクエストメカニズムを用いることができる。
【００４１】
アップリンクスケジューリングリクエストチャンネルを配置する時、CAPに関連するSTAの数によって、前記アップリンクスケジューリングリクエストチャンネルの継続時間を計算し配置する。例えば、CAPに関連するN個のSTAに、それぞれN個のアップリンクスケジューリングリクエストチャンネルを配分し、各STAが対応するチャンネルで非競合衝突に基づくアップリンク伝送リクエストメカニズムに基づいてアップリンクスケジューリングリクエストを送信することができる。或いは、CAPに関連するN個のSTAに、M個のアップリンクスケジューリングリクエストチャンネルを配分することができる。そのなか、MはNより小さく、前記N個のSTAは前記M個のアップリンクスケジューリングチャンネルと競合し、アップリンクスケジューリングリクエストを送信する。
【００４２】
また、前記アップリンクスケジューリングリクエストチャンネルを設計することもでき、開閉量情報のフィードバックに用いて、快速フィードバックが行える。
【００４３】
第２方式、ポーリングによってアップリンク伝送の要求を取得する。具体的には、CAPは各STAを周期的にポーリングし、STAよりフィードバックされたアップリンクの伝送要求を受信する。
【００４４】
第３方式、携帯報告の方式によってアップリンクの伝送要求を取得する。具体的には、STAはアップリンクトラフィックを伝送する場合、アップリンクの伝送要求をデータフレームの中に担持させ、アップリンクトラフィックとともにCAPに送信する。
【００４５】
その中、前記ダウンリンクの伝送要求はCAPのMAC層または高層から取得する。
【００４６】
前記伝送要求は伝送方向によって、アップリンクの伝送要求とダウンリンクの伝送要求に分けられる。アップリンクの伝送要求がある場合、アップリンクの伝送要求に応じて前記アップリンクリソースをスケジューリングし、スケジューリングされたアップリンクリソースとマッチングするアップリンク伝送チャンネルを配置する。ダウンリンクの伝送要求がある場合、ダウンリンクの伝送要求に応じてダウンリンクリソースをスケジューリングて、スケジューリングされたダウンリンクリソースとマッチングするダウンリンク伝送チャンネルを配置する。
【００４７】
伝送要求は、伝送データのタイプによって、トラフィックを伝送する要求、シグナリングを伝送する要求、およびフィードバックする要求に分けられる。
【００４８】
これに基づいて、前記アップリンクの伝送要求に応じてアップリンク伝送リソースをスケジューリングし、マッチングするアップリンク伝送チャンネルを配置することは、さらに以下を含む。
【００４９】
アップリンクトラフィックの伝送要求がある場合、前記アップリンクトラフィックにアップリンク伝送リソースをスケジューリングして、前記フレーム構造にアップリンクトラフィック伝送チャンネルを配置する。前記アップリンクトラフィックチャンネルの継続時間は、CAPに関連する各STAがアップリンクトラフィックを伝送するのに必要な総伝送リソースによって決定される。
【００５０】
アップリンクシグナリングの伝送要求がある場合、前記アップリンクシグナリングにアップリンク伝送リソースをスケジューリングして、前記フレーム構造にアップリンクシグナリングチャンネルを配置する。前記アップリンクシグナリングチャンネルの継続時間は、CAPに関連する各STAがアップリンクシグナリングを伝送するのに必要な総伝送リソースによって決定される。
【００５１】
ダウンリンクトラフィックに対しフィードバックする要求がある場合、前記ダウンリンクトラフィックにアップンリンク伝送リソースをスケジューリングすることをフィードバックして、ダウンリンクトラフィックフィードバックチャンネルを配置する。前記ダウンリンクトラフィックフィードバックチャンネルの継続時間は、CAPに関連する各STAがダウンリンクトラフィックに対してフィードバックするのに必要な総伝送リソースによって決定される。
【００５２】
その他のアップリンクの伝送要求がある場合、前記アップリンク伝送チャンネルに相応なシグナリングを増やすことができるが、ここではさらに詳述しない。
【００５３】
これに基づいて、前記ダウンリンク伝送要求に応じてダウンリンク伝送リソースをスケジューリングして、とマッチングするダウンリンク伝送チャンネルを配置することは、さらに以下を含む。
【００５４】
ダウンリンクトラフィックの伝送要求がある場合、前記ダウンリンクトラフィックにダウンリンク伝送リソースをスケジューリングして、前記フレーム構造にダウンリンクトラフィック伝送チャンネルを配置する。前記ダウンリンクトラフィック伝送チャンネルの継続時間は、CAPが関連する各STAへダウンリンクトラフィックを伝送するのに必要な総伝送リソースによって決定される。
【００５５】
ダウンリンクシグナリングの伝送要求がある場合、前記ダウンリンクシグナリングにダウンリンク伝送リソースをスケジューリングして、前記フレーム構造にダウンリンクシグナリングチャンネルを配置する。前記ダウンリンクシグナリングチャンネルの継続時間は、CAPが関連する各STAへダウンリンクシグナリングを伝送するのに必要な総伝送リソースによって決定すされる。
【００５６】
アップリンクトラフィックに対しフィードバックする要求がある場合、前記アップリンクトラフィックにダウンリンクリソースをスケジューリングすることをフィードバックして、アップリンクトラフィックフィードバックチャンネルを配置する。前記アップリンクトラフィックチャンネルの継続時間は、CAPが関連する各STAへアップリンクトラフィックをフィードバックするのに必要な総伝送リソースによって決定される。
【００５７】
その他のダウンリンクの伝送要求がある場合、前記ダウンリンク伝送チャンネルに相応なシグナリングを増やすことができるが、ここではさらに詳述しない。
【００５８】
好ましくは、伝送リソースをスケジューリングする時、リソースのスケジューリングが更に合理的になるように、チャンネルの状況を考慮することも必要である。チャンネル品質情報CQIによってリソースを配分するか、または、CQIとチャンネル状態情報CSIによってリソースを配分することができる。その中、CSIは伝送チャンネルのH行列（N×M階層、N個の受信アンテナ、M個の送信アンテナ）、または伝送チャンネルのH行列のSVD分解後のV行列（M×K階層）、または当該V行列の圧縮情報である。CQIは、情報伝送チャンネルのSNR（信号対雑音比）またはSINR（信号対干渉雑音比）、MCS（ダウンリンク伝送に採用可能な変調符号化セット）、NSS（ダウンリンク伝送に採用可能な空間ストリームの数）、PMI（ダウンリンク伝送に採用可能なプリコーディング行列インデックス）などのその他の相関測定スケールの中の１つまたは複数を含む。
【００５９】
STAの能力が、CAPがCQIを取得することをサポートする場合、CAPはCQIも取得して、伝送要求とCQIに基づいてリソースをスケジューリングする。STAの能力が、CAPがCQIとCSIを取得することをサポートする場合、前記CAPはCQIとCSIも取得して、伝送要求、CQI、CSIに基づいて、リソースをスケジューリングする。
【００６０】
その中、前記CQIは周波数帯全体を測定して得られるCQIであってもよく、一部の周波数帯を測定して得られるCQIであってもよい。前記CSIは周波数帯全体を測定して得られるCSIであってもよく、一部の周波数帯を測定して得られるCSIであってもよい。
【００６１】
以下、アップリンクのチャンネル状況とダウンリンクのチャンネル状況のそれぞれから、本発明のリソースのスケジューリングとフレーム構造の配置を説明する。
【００６２】
アップリンク伝送リソースをスケジューリングする時、アップリンクCQIによってリソースをスケジューリングする。アップリンクCQIを取得するために、次のような方法を採用することができる。
【００６３】
方法１において、アップリンク探査チャンネルに基づいて計測する。つまり、アップリンクの伝送リソースをスケジューリングする要求がある場合、例えば、アップリンクトラフィックを伝送する要求、アップリンクシグナリングを伝送する要求またはダウンリンクトラフィックに対しフィードバックする要求がある場合、アップリンクCQIを取得するためにリソースをスケジューリングして、前記フレーム構造に、STAがCAPへアップリンク探査信号を送信するためのアップリンク探査チャンネルを配置する必要もある。CAPがアップリンクの伝送リソースをスケジューリングする時、前記アップリンク探査チャンネルでアップリンク探査信号を測定することで、アップリンクのチャンネル品質情報CQIを算出し、算出されたアップリンクCQIに合わせてリソースをスケジューリングする。
【００６４】
方法２において、TDDシステムのアップリンクダウンリンク互換性を利用し、STAによりダウンリンクCQIを計測、フィードバックし、CAPはシステムの互換性に基づいて、アップリンクCQIを得る。つまり、アップリンク伝送要求がある場合、アップリンクCQIを取得するためにリソースをスケジューリングして、前記フレーム構造に、CAPがSTAへダウンリンク探査信号を送信するためのダウンリンク探査チャンネルと、ダウンリンク探査信号に基づいて算出されたダウンリンクCQIをフィードバックするためのCQIフィードバックチャンネルとを配置する必要もあり、CAPはアップリンク伝送の要求に応じてアップリンク伝送リソースをスケジューリングする時、アップリンクダウンリンク互換性に基づいて、STAによりフィードバックされたダウンリンクCQIによってアップリンクCQIを確定して、前記アップリンクCQIに合わせてアップリンク伝送リソースをスケジューリングする。
【００６５】
アップリンク伝送リソースをスケジューリングする時、アップリンクCQI及びCSIによってリソースをスケジューリングすることもできる。アップリンクCQI及びアップリンクCSIを取得するために、次のような方法を採用することができる。
【００６６】
方法１において、アップリンク探査チャンネルに基づいて計測する。つまり、アップリンクの伝送リソースをスケジューリングする要求がある場合、例えば、アップリンクトラフィックを伝送する要求、アップリンクシグナリングを伝送する要求またはダウンリンクトラフィックに対してフィードバックする要求がある場合、アップリンクCQI及びアップリンクCSIを取得するためにリソースをスケジューリングして、前記フレーム構造に、STAがCAPへアップリンク探査信号を送信するためのアップリンク探査チャンネルを配置する必要もある。アップリンクの伝送リソースをスケジューリングする時、前記アップリンク探査チャンネルでアップリンク探査信号を測定することで、アップリンクのチャンネル品質情報CQII及びCSIを算出し、算出されたアップリンクCQI及びアップリンクCSIに合わせてリソースをスケジューリングする。
【００６７】
方法２において、TDDシステムのアップリンクダウンリンク互換性を利用し、STAがダウンリンクCQI及びダウンリンクCSIを計測、フィードバックし、CAPはシステムの互換性に基づいて、対応するアップリンクCQI及びアップリンクCSIを得る。つまり、アップリンク伝送要求がある場合、アップリンクCQI及びアップリンクCSIを取得するためにリソースをスケジューリングして、前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルと、STAがCAPへダウンリンク探査信号に基づいて算出されたダウンリンクCSIをフィードバックするためのCSIフィードバックチャンネルとを配置し、アップリンク伝送要求に応じてアップリンク伝送リソースをスケジューリングする時、アップダウンリンク互換性に基づいて、STAからフィードバックされたダウンリンクCQIによってアップリンクCQIを確定し、STAよりフィードバックされたダウンリンクCSIによってアップリンクCSIを確定し、アップリンクCQI及びアップリンクCSIに合わせてアップリンク伝送リソースをスケジューリングする。
【００６８】
方法３において、直接測定方法によりCQIを得て、システム互換性を利用してCSIを得るか、または直接測定方法によりCSIを得て、システム互換性を利用してCQIを得る。
【００６９】
つまり、アップリンク伝送要求がある場合、アップリンクCQIとアップリンクCSIを取得するためにリソースをスケジューリングして、前記フレーム構造に、ステーションSTAがセンターアクセスポイントCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとをする必要もあり、アップリンク伝送要求に応じてアップリンク伝送リソースをスケジューリングする時、前記アップリンク探査チャンネルでアップリンク探査信号を測定して、アップリンクのチャンネル品質情報CSIを算出し、且つアップリンクダウンリンク互換性に基づいてSTAによりフィードバックされたダウンリンクCQIによってアップリンクCQI確定して、前記アップリンクCQIとアップリンクCSIに合わせてアアップリンク伝送リソースをスケジューリングする。
【００７０】
或いは、アップリンク伝送要求がある場合、アップリンクCQIとアップリンクCSIを取得するためにリソースをスケジューリングして、前記フレーム構造に、ステーションSTAがセンターアクセスポイントCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCSIをフィードバックするためのCSIフィードバックチャンネルとを配置する必要もあり、CAPはアップリンク伝送の要求に応じてアップリンク伝送リソースをスケジューリングする時、前記アップリンク探査チャンネルてアップリンク探査信号を測定し、アップリンクのチャンネル品質情報CQIを算出し、アップリンクダウンリンク互換性に基づいて、STAによりフィードバックされたダウンリンクCSIによって、アップリンクCQIとアップリンクCSIに合わせてアップリンク伝送リソースをスケジューリングする。
【００７１】
ダウンリンク伝送リソースをスケジューリングする時、ダウンリンクCQIによってリソースをスケジューリングすることができる。ダウンリンクCQIを取得するため、次のような方法を採用することができる。
【００７２】
方法１において、TDDシステムのアップリンクダウンリンク互換性を利用して、CAPよりダウンリンクCQIを計測する。具体的には、ダウンリンクの伝送リソースをスケジューリングする要求がある場合、例えば、ダウンリンクトラフィックを伝送する要求、ダウンリンクシグナリングを伝送する要求、またはアップリンクトラフィックに対してフィードバックする要求がある場合、ダウンリンクCQIを取得するためにリソースのスケジューリングして、前記フレーム構造に、STAがCAPへアップリンク探査信号を送信するためのアップリンク探査チャンネルを配置する必要もある。CAPがダウンリンク伝送リソースをスケジューリングする時、前記アップリンク探査チャンネルでアップリンク探査信号を測定することで、アップリンクCQIを算出し、TDDシステムのアップリンクダウンリンク互換性に基づいて、ダウンリンクCQIを確定し、ダウンリンクCQIに合わせてリソースをスケジューリングする。
【００７３】
方法２において、STAよりダウンリンクCQIを測定し、CAPがCQIを取得するように、フィードバック方法によってCAPへ測定結果を報告する。具体的には、ダウンリンクの伝送リソースをスケジューリングする要求がある場合、例えば、ダウンリンクトラフィックを伝送する要求、ダウンリンクシグナリングを伝送する要求またはアップリンクトラフィックに対してフィードバックする要求がある場合、ダウンリンクCQIを取得するためにリソースのスケジューリングして、前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置する必要もある。ダウンリンク伝送リソースをスケジューリングする時、STAよりフィードバックされたダウンリンクCQIによってリソースをスケジューリングする。
【００７４】
その中、アップリンク探査チャンネルの継続時間は、報告されたアップリンク探査信号STAの総アンテナの数によって決定される。
【００７５】
アップリンク伝送リソースをスケジューリングする時、アップリンクCQI及びCSIによってリソースをスケジューリングする。アップリンクCQI及びCSIを取得するために、次のような方法を採用することができる。
【００７６】
方法１において、TDDシステムのアップリンクダウンリンク互換性を利用して、CAPよりダウンリンクCQI及びCSIを計測する。具体的には、アップリンクの伝送リソースをスケジューリングする要求がある場合、例えば、アップリンクトラフィックを伝送する要求、アップリンクシグナリングを伝送する要求またはアップリンクトラフィックに対しフィードバックする要求がある場合、ダウンリンクCQI及びダウンリンクCSIを取得するためにリソースのスケジューリングして、前記フレーム構造に、STAがCAPへアップリンク探査信号を送信するためのアップリンク探査チャンネルを配置する必要もある。ダウンリンクの伝送リソースをスケジューリングする時、前記アップリンク探査チャンネルでアップリンク探査信号を測定することにより、アップリンクCQI及びアップリンクCSIを算出し、TDDシステムのアップリンクダウンリンク互換性に基づいてダウンリンクCQI及びダウンリンクCSIを確定し、ダウンリンクCQI及びダウンリンクCSIに合わせてリソースをスケジューリングする。
【００７７】
方法２において、STAよりダウンリンクCQI及びダウンリンクCSIを測定し、CAPがダウンリンクCQI及びダウンリンクCSIを取得するように、フィードバックによってCAPへ測定結果を報告する。具体的には、ダウンリンクの伝送リソースをスケジューリングする要求がある場合、例えば、ダウンリンクトラフィックを伝送する要求、ダウンリンクシグナリングを伝送する要求またはアップリンクトラフィックに対してフィードバックする要求がある場合、ダウンリンクCQI及びダウンリンクCSIを取得するためにリソースをスケジューリングして、CAPがSTAへダウンリンク探査信号を送信するためのダウンリンク探査チャンネルと、STAがCAPへダウンリンク探査信号に基づいてに基づいて算出されたダウンリンクCQIをフィードバックするためのCQIフィードバックチャンネルと、STAがCAPへダウンリンク探査信号に基づいて算出されたダウンリンクCSIをフィードバックするためのCSIフィードバックチャンネルとを配置する必要もある。ダウンリンクの伝送リソースをスケジューリングする時、STAによってフィードバックされたダウンリンクCQI及びダウンリンクCSIに基づいてリソースをスケジューリングする。
【００７８】
好ましくは、STAよりフィードバックされたCQIを受信した後、リソースの配分方法に合わせて前記STAに対応するチャンネルの品質を算出することもできる。例えば、リソースの配分方法が時間分割、周波数分割である場合、直接にSTAよりフィードバックされたダウンリンクCQIとCSIを用いてリソースをスケジューリングすることができる。リソースの配分方法が空間分割である場合、各STAよりフィードバックされたCSIによって各STAに対応する空間分割の伝送干渉を算出し、各STAよりフィードバックされたCQIを使う時、対応する空間分割干渉を除去しなければならない。また、その他の調整要素によって各STAよりフィードバックされたCQIを処理して、リソースをスケジューリングするためのCQIを得ることができる。
【００７９】
方法３において、CQIのデータ量が小さく、CSIのデータ量が大きく、STAよるダウンリンクうチャンネルの計測精度が、CAPがTDDシステムアップシングダウンリンク互換性を利用して算出されたチャンネルの精度より高いという特徴を総合的に考慮すると、伝送帯域幅を節約するように、CAPがTDDシステムを利用してアップリンクダウンリンク互換性を利用してダウンリンクCSIを計測し、STAがダウンリンクCQIを測定し、CAPが正確なCQIを取得するようにフィードバック方法によってCAPへ測定結果を報告するという方法を採用する。具体的には、ダウンリンク伝送リソースをスケジューリングする要求がある場合、例えば、ダウンリンクトラフィックを伝送する要求、ダウンリンクシグナリングを伝送する要求、またはアップリンクトラフィックに対してフィードバックする要求がある場合、ダウンリンクCQIとダウンリンクCSIを取得するためにリソースのスケジューリングして、前記フレーム構造に、STAがCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置する必要もある。ダウンリンクの伝送リソースをスケジューリングする時、ダウンリンクトラフィックを伝送する要求、ダウンリンクシグナリングを伝送する要求とアップリンクトラフィックに対してフィードバックする要求の中の１つまたは複数によってリソースをスケジューリングする時、アップリンク探査チャンネルでアップリンク探査信号を測定して、アップリンクCSIを算出し、システムのアップリンクダウンリンク互換性に基づいて、ダウンリンクCSIを確定して、ダウンリンクCSI及びSTAよりフィードバックされたダウンリンクCQIによってリソースをスケジューリングする。
【００８０】
好ましくは、STAよりフィードバックされたCQIを受信した後、リソースの配分方法に合わせて前記STAに対応するチャンネルの品質を算出することもできる。例えば、リソースの配分方法が時間分割、周波数分割である場合、直接にSTAよりフィードバックされたダウンリンクCQIとCSIを用いてリソースをスケジューリングすることができる。リソースの配分方法が空間分割である場合、各STAよりフィードバックされたCSIによって各STAに対応する空間分割の伝送干渉を算出し、各STAよりフィードバックされたCQIを使う時、対応する空間分割干渉を除去しなければならない。また、その他の調整要素によって各STAよりフィードバックされたCQIを処理して、リソースをスケジューリングするためのCQIを得ることができる。
【００８１】
好ましくは、現在のフレームがその他のSTAがCAPへアクセスするのを許可すれば、STAにCAPをアクセスさせるためにリソースをスケジューリングして、前記フレーム構造に、STAがCAPへアクセスしCAPと相関関係を樹立するためのランダムアクセスチャンネルを配置する。前記ランダムアクセスチャンネルの継続時間は、予期の同時にアクセスするSTAの最大数によって決定される。現在フレームがその他のSTAがCAPへアクセスがするのを許可しなければ、現在のフレームにランダムアクセスチャンネルを配置しなくてもよい。
【００８２】
その中、前記ダウンリンク探査チャンネルはダウンリンクチャンネルの両端または中間に位置する。ダウンリンク多入力多出力（MU-MIMO、Multiple-Input Multiple-Out-put、）伝送プランにおいて、ダウンリンクMU-MIMOシステム性能がダウンリンクチャンネルの状態情報の遅延に敏感であるだけではなく、マルチユーザーMIMOが大きな信号処理の複雑さに係る。チャンネル状態情報の遅延、及び異なるアプリケーションシーンで異なる可能性があるハードウエア処理の複雑さを総合的に考慮すると、ダウンリンク探査チャンネルがダウンリンク伝送チャンネルの中間に位置することがより合理的であり、フィードバックする必要があるSTAに必要な最大の処理時間に基づいて、アップリンク伝送前の前記最大処理時間の位置で前記ダウンリンク探査チャンネルをスタートすることができる。ダウンリンク探査チャンネルのダウンリンクチャンネルにおける具体的な位置は、システム情報チャンネルの周期的なブロードキャストメッセージで示される。ダウンリンク探査チャンネル位置が固定であれば、システム情報チャンネルにおいて、ダウンリンク探査チャンネルの有無を示すことができる。システムの中に処理能力が異なるSTAが存在すれば、ダウンリンクチャンネル位置は可変である。上記動的または半静的にダウンリンクチャンネル位置を設置することにより、処理能力が異なるSTAに十分な処理時間を提供することができる。
【００８３】
その中、CAPがトリガされた時、STAをスケジューリングして探査信号を送信するか、または前記CAPが一回スケジューリングした後、ある短時間で前記STAがアップリンク探査チャンネルで周期的に探査信号を送信するという２つの方法を採用して、STAをスケジューリンしてアップリンク探査チャンネルでアップリンク探査信号を送信することができる。
【００８４】
フレーム構造に配置されたチャンネルの作用によって、アップリンクスケジューリングリクエストチャンネル、アップリンクランダムアクセスチャンネル、ダウンリンク探査チャンネル、アップリンク探査チャンネル、CQIフィードバックチャンネル、CSIフィードバックチャンネルを補助チャンネルと称する。
【００８５】
その中、前記CQIフィードバックチャンネル及び/またはCSIフィードバックチャンネルを配置する時、アップリンク伝送チャンネルに前記CQIフィードバックチャンネル及び/またはCSIフィードバックチャンネルを配置することができる。即ち、前記CQIフィードバックチャンネル/またはCSIフィードバックチャンネルをアップリンク伝送チャンネルの一部とすることができる。また、前記CQIフィードバックチャンネル及び/またはCSIフィードバックチャンネルを補助チャンネルとしてアップリンク伝送チャンネルから独立して配置することもできる。
【００８６】
好ましくは、前記フレーム構造に、前記アップリンク伝送チャンネル、ダウンリンク探査チャンネル、アップリンク探査チャンネル、ダウンリンク探査チャンネル、CQIフィードバックチャンネル、CSIフィードバックチャンネル、アップリンクスケジューリングリクエストチャンネル、ランダムアクセスチャンネルの中の一つまたは複数のチャンネルの情報を担持するための制御チャンネルを配置することもできる。これによって、CAPに関連するSTAに、前記フレーム構造における各チャンネルの具体的なリソースの配分状況を知らせる。
【００８７】
その中、前記制御チャンネルはスケジューリングシグナリングから構成され、前記記述情報はスケジューリングシグナリングに担持される。前記スケジューリングシグナリングはスケジューリングするリソースの対象、及び前記対象にスケジューリングする伝送リソースをを示している。前記対象は１つまたは１グループのステーションSTAである。
【００８８】
前記制御チャンネルの継続時間は、CAPが関連する各STAへスケジューリングシグナリングを配達するのに必要な総伝送リソースによって決定される。それぞれのチャンネルシグナリングの長さの和を求めて計算することにより、前記制御チャンネル周期を得ることができる。または、それぞれのシグナリングの長さが固定サイズであれば、シグナリングの固定長とダウンリンクスケジューリングシグナリングの数を相乗して、制御チャンネルの周期を得ることができる。
【００８９】
リソースをスケジューリングする時、例えば最大キャリア対干渉比スケジューリングアルゴリズム、ポーリングスケジューリングアルゴリズム、プロポーショナルフェアスケジューリングアルゴリズムなどのスケジューリングアルゴリズムを採用してもよい。前記スケジューリングされたリソースのタイプは、時間分割、周波数分割、コード分割および空間分割の中の１つまたは複数の組み合わせである。そのため、配置されたフレーム構造における各チャンネルは、時間分割、周波数分割、コード分割および空間分割の中の１つまたは複数の組み合わせを採用してリソースを多重化する。
【００９０】
本発明のフレーム構造の配置方法をより端的に説明するために、図２を参照する。図２は、ダウンリンクサブフレームとアップリンクサブフレームを含むフレーム構造を示している。前記ダウンリンクサブフレームには、プリアンブルシーケンス、システム情報チャンネル、制御チャンネル、ダウンリンク伝送チャンネルとダウンリンク探査チャンネルを含み、前記アップリンクサブフレームには、アップリンク探査チャンネル、アップリンクスケジューリングリクエストチャンネル、アップリンク伝送チャンネル、アップリンクランダムアクセスチャンネルを含み、前記アップリンクサブフレームとダウンリンクサブフレームの間には、ガードインターバルGIが配置されている。各チャンネルの間に、時間分割多重化方式によって伝送リソースを共有する。
【００９１】
図２に示したのは、フレーム構造の例に過ぎない。実際の場合、システムアプリケーションシーンまたは方案の違いによって、動的にフレーム構造に相応なチャンネルを配置する。また、各チャンネル間のリソース多重化方法はスケジューリングされたリソースのタイプによって決定される。例えば、図３に示すように、アップリンク伝送チャンネル（アップリンクトラフィック伝送チャンネル、アップリンクシグナリングチャンネル、ダウンリンクトラフィックフィードバックチャンネルなどを含む）、アップリンクスケジューリングリクエストチャンネルとアップリンクランダムアクセスチャンネルは周波数分割と時間分割の混合多重化方式も採用できる。もう１つの例として、図４に示すように、図３を基に、システム情報チャンネルと制御チャンネルは、周波数分割と時間分割のの混合多重化方式も採用できる。また、同一チャンネルで各STAに配分したリソースの間にも時間分割、周波数分割、コード分割および空間分割の中の１つまたは複数を組み合わせた多重化方方式を採用して、伝送リソースを共有する。その中、図３、４に示すダウンリンク探査チャンネルはダウンリンク探査チャンネルの中間に位置し、ダウンリンク伝送チャンネルをダウンリンク伝送チャンネル１とダウンリンク伝送チャンネル２に分ける。
【００９２】
フレーム構造に、システム情報チャンネルにおいてbit位でフレーム構造、即ち、各チャンネルの有無と周期を示すことができる。図２に示すフレーム構造を例として、フレーム構造指示方式を例に説明する。
【００９３】
システム情報チャンネルにおいて、６bitで最大６３個のOFDMシンボルで、リソースの最小の配分単位が１個のOFDMシンボルである制御チャンネルの継続時間を示す。９bitsで最大５１２個のOFDMシンボル（専用復調パイロットを含む）のダウンリンク伝送チャンネル周期を示す。９bitsで最大５１２個のOFDMシンボル（専用復調パイロットを含む）のアップリンク伝送チャンネル周期を示す。１bitで計１個のOFDMシンボルのガードインターバルDGIを示す。２bitsで、０、１、２、４個のOFDMシンボルをそれぞれ示すアップリンク探査チャンネルの配置を示す。２bitsで１、２、３、４個のOFDMシンボルをそれぞれ示すアップリンクスケジューリングリクエストのチャンネル配置を示す。１bitで有り/無しと２つのケースをそれぞれ示すアップリンクランダムアクセスチャンネル配置を示す。有りの場合、１のOFDMシンボルしかない。１bitで計１個のOFDMシンボルのガードインターバルUGIを示す。
【００９４】
制御チャンネルがダウンリンク伝送チャンネルまたはアップリンク伝送チャンネルリソースの配分する方法は次のような例を挙げる。
【００９５】
制御チャンネルにおいて、Nbitで某STAのダウンリンク探査チャンネルにおけるスタート位置をそれぞれ示し、またNbitで当該STAに当該位置の後でいくつの連続するbitがそれに配分するリソースであるかを示す。例えば、N=９，制御チャンネルがSTAにスタート位置を示し、十進数に変換すると１６になる００００１００００は、当該STAスタート位置が第１６個のOFDMシンボルであることを示す。リソースの長さが十進数に変換すると３２になる０００１０００００であることは、当該シンボルの後（当該シンボルを含む）の、連続する３２個のシンボルを当該STAに配分することを示す。制御チャンネルにおいて、Mbitで某STAにアップリンク探査チャンネルのスタート位置をそれぞれ示して、さらにMbitで当該STAに当該位置の後でいくつの連続するbitがそれに配分するリソースであるかを示す。
【００９６】
または、システム情報チャンネルと制御チャンネルによってフレーム構造を共同で示す例としては、以下のような例が挙げられる。
【００９７】
システム情報チャンネルにおいて、６bitsで最大６３OFDMシンボルの制御チャンネルの周期を示す。制御チャンネルにおいて、９bitsでダウンリンク伝送チャンネル周期を示し、９bitsでアップリンク伝送チャンネル周期を示し、１bitでダウンリンクガードインターバルDGIを示し、２bitsでアップリンク伝送チャンネルの配置を示し、２bitsでアップリンクスケジューリングリクエストチャンネルの配置を示し、１bitsでアップリンクランダムアクセスチャンネルの配置を示し、１bitでアップリンクガードインターバルUGIを示す。
【００９８】
また、CAPは、フレーム長を算出して、システム情報チャンネルまたは制御チャンネルにフレーム長の指示情報を担持することもできる。これによって、STAが直接フレーム長の情報を取得するようになる。
【００９９】
以下に、応用例１〜５で、どのように要求に応じてリソーススケジューリングして、フレーム構造を配置するかについて詳しく説明する。
【０１００】
「応用例１」
本応用例はシステムのアップリンクダウンリンク互換性に基づいて、アップリンク探査チャンネルによってダウンリンクチャンネルの品質の状況を測定し、ダウンリンクスケジューリング及び伝送プロセスを完成する方法を提供する。当該方法は、具体的に図５に示すように、以下のステップS５０１〜S５０５を含む。
【０１０１】
ステップS５０１において、CAPはダウンリンクスケジューリング情報を受信・解析し、ＳTA１とＳTA２にダウンリンクトラフィックを伝送する要求を得る。
【０１０２】
前記ダウンリンクトラフィックを伝送する要求には、各STAまたは各STAの異なるトラフィックストリームのスケジューリング要求、例えば、スケジューリング待ちのトラフィックと行列の長さ、異なるトラフィックのサービス品質QoS要求、トラフィック優先度などを含む。前記ダウンリンクトラフィックを伝送する要求は、ダウンリンクスケジューリング情報に担持される。
【０１０３】
ステップS５０２において、前記CAPは、スケジューリングを必要とする２つのＳTA、即ち、ＳTA１とＳTA２に２つのアップリンク探査チャンネルをスケジューリングする。
【０１０４】
ステップS５０３において、前記CAPはＳTA１とＳTA２がアップリンク探査チャンネルで送信するアップリンク探査信号をそれぞれ測定し、TDDシステムのアップリンクダウンリンク互換性に基づいて、ＳTA１とＳTA２に対応するダウンリンク伝送チャンネルの品質を得る。
【０１０５】
ステップS５０４において、前記CAPは、ダウンリンクスケジューリング情報とダウンリンク伝送チャンネルの品質に基づいて、ＳTA１とＳTA２のそれぞれにダウンリンク伝送リソースをスケジューリングする。
【０１０６】
その中、STA１とSTA２は、時間分割多重化方法の組み合わせによってダウンリンク伝送リソースを共有する。
【０１０７】
ステップS５０５において、前記CAPはダウンリンクスケジューリング情報とダウンリンク伝送チャンネルの品質に基づいて、ＳTA１にダウンリンクトラフィックへのフィードバック用伝送リソースをスケジューリングする。
【０１０８】
STA２の第Nフレームにおけるダウンリンク伝送が、当該フレームにおけるアップリンク伝送においてACK２シグナリングによってフィードバックされていない。この原因は以下であるかもしれない。（１）STA２の第Nフレームにおけるダウンリンク伝送が、第N+kフレームでフィードバックする（２）STA２のダウンリンクトラフィックは、ACKシグナリングをフィードバックする必要がない。
【０１０９】
前記CAPは、スケジューリングされた伝送リソースとマッチングする構造を配置し、STAは解析システム情報チャンネルを介してチャンネル構造を取得し、解析制御チャンネルを介して具体的な伝送リソースの配分状況を知る。
【０１１０】
本発明の応用例のリソースのスケジューリングプロセスを端的に説明するために、図６を参照すると、２つフレームによってダウンリンクトラフィック伝送のリソースのスケジューリングプロセスを完成し、且つスケジューリングされたリソースに基づいて動的にフレーム構造を配置するプロセスを完成する。
【０１１１】
「応用例２」
本応用例は、STAよりチャンネルの品質情報を測定してCAPにフィードバックし、CAPは前記フィードバックされたチャンネル品質情報に基づいてアップリンクスケジューリング及び伝送プロセスを完成する方法を提供する。当該方法は、具体的に図７に示すように、以下のステップS７０１〜S７０７を含む。
【０１１２】
ステップS７０１において、CAPはダウンリンクスケジューリング情報を受信・解析し、ＳTA１とＳTA２にダウンリンクトラフィックを伝送する要求を得る。
【０１１３】
前記ダウンリンクトラフィックを伝送する要求には、各STAまたは各STAの異なるトラフィックストリームのスケジューリング要求、例えば、スケジューリング待ちのトラフィックと行列の長さ、異なるトラフィックのサービス品質QoS要求、トラフィック優先度などを含む。前記ダウンリンクトラフィックを伝送する要求は、ダウンリンクスケジューリング情報に担持される。
【０１１４】
ステップS７０２において、前記 CAPはスケジューリングを必要とする２つのＳTA、即ち、ＳTA１とＳTA２に２つのCQIフィードバックチャンネルをスケジューリングする。
【０１１５】
ステップS７０３において、前記CAPがダウンリンク探査チャンネルで探査信号を送信する。
【０１１６】
ステップS７０４において、ＳTA１とＳTA２はそれぞれ、CAPがダウンリンク探査チャンネルで送信した探査信号を測定して、ＳTA１とＳTA２に対応するダウンリンク伝送チャンネルの品質を得る。
【０１１７】
ステップS７０５において、ＳTA１とＳTA２はそれぞれ対応するCQIフィードバックチャンネルを介して、算定されたダウンリンク伝送チャンネルの品質をCAPにフィードバックする。
【０１１８】
ステップS７０６において、前記CAPは、ダウンリンクスケジューリング情報とダウンリンク伝送チャンネルの品質に基づいて、ＳTA１とＳTA２のそれぞれにダウンリンク伝送リソースをスケジューリングする。
【０１１９】
ステップS７０７において、前記CAPは、ダウンリンクスケジューリング情報とダウンリンク伝送チャンネルの品質に基づいて、ＳTA１にダウンリンクトラフィックへのフィードバック用伝送リソースをスケジューリングする。
【０１２０】
STA２の第Nフレームにおけるダウンリンク伝送が、当該フレームにおけるアップリンク伝送においてACK２シグナリングによってフィードバックされていない。この原因は以下であるかもしれない。（１）STA２の第Nフレームにおけるダウンリンク伝送が、第N+kフレームでフィードバックする（２）STA２のダウンリンクトラフィックは、ACKシグナリングをフィードバックする必要がない。
【０１２１】
前記CAPは、スケジューリングされた伝送リソースとマッチングする構造を配置し、STAは解析システム情報チャンネルを介してチャンネル構造を取得し、解析制御チャンネルを介して具体的な伝送リソースの配分状況を知る。
【０１２２】
本発明の応用例のリソースのスケジューリングプロセスを端的に説明するために、図８を参照すると、２つフレームによってダウンリンクトラフィック伝送のリソースのスケジューリングプロセスを完成し、且つスケジューリングされたリソースに基づいて動的にフレーム構造を配置するプロセスを完成する。
【０１２３】
応用例１では、TDDのアップリンクダウンリンクチャンネル互換性を考慮してダウンリンク伝送チャンネルの品質を得るため、アップリンク探査チャンネルを必要とする。しかし、応用例２では、STAがダウンリンク探査チャンネルを測定してチャンネル品質をCAPにフィードバックするので、アップリンク探査チャンネルをもう必要としない。どのフィードバック方法を問わず、CAPスケジューラによってSTA能力、およびシステム配置基づいて決定される。フレーム構造に配置されるチャンネルは、伝送要求によって自己適応できる。好ましくは無線チャンネル時間の選択的に減衰する変化に自己適応して調整することができる。
【０１２４】
「応用例３」
本応用例は、アップリンクスケジューリングと伝送プロセスを提供している。図９に示すように、具体的に以下のステップS９０１〜S９０５を含む。
【０１２５】
ステップS９０１において、CAPは、第N-２フレームのアップリンクスケジューリングリクエストチャンネルでＳTAから送信されたアップリンクスケジューリングリクエスト信号を受信する。
【０１２６】
ステップS９０２において、前記CAPは、第N-１フレームで、前記ＳTAにアップリンク探査チャンネル、及びアップリンクトラフィック伝送の要求を送信するためのアップリンク伝送チャンネルをスケジューリングする。
【０１２７】
ステップS９０３において、前記CAPは第N-１フレームのアップリンク伝送チャンネルで、アップリンクスケジューリング情報を受信・解析し、前記ＳTAがアップリンクトラフィックを伝送する要求を得る。
【０１２８】
前記ダウンリンクトラフィックを伝送する要求には、前記STAまたは前記STAの異なるトラフィックストリームのスケジューリング要求、例えば、スケジューリング待ちのトラフィックと行列の長さ、異なるトラフィックのサービス品質QoS要求、トラフィック優先度などを含む。前記ダウンリンクトラフィックを伝送する要求は、ダウンリンクスケジューリング情報に担持される。
【０１２９】
ステップS９０４において、前記CAPは第N-１フレームのアップリンク探査チャンネルで前記ＳTAから送信されたアップリンク探査信号を測定して、前記ＳTAに対応するアップリンク伝送チャンネルの品質を得る。
【０１３０】
ステップS９０５において、前記CAPは、前記ＳTAによるアップリンクトラフィックの伝送の要求とアップリンク伝送チャンネルに基づいて、第Nフレームで前記ＳTAにアップリンク伝送リソースをスケジューリングする。
【０１３１】
前記CAPは、スケジューリングされた伝送リソースとマッチングする構造を配置し、STAは解析システム情報チャンネルを介してチャンネル構造を取得し、解析制御チャンネルを介して具体的な伝送リソースの配分状況を知る。
【０１３２】
本発明の応用例のリソースのスケジューリングプロセスを端的に説明するために、図１０を参照すると、３つフレームによってダウンリンクトラフィック伝送のリソースのスケジューリングプロセスを完成し、且つスケジューリングされたリソースに基づいて動的にフレーム構造を配置するプロセスを完成する。
【０１３３】
「応用例４」
【０１３４】
本応用例は別のアップリンクスケジューリングと伝送のプロセスを提供している。図１１に示すように、具体的に以下のステップS１１０１〜S１１０３を含む。
【０１３５】
ステップS１１０１において、CAPは第NフレームでＳTAにアップリンク伝送リソースをスケジューリングする。
【０１３６】
ステップS１１０２において、前記ＳTAはアップリンク伝送する時に、前記ＳTAがアップリンクトラフィックを伝送する要求を、データフレームに担持させ、アップリンクデータとともに前記CAPに送信する。
【０１３７】
ステップS１１０３において、前記CAPは、前記ＳTAがアップリンクトラフィックを伝送する要求を受信した後、前記ＳTAがアップリンクトラフィックを伝送する要求に基づいて、第N+１フレームで前記ＳTAにアップリンク伝送リソースを配分する。
【０１３８】
前記CAPは、スケジューリングされた伝送リソースとマッチングする構造を配置し、STAは解析システム情報チャンネルを介してチャンネル構造を取得し、解析制御チャンネルを介して具体的な伝送リソースの配分状況を知る。
【０１３９】
本発明の応用例のリソースのスケジューリングプロセスを端的に説明するために、図１２を参照すると、２つフレームによってダウンリンクトラフィック伝送のリソースのスケジューリングプロセスを完成し、且つスケジューリングされたリソースに基づいて動的にフレーム構造を配置するプロセスを完成する。
【０１４０】
「応用例５」
図１３は、本応用例に係るアップリンクダウンリンクスケジューリングプロセスのシステムのフレーム構造の模式図である。
【０１４１】
図１３に示すように、フレームは、プリアンブルシーケンス、システム情報チャンネル、制御チャンネル、ダウンリンクトラフィック伝送チャンネル、ダウンリンクガードインターバルDGI、アップリンク探査チャンネル、アップリンクスケジューリングリクエストチャンネル、アップリンクトラフィック伝送チャンネル、アップリンクランダムアクセスチャンネルとアップリンクガードインターバルUGIに分けられる。
【０１４２】
その中、プリアンブルシーケンスは具体的にショートプリアンブルとロングプリアンブルを含む。
【０１４３】
某CAPは４つのSTA、すなわちSTA０、STA１、STA２とSTA３と関連がある。
【０１４４】
第N-１フレームで、STA０はアップリンクダウンリンクトラフィック伝送を行ったが、STA０各トラフィックのダウンリンク伝送行列には依然としてパケット待ち行列があり、スケジューリングされることを待っている。アップリンクトラフィック伝送において、STA０は上へ、N-１フレームが終わった後、STA０の各トラフィックのアップリンク行列のスケジューリング待ちのパケット数を運ぶ。第Nフレームの効率的なダウンリンクスケジューリングを確保するために、CAPは、第N-１フレームで、STA０をスケジューリングしてアップリンク伝送チャンネルによってダウンリンクチャンネルの品質をフィードバックする。第Nフレームの効率的なアップリンクスケジューリングを確保するために、CAPは第N-１フレームでSTA０をスケジューリングしてアップリンク探査チャンネル１でアップリンク探査信号を送信して、CAPにアップリンクチャンネル品質を測定させる。N-１フレームで、STA１に新たなフレームトラフィックが到達され、スケジューリングされるのを待っている。STA２は、N-１フレームでランダムアクセスプロセスを完成し、スケジューリングされるのを待って、CAPにSTA２の伝送能力と機器構成を報告する。STA３は、N-１フレームのアップリンクチャンネルでアップリンクスケジューリングのリクエストを成功的に送信する。
【０１４５】
第Nフレームで、ダウンリンク伝送プロセスにおいて、CAPはSTA０のダウンリンク伝送行列情報、およびN-１フレームでフィードバックされたダウンリンク伝送チャンネルの品質に基づいて、STA０にダウンリンクトラフィック伝送用の３８４個のOFDMシンボルをスケジューリングする。STA０だけにトラフィック伝送があるため、本フレームで、ダウンリンク伝送チャンネルに計３８４個のOFDMシンボルを配分して、番号１〜番号３８４のOFDMシンボルはいずれもCAPからSTA０にダウンリンクトラフィックを伝送する。CAPが後続するフレームでSTA１をダウンリンクスケジューリングすることを容易にするために、CAPはダウンリンク探査信号を送信し、STA１をスケジューリングしてアップリンク伝送プロセスでチャンネル状態情報をフィードバックする。そのため、本フレームにおいて、ダウンリンク探査チャンネルに１個のOFDMシンボルを配置する。
【０１４６】
第Nフレームで、アップリンク伝送プロセスにおいて、CAPはSTA０よりフィードバックされたアップリンク伝送行列情報、及びアップリンク探査チャンネル１で測定されたアップリンクチャンネルの品質に基づいて、STA０にアップリンクトラフィック伝送に用いられるアップリンクの１２８個のOFDMシンボルをスケジューリングする。CAPは、STA２に１６個のOFDMシンボルを配分して、STA２伝送能力と機器構成を報告する。CAPは、STA３に１６個のOFDMシンボルを配分して、アップリンクスケジューリングチャンネルを報告する。STA２とSTA３はいずれもフィードバック伝送で、特定の変調コードフォーマットを採用する。CAPは、アップリンク伝送チャンネルの品質がSTA２とSTA３に伝送フォーマットを指定することを考慮する必要がない。本フレームの伝送終了後、STA０にはダウンリンク伝送トラフィック伝送が存在しないため、STA０はダウンリンクチャンネル品質をフィードバックする必要がない。しかし、CAPはSTA０に依然として伝送待ちのアップリンクトラフィックがあることを推定するため、STA０をスケジューリングして、依然としてアップリンク探査チャンネル１を介してアップリンク探査チャンネルを送信する。同時に、CAPはSTA３をスケジューリングして、アップリンク探査チャンネル２でアップリンク探査チャンネルを送信し、N+１フレームでSTA３をスケジューリングしてアップリンク伝送することを容易にする。また、CAPはSTA１に６４個のOFDMシンボルを配分して、アップリンクチャンネルの品質をフィードバックする。要するに、アップリンク探査チャンネルは計１２８+１６+１６+６４=２２４個のOFDMシンボルを必要としている。その中、番号１〜番号１６はSTA２が機器能力を報告するために用いられ、番号１７〜番号３２は、STA３がアップリンクスケジューリング情報をフィードバックするために用いられ、番号３３〜番号９６は、STAがダウンリンクチャンネル品質をフィードバックするために用いられ、番号９８〜番号２２４は、STA０がアップリンクを伝送するために用いられる。また、本フレームは、２つのアップリンク探査チャンネルを必要としている。その他のSTAがアップリンクトラフィックスケジューリングリクエストを送信するかどうかを分からないため、アップリンクスケジューリングリクエストチャンネルに用いられる２個のOFDMシンボルをリザーブする必要がある。新たなSTAがランダムアクセスを起こすかどうかは分からないので、アップリンクランダムアクセスに用いられる１個のOFDMシンボルをリザーブする。
【０１４７】
CAPは制御チャンネル要求を算出する。ダウンリンクスケジューリング伝送、およびN-１フレームのSTA０アップリンク伝送フィードバックACK/NACKシグナリングは、計２つの制御サブチャンネルを必要としている。アップリンクスケジューリング伝送は、６つの制御サブチャンネルを必要とし、それぞれSTA０、STA１、STA２とSTA３のアップリンク伝送チャンネルスケジューリング、およびSTA０とSTA３のアップリンク探査チャンネルの指定に用いられる。上記の分析によると、本フレームは、制御チャンネル伝送に用いられる６個のOFDMシンボルを必要としている。
【０１４８】
上記のスケジューリングの考慮によると、第Nフレームの配置情報は以下の通りである。６個のOFDMシンボルは制御チャンネル伝送に用いられ、３８４個のOFDMシンボルはダウンリンクトラフィック伝送に用いられ、１個のOFDMシンボルはダウンリンク探査チャンネル伝送（ダウンリンク探査チャンネル位置が固定である）に用いられ、２個のOFDMシンボルはアップリンク探査チャンネル伝送に用いられ、２個のOFDMシンボルはアップリンクスケジューリングリクエストチャンネルに用いられ、２２４個のOFDMシンボルはアップリンク伝送チャンネルに用いられ、１個のOFDMシンボルはアップリンクランダムアクセスチャンネルに用いられる。これに加えてシステム特有のショートプリアンブル、ロングプリアンブル、システム情報チャンネルに各１個のOFDMシンボルがある。ダウンリンクからアップリンクまでのガードインターバルDGI、およびアップリンクからダウンリンクまでのガードインターバルUGIは各１個のOFDMシンボルがある。本フレームには合計３+６+３８４+１+１+２+２+２２４+１+１=６２５個のOFDMシンボルがある。
【０１４９】
上記のプロセスに基づいて、STA０、STA １、STA ２、STA ３が通信フレームを受信した後、システム情報チャンネルのブロードキャスト情報を検出することにより、制御チャンネル周期６個のOFDMシンボル、ダウンリンク伝送チャンネル周期３８４個のOFDMシンボル、DGI周期１個のOFDMシンボル、ダウンリンク探査チャンネル周期１個のOFDMシンボル、アップリンクチャンネル周期２個のOFDMシンボル、スケジューリングリクエストチャンネル周期２個のOFDMシンボル、アップリンク伝送チャンネル周期２２４個のOFDMシンボル、ランダムアクセスチャンネル周期１個のOFDMシンボルとUGI周期１個のOFDMシンボルを取得できる。それから、プリアンブルシーケンスに対しチャンネル周期２個のOFDMシンボル（ショートトレーニングシーケンス１個のOFDMシンボル、ロングトレーニングシーケンス１個のOFDMシンボル）、システム情報チャンネル周期の１OFDMシンボル、制御チャンネル周期、ダウンリンク伝送チャンネル周期、ダウンリンク探査チャンネル周期、DGI周期、アップリンク探査チャンネル周期、スケジューリングリクエストチャンネル周期、アップリンク伝送周期、ランダムアクセスチャンネル周期、UGI周期の和を求め、Nフレーム長、即ち３+６+３８４+１+１+２+２+２２４+１+１= ６２５個のOFDMシンボルを確定する。
【０１５０】
本発明に係る方法、システム及び機器は、動的にフレーム構造を配置し、アップリンクダウンリンクをスケジューリングすることにより、トラフィック要求に応じてアップリンクダウンリンク無線リソースを動的に区分し、動的に種類が豊富で特徴がそれぞれ異なるデータトラフィック要求によく適応することができる。同時に、当該システムは、非常に小さいリソース粒度を提供することができ、異なる端末の大きいトラフィックレート要求の変化に適応できるだけではなく、無線チャンネルの動的変更にもよく適応できる。概して、当該システムは、トラフィック要求とチャンネル特徴の間の均衡を保たせ、動的にアップリンクダウンリンクリンクリソースを区分して、リンク自己適応を考慮する条件下で、異なる端末に動的に無線リソースを配分するすることができる
【０１５１】
「実施例２」
本発明に係る実施例１に記載のリソーススケジューリング方法を実現するために、本発明に係る実施例では、リソーススケジューリング機器も提供する。図１４に示すように、前記リソーススケジューリング機器は、
【０１５２】
伝送要求に応じてリソースをスケジューリングするためのスケジューリングモジュール１４０１と、スケジューリングされたリソースとマッチングする非固定フレーム長のフレーム構造を配置する配置モジュール１４０２とを含む。
【０１５３】
その中、前記配置モジュール１４０２は、フレーム構造に少なくともプリアンブルシーケンスとシステム情報チャンネルを配置する。前記プリアンブルシーケンスは同期と取るために用いられ、前記ステム情報チャンネルは、フレーム構造を示す情報を担持するために用いられる。
【０１５４】
さらに、前記配置モジュール１４０２は、前記アップリンク伝送要求に応じてアップリンク伝送リソースをスケジューリングして、前記フレーム構造にアップリンク伝送チャンネルを配置し、且つ、前記ダウンリンク伝送要求に応じてダウンリンク伝送リソースをスケジューリングして、前記フレーム構造にダウンリンク伝送チャンネルを配置する。
【０１５５】
さらに、前記アップリンク伝送要求は、アップリンクトラフィックを伝送する要求、アップリンクシグナリングを伝送する要求及びダウンリンクトラフィックに対してフィードバックする要求の中の１つまたは複数を含む。相応的に、前記配置モジュール１４０２より配置されたアップリンク伝送チャンネルは、アップリンクトラフィック伝送チャンネル、アップリンクシグナリングチャンネルとダウンリンクトラフィックフィードバックチャンネルの中の１つまたは複数を含む。
【０１５６】
さらに、前記ダウンリンク伝送要求は、ダウンリンクトラフィックを伝送する要求、ダウンリンクシグナリングを伝送する要求、アップリンクトラフィックに対してフィードバックする要求の中の１つまたは複数を含む。相応的に、前記配置モジュール１４０２より配置されたダウンリンク伝送チャンネルは、ダウンリンクトラフィック伝送チャンネル、ダウンリンクシグナリングチャンネル及びアップリンクトラフィックフィードバックチャンネルの中の１つまたは複数を含む。
【０１５７】
さらに、前記配置モジュール１４０２は、アップリンク伝送要求がある場合、さらに前記フレーム構造にステーションSTAがセンターアクセスポイントCAPへアップリンク探査信号を送信するためのアップリンク探査チャンネルを配置し、前記スケジューリングモジュール１４０１は、アップリンク伝送要求に応じてアップリンク伝送リソースをスケジューリングする時、前記アップリンク探査チャンネルでアップリンク探査信号を測定して、アップリンクのチャンネル品質情報CQIを得て、算出されたアップリンクCQIに合わせてアップリンク伝送リソースをスケジューリングする。
【０１５８】
さらに、前記配置モジュール１４０２は、アップリンク伝送要求がある場合、さらに前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、前記スケジューリングモジュール１４０１は、アップリンク伝送要求に応じてアップリンク伝送リソースをスケジューリングする時、アップリンクダウンリンク互換性に基づいて、STAよりフィードバックされたダウンリンクCQIによってアップリンクCQIを確定して、前記アップリンクCQIに合わせてアップリンク伝送リソースをスケジューリングする。
【０１５９】
さらに、前記配置モジュール１４０２は、アップリンク伝送要求がある場合、さらに前記フレーム構造にSTAがCAPへアップリンク探査信号を送信するための探査チャンネルを配置し、前記スケジューリングモジュール１４０１は、前記アップリンク伝送要求に応じてアップリンク伝送リソースをスケジューリングする時、前記アップリンク探査チャンネルでアップリンク探査信号を測定して、アップリンクCQIとアップリンクのチャンネル状態情報CSIを得て、算出されたアップリンクCQIとアップリンクCSIに合わせてアップリンク伝送リソースをスケジューリングする。
【０１６０】
さらに、前記配置モジュール１４０２は、アップリンク伝送要求がある場合、さらに前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルと、STAがCAPへダウンリンク探査信号に基づいて算出されたダウンリンクCSIをフィードバックするためのCSIフィードバックチャンネルとを配置し、前記スケジューリングモジュール１４０１は、アップリンク伝送要求に応じてアップリンク伝送リソースをスケジューリングする時、アップリンクダウンリンク互換性に基づいて、STAよりフィードバックされたダウンリンクCQIによってアップリンクCQIを確定して、且つSTAよりフィードバックされたダウンリンクCSIによってアップリンクCSIを確定して、アップリンクCQIとアップリンクCSIに合わせてアップリンク伝送リソースをスケジューリングする。
【０１６１】
さらに、前記配置モジュール１４０２は、アップリンク伝送要求がある場合、さらに前記フレーム構造に、ステーションSTAがセンターアクセスポイントCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、前記スケジューリングモジュール１４０１は、アップリンク伝送要求に応じてアップリンク伝送リソースをスケジューリングする時、前記アップリンク探査チャンネルでアップリンク探査信号を測定して、アップリンクのチャンネル品質情報CSIを算出し、且つアップリンクダウンリンク互換性に基づいてSTAよりフィードバックされたダウンリンクCQIによってアップリンクCQIを確定し、アップリンクCQIとアップリンクCSIに合わせてアップリンク伝送リソースをスケジューリングする。
【０１６２】
さらに、前記配置モジュール１４０２は、アップリンク伝送要求がある場合、さらに前記フレーム構造に、ステーションSTAがセンターアクセスポイントCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCSIをフィードバックするためのCSIフィードバックチャンネルとを配置し、前記スケジューリングモジュール１４０１は、アップリンク伝送要求に応じてアップリンク伝送リソースをスケジューリングする時、前記アップリンク探査チャンネルでアップリンク探査信号を測定して、アップリンクのチャンネル品質情報CQIを得て、且つアップリンクダウンリンク互換性に基づいてSTAよりフィードバックされたダウンリンクCSIによってアップリンクCSIを確定し、アップリンクCQIとアップリンクCSIに合わせてアップリンク伝送リソースをスケジューリングする。
【０１６３】
さらに、前記配置モジュール１４０２は、ダウンリンク伝送要求がある場合、さらに前記フレーム構造にSTAがCAPへアップリンク探査信号を送信するためのアップリンク探査チャンネルを配置し、 前記スケジューリングモジュール１４０１は、ダウンリンク伝送要求に応じてダウンリンクリソースをスケジューリングする時、前記アップリンク探査チャンネルでアップリンク探査信号を測定して、アップリンクCQIを得て、アップリンクダウンリンク互換性に基づいて、ダウンリンクCQIを確定し、前記ダウンリンクCQIに合わせてダウンリンク伝送リソースをスケジューリングする。
【０１６４】
さらに、前記配置モジュール１４０２は、ダウンリンク伝送要求がある場合、さらに前記フレーム構造にSTAがCAPへアップリンク探査信号を送信するためのアップリンク探査チャンネルを配置し、前記スケジューリングモジュール１４０１は、ダウンリンク伝送要求に応じてダウンリンクリソースをスケジューリングする時、前記アップリンク探査チャンネルでアップリンク探査信号を測定して、アップリンクCQIとアップリンクCSIを算出し、アップリンクダウンリンク互換性に基づいて、ダウンリンクCQIとダウンリンクCSIを確定し、前記ダウンリンクCQIとダウンリンクCSIに合わせてダウンリンク伝送リソースをスケジューリングする。
【０１６５】
さらに、前記配置モジュール１４０２は、ダウンリンク伝送要求がある場合、さらに前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、前記スケジューリングモジュール１４０１は、ダウンリンク伝送要求に応じてダウンリンクリソースをスケジューリングする時、STAよりフィードバックされたダウンリンクCQIに合わせてリソースをスケジューリングする。
【０１６６】
さらに、前記配置モジュール１４０２は、ダウンリンク伝送要求がある場合、さらに前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルと、STAがCAPへダウンリンク探査信号に基づいて算出されたダウンリンクCSIをフィードバックするためのCSIフィードバックチャンネルとを配置し、前記スケジューリングモジュール１４０１は、ダウンリンク伝送要求に応じてダウンリンクリソースをスケジューリングする時、STAよりフィードバックされたダウンリンクCQIとダウンリンクCSIに合わせてダウンリンク伝送リソースをスケジューリングする。
【０１６７】
さらに、前記配置モジュール１４０２は、前記配置モジュールは、ダウンリンク伝送要求がある場合、さらに前記フレーム構造に、STAがCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、前記スケジューリングモジュール１４０１は、ダウンリンク伝送要求に応じてダウンリンクリソースをスケジューリングする時、前記アップリンク探査チャンネルでアップリンク探査信号を測定して、アップリンクCSIを算出し、アップリンクダウンリンク互換性に基づいて、ダウンリンクCQIを得て、前記ダウンリンクCSIとSTAよりフィードバックされたダウンリンクCQIによってダウンリンク伝送リソースをスケジューリングする。
【０１６８】
その中、前記CQIは、伝送チャンネルの信号対雑音比、信号対干渉雑音比、変調符号化セット、伝送チャンネル行列のRANK及びプリコーティング行列セット中の１つまたは複数を含む。
【０１６９】
その中、前記CSIは、伝送チャンネル行列H、HSVD分解後の伝送チャンネル行列のV行列、当該V行列の圧縮情報の中の少なくとも１つを含む。
【０１７０】
さらに、前記配置モジュール１４０２は、さらに前記フレーム構造にSTAがアップリンクスケジューリングリクエストを送信するためのアップリンクスケジューリングリクエストチャンネルを配置し、CAPへアップリンク伝送要求を報告するための伝送リソースをリクエストする。
【０１７１】
さらに、前記スケジューリングモジュール１４０１は、STAのアップリンクスケジューリング要求チャンネルに、STAが非競合的にアップリンクスケジューリングを開始させるための独占的なアップリンク伝送リソースをスケジューリングするか、または、STAが競合的にアップリンクスケジューリングを開始させるための共通のアップリンク伝送リソースをスケジューリングする。
【０１７２】
さらに、前記配置モジュール１４０２は、さらに前記フレーム構造にSTAがCAPへアクセスし、CAPと相関関係を樹立するためのランダムアクセスチャンネルを配置する。
【０１７３】
さらに、前記配置モジュール１４０２は、前記フレーム構造に、前記アップリンク伝送チャンネル、ダウンリンク伝送チャンネル、アップリンク探査チャンネル、ダウンリンク探査チャンネル、CQIフィードバックチャンネル、CSIフィードバックチャンネル、アップリンクスケジューリングリクエストチャンネル、ランダムアクセスチャンネルの中の一つまたは複数のチャンネルの記述情報を担持するための制御チャンネルを配置する。
【０１７４】
その中、前記制御チャンネルはスケジューリングシグナリングから構成され、前記記述情報は前記スケジューリングシグナリングに担持される。
【０１７５】
さらに、前記配置モジュール１４０２は、前記フレーム構造にアップリンク伝送用チャンネルとダウンリンク伝送用チャンネルが配された時、前記アップリンク伝送用チャンネルとダウンリンク伝送用チャンネルの間にガードインターバルをさらに配置する。
【０１７６】
さらに、前記スケジューリングモジュール１４０１は、時間分割、周波数分割、コード分割および空間分割の中の１つまたは複数を組み合わせたリソースの配分方式を採用してリソースをスケジューリングする。
【０１７７】
さらに、前記配置モジュール１４０２より配置されたシステム情報チャンネルと制御チャンネルは、時間分割多重、周波数分割多重、コード分割多重、周波数分割と時間分割の混在多重、またはコード分割と時間分割の混在多重である。
【０１７８】
さらに、前記配置モジュール１４０２より配置されたアップリンク伝送チャンネル、アップリンクスケジューリングリクエストチャンネルとアップリンクランダムアクセスチャンネルには、時間分割多重、周波数分割多重、コード分割多重、周波数分割と時間分割の混在多重、またはコード分割と時間分割の混在多重を採用する。
【０１７９】
さらに、前記フレーム長は予め設定された長さ閾値を越えない。
【０１８０】
「実施例３」
本発明に係る上記のリソーススケジューリング方法は、伝送の要求に応じて動的にフレーム構造を配置できるソリューションを提供する。このソリューションは、これから種類が豊富で特徴が各々異なるデータトラフィックのアップリンクダウンリンク伝送の要求を動的に対応し可能である。また、該システムは、非常に小さいリソース粒度を提供することができるので、各種の端末の大きいトラフィック速度要求の変化に対応するだけではなく、無線チャンネルの動的変更に対応することができる。以下に、詳しく説明する。
【０１８１】
図１５は、本発明の実施例に係るシステム構造を示す模式図である。このシステムの構成を以下に示す。
【０１８２】
スケジューリングされた伝送リソースに基づいて現在の物理フレーム構造を確定し、現在物理フレームで現在の物理フレーム構造を示す情報を送信する１つのCAP１５１と、
【０１８３】
現在の物理フレームの中で現在の物理フレーム構造を示す情報に基づいて、現在の物理フレーム構造を確定する少なくとも１つのCAP１５１と通信できるSTA１５２とを含む。
【０１８４】
その中、それぞれの物理フレーム長はその構造に依存し、非固定値である。
【０１８５】
図１６は、本発明の実施例に係るネットワーク機器の構造を示す模式図である。このネットワーク機器には、配置ユニット１６１と第１通信ユニット１６２を含む。
【０１８６】
配置ユニット１６１は、スケジューリングされた伝送リソースに基づいて現在の物理フレーム構造を確定する。
【０１８７】
第１通信ユニット１６２は、現在物理フレームで現在の物理フレーム構造を示す情報を送信し、少なくとも１つの端末装置と通信を行う。
【０１８８】
それぞれの物理フレーム長はその構造に依存し、非固定値である。
【０１８９】
好ましい実施の形態では、配置ユニット１６１は現在の物理フレームに、同期用プリアンブルシーケンスと、現在物理フレーム構造を示す情報を送信するシステム情報チャンネルとを配置する。
【０１９０】
これに応して、第１通信ユニット１６２は、プリアンブルシーケンスを送信するとともに、システム情報チャンネルで現在の物理フレーム構造を示す情報を送信する。
【０１９１】
別の好ましい実施の形態では、配置ユニット１６１は、現在の物理フレームに同期用プリアンブルシーケンスと、現在物理フレーム構造を示す情報のシステム情報チャンネルを配置する。選択的に現在の物理フレームに複数のチャンネルのうちの少なくとも１つを配置する。
【０１９２】
上記の複数のチャンネルには、次のようなケースが含まれる。
【０１９３】
１）上記の複数チャンネルは、ダウンリンクトラフィック、及び/またはダウンリンクシグナリング、及び/またはアップリンクトラフィックフィードバックを伝送するための第１ダウンリンク伝送チャンネルと、ダウンリンク探査信号を伝送するためのダウンリンク探査チャンネルと、ダウンリンクトラフィック、及び/またはダウンリンクシグナリング、及び/またはアップリンクトラフィックフィードバックを伝送するための第２ダウンリンク伝送チャンネルとを含む。
【０１９４】
また、これに応じて、第１通信ユニット１６２はプリアンブルシーケンスを送信するとともに、システム情報チャンネルで現在物理フレーム構造を示す情報を送信する。選択的に配置されるチャンネルに関係送信を実施する。
【０１９５】
また、配置ユニット１６１が現在物理フレーム構造を確定することは、伝送リソースの配分とスケジューリング、伝送リソースを占めるチャンネルの伝送フォーマットを示す情報を伝送するための制御チャンネルを現在の物理フレームに配置する。これに応じて、第１通信ユニット１６２は、プリアンブルシーケンスを送信し、システム情報チャンネルで現在の物理フレーム構造を示す情報を送信する。制御チャンネルで、伝送リソースの配分とスケジューリング、および伝送リソースを占めるチャンネルの伝送フォーマットを示す情報を伝送する。選択的に配置されるチャンネルに関係送信を実施する。または、第１通信ユニット１６２はプリアンブルシーケンスを送信し、前記システム情報チャンネルで一部の現在物理フレーム構造を示す情報を送信する。その中、少なくとも制御チャンネルの継続時間を含み、制御チャンネルでほかの部分の現在の物理フレーム構造を示す情報を送信する。制御チャンネルで伝送リソースの配分とスケジューリング、および伝送リソースを占めるチャンネルの伝送フォーマットを示す情報を伝送する。選択的に配置されるチャンネルに関係送信を実施する。
【０１９６】
２）上記の複数チャンネルは、アップリンク探査信号を伝送するためのアップリンク探査チャンネルと、アップリンクスケジューリングリクエストを伝送するためのアップリンクスケジューリングリクエストチャンネルと、アップリンクトラフィック、及び/またはアップリンクシグナリング、及び/またはダウンリンクトラフィックフィードバック、及び/またはダウンリンクCQIフィードバック、及び/またはダウンリンクCSIフィードバックを伝送するためのアップリンク伝送チャンネルと、アップリンクランダムアクセスリクエストを伝送するためのアップリンクランダムアクセスチャンネルとを含む。
【０１９７】
或いは、上記の複数チャンネルは、アップリンク探査信号を伝送するためのアップリンク探査チャンネルと、アップリンクスケジューリングリクエストを伝送するためのアップリンクスケジューリングリクエストチャンネルと、アップリンクトラフィック、及び/またはアップリンクシグナリング、及び/またはダウンリンクトラフィックフィードバックを伝送するためのアップリンク伝送チャンネルと、ダウンリンクCQIフィードバックを伝送するためのCQIフィードバックチャンネルと、ダウンリンクCSIフィードバックを伝送するためのCSIフィードバックチャンネルと、アップリンクランダムアクセスリクエストを伝送するためのアップリンクランダムアクセスチャンネルとを含む。
【０１９８】
また、これに応じて、第１通信ユニット１６２はプリアンブルシーケンスを送信するとともに、システム情報チャンネルで現在物理フレーム構造を示す情報を送信する。選択的に配置されるチャンネルに関係受信を実施する。
【０１９９】
また、配置ユニット１６１が現在物理フレーム構造を確定することは、伝送リソースの配分とスケジューリング、伝送リソースを占めるチャンネルの伝送フォーマットを示す情報を伝送するための制御チャンネルを現在の物理フレームに配置する。これに応じて、第１通信ユニット１６２は、プリアンブルシーケンスを送信し、システム情報チャンネルで現在の物理フレーム構造を示す情報を送信する。制御チャンネルで、伝送リソースの配分とスケジューリング、および伝送リソースを占めるチャンネルの伝送フォーマットを示す情報を伝送する。選択的に配置されるチャンネルに関係受信を実施する。または、第１通信ユニット１６２はプリアンブルシーケンスを送信し、システム情報チャンネルで一部の現在物理フレーム構造を示す情報を送信する。その中、少なくとも制御チャンネルの継続時間を含み、制御チャンネルでほかの部分の現在の物理フレーム構造を示す情報を送信する。制御チャンネルで伝送リソースの配分とスケジューリング、および伝送リソースを占めるチャンネルの伝送フォーマットを示す情報を伝送する。選択的に配置されるチャンネルに関係受信を実施する。
【０２００】
図１７は、本発明の実施例に係る端末装置の構造を示す模式図である。この端末装置に解析ユニット１７１と第２通信ユニット１７２を含む。
【０２０１】
解析ユニット１７１は、現在の物理フレームの中で現在の物理フレーム構造を示す情報を解析して、現在の物理フレーム構造を確定する。
【０２０２】
第２通信ユニット１７２は現在の物理フレーム内でネットワーク機器と通信する。
【０２０３】
その中、各物理フレーム長はその構造に依存し、非固定値である。
【０２０４】
好ましい実施の形態として、現在の物理フレームはプリアンブルシーケンスと、現在の物理フレーム構造を示す情報を持つシステム情報チャンネルで構成される。
【０２０５】
また、これに応じて、第２通信ユニット１７２はプリアンブルシーケンスを受信するとともに、システム情報チャンネルで現在物理フレーム構造を示す情報を受信する。
【０２０６】
別の好ましい実施の形態として、現在物理フレームは、プリアンブルシーケンスと、現在物理フレーム構造を示す情報を持つシステム情報チャンネルと、少なくとも１つの選択的に配置されるチャンネルとを含む。
【０２０７】
選択的に配置されるチャンネルには、次のようなケースが含まれる。
【０２０８】
１）上記選択的に配置されるチャンネルは、アップリンク探査信号を伝送するためのアップリンク探査チャンネルと、アップリンクスケジューリングリクエストを伝送するためのアップリンクスケジューリングリクエストチャンネルと、アップリンクトラフィック、及び/またはアップリンクシグナリング、及び/またはダウンリンクトラフィックフィードバック、及び/またはダウンリンクCQIフィードバック、及び/またはダウンリンクCSIフィードバックを伝送するためのアップリンク伝送チャンネルと、アップリンクランダムアクセスリクエストを伝送するためのアップリンクランダムアクセスチャンネルとを含む。
【０２０９】
或いは、上記の複数チャンネルは、アップリンク探査信号を伝送するためのアップリンク探査チャンネルと、アップリンクスケジューリングリクエストを伝送するためのアップリンクスケジューリングリクエストチャンネルと、アップリンクトラフィック、及び/またはアップリンクシグナリング、及び/またはダウンリンクトラフィックフィードバックを伝送するためのアップリンク伝送チャンネルと、ダウンリンクCQIフィードバックを伝送するためのCQIフィードバックチャンネルと、ダウンリンクCSIフィードバックを伝送するためのCSIフィードバックチャンネルと、アップリンクランダムアクセスリクエストを伝送するためのアップリンクランダムアクセスチャンネルとを含む。
【０２１０】
また、第２通信ユニット１７２はプリアンブルシーケンスを受信するとともに、システム情報チャンネルで現在物理フレーム構造を示す情報を受信する。少なくとも１つの選択的に配置されるチャンネルに関係送信を実施する。
【０２１１】
また、現在物理フレーム構造は、伝送リソースの配分とスケジューリング、伝送リソースを占めるチャンネルの伝送フォーマットを示す情報を伝送するための制御チャンネルをさらに含む。これに応じて、第２通信ユニット１７２は、プリアンブルシーケンスを受信し、システム情報チャンネルで現在の物理フレーム構造を示す情報を受信する。制御チャンネルで、伝送リソースの配分とスケジューリング、および伝送リソースを占めるチャンネルの伝送フォーマットを示す情報を受信する。少なくとも１つの選択的に配置されるチャンネルに関係送信を実施する。または、第２通信ユニット１７２はプリアンブルシーケンスを受信し、システム情報チャンネルで一部の現在物理フレーム構造を示す情報を受信する。その中、少なくとも制御チャンネルの継続時間を含み、制御チャンネルでほかの部分の現在の物理フレーム構造を示す情報を受信する。制御チャンネルで伝送リソースの配分とスケジューリング、および伝送リソースを占めるチャンネルの伝送フォーマットを示す情報を受信する。少なくとも１つの選択的に配置されるチャンネルに関係送信を実施する。
【０２１２】
２）選択的に配置されるチャンネルは、ダウンリンクトラフィック、及び/またはダウンリンクシグナリング、及び/またはアップリンクトラフィックフィードバックを伝送するための第１ダウンリンク伝送チャンネルと、ダウンリンク探査信号を伝送するためのダウンリンク探査チャンネルと、ダウンリンクトラフィック、及び/またはダウンリンクシグナリング、及び/またはアップリンクトラフィックフィードバックを伝送するための第２ダウンリンク伝送チャンネルとを含む。
【０２１３】
また、これに応じて、第２通信ユニット１７２はプリアンブルシーケンスを受信するとともに、システム情報チャンネルで現在物理フレーム構造を示す情報を受信する。少なくとも１つの選択的に配置されるチャンネルに関係受信を実施する。
【０２１４】
また、現在物理フレーム構造は、伝送リソースの配分とスケジューリング、伝送リソースを占めるチャンネルの伝送フォーマットを示す情報を伝送するための制御チャンネルをさらに含む。これに応じて、第２通信ユニット１７２は、プリアンブルシーケンスを受信し、システム情報チャンネルで現在の物理フレーム構造を示す情報を受信する。制御チャンネルで、伝送リソースの配分とスケジューリング、および伝送リソースを占めるチャンネルの伝送フォーマットを示す情報を受信する。少なくとも１つの選択的に配置されるチャンネルに関係受信を実施する。または、第２通信ユニット１７２はプリアンブルシーケンスを受信し、システム情報チャンネルで一部の現在物理フレーム構造を示す情報を受信する。その中、少なくとも制御チャンネルの継続時間を含み、制御チャンネルでほかの部分の現在の物理フレーム構造を示す情報を受信する。制御チャンネルで伝送リソースの配分とスケジューリング、および伝送リソースを占めるチャンネルの伝送フォーマットを示す情報を受信する。少なくとも１つの選択的に配置されるチャンネルに関係受信を実施する。
【０２１５】
これにより、本発明実施例では、ネットワーク機器は、スケジューリングされた伝送リソースに基づいて現在の物理フレーム構造を配置し、現在の物理フレームの中で現在の物理フレーム構造を示す情報を送信する。端末装置は現在の物理フレーム構造を示す情報に基づいて、現在の物理フレーム構造を確定することができる。
【０２１６】
以下に、ネットワーク機器がCAPで、端末装置がSTAである場合を例に、説明する。
【０２１７】
本発明の実施例では、CAPは次のような２つの方法により現在の物理フレーム構造を示す情報を送信してもよい。
【０２１８】
方法１において、システム情報チャンネルで現在の物理フレーム構造を示す情報を送信する。
【０２１９】
現在の物理フレーム構造を示す情報は、チャンネル存在性を示す情報、チャンネルの存在性と継続時間を示す情報、チャンネルの継続時間を示す情報のうちの１種以上を含む。
【０２２０】
CAPに関連するSTAは、システム情報チャンネルにおける現在の物理フレーム構造を示す情報を解析し、現在の物理フレーム構造を確定することができる。現在の物理フレームにおけるそれぞれのチャンネルの継続時間を加算することにより、現在の物理フレーム長を得る。
【０２２１】
好ましくは、CAPはシステム情報チャンネルで現在の物理フレームのフレーム長情報を送信することもできる。この時、CAPに関連するSTAは直接現在の物理フレームのフレーム長を確定することができるので、計算する必要はない。
【０２２２】
方法２において、システム情報チャンネルと制御チャンネルで現在の物理フレーム構造を示す情報を送信する。
【０２２３】
現在の物理フレーム構造を示す情報を送信し、チャンネル存在性を示す情報、チャンネルの存在性と時間を示す情報、チャンネルの時間を示す情報の中の１つまたは複数を含む。
【０２２４】
CAPはシステム情報チャンネルで一部の現在の物理フレーム構造を示す情報を送信する。この部分の現在の物理フレーム構造を示す情報には少なくとも制御チャンネルの継続時間を含む。制御チャンネルで別の部分の現在の物理フレーム構造を示す情報を送信する。
【０２２５】
CAPに関連するSTAは、現在の物理フレーム構造を示す情報を解析し、現在の物理フレーム構造を確定することができる。現在の物理フレームの中の各チャンネルの継続時間を加算することにより、現在の物理フレームのフレーム長を得る。
【０２２６】
更に、CAPはシステム情報チャンネルに現在の物理フレームのフレーム長情報を送信することができる。CAPに関連するSTAは直接に現在の物理フレームのフレーム長を獲得することができるので、計算する必要はない。または、CAPは、システム情報チャンネルと制御チャンネルで現在の物理フレームのフレーム長情報を送信することができる。この時、CAPに関連するSTAはシステム情報チャンネルと制御チャンネルの中の２部分のフレーム長を加算することにより、現在の物理フレームのフレーム長を得る。
【０２２７】
以下に、具体的な応用例を挙げて、いずれもアップリンク伝送チャンネル経由でダウンリンクCQIのフィードバック及びダウンリンクCSIのフィードバックを例にする。
【０２２８】
「応用例６」
図１８は本発明応用例６に係る物理フレームの構造を示す模式図である。そのうち、横座標は時間を示し、縦座標は周波数またはコードワードを示す。物理フレームにプリアンブルシーケンスとシステム情報チャンネルを含む。
【０２２９】
CAPは、プリアンブルシーケンスを送信することと、システム情報チャンネルで現在の物理フレーム構造を示す情報を送信することとを実行する。
【０２３０】
本応用例６に係るシステム情報チャンネルは次のようなフィールドを含む。
【０２３１】
（１）制御チャンネル継続時間指示フィールド
制御チャンネルの継続時間を示し、制御チャンネル継続時間指示フィールドは６ビットであってもよく、最大で６３個のOFDMシンボルを示す。１つのOFDMシンボルは最小のリソース配分単位である。例えば、この６ビットは０１００００とすると、十進数に変換すれば１６となり、即ち１６個のOFDMシンボルに対応する。
【０２３２】
（２）ダウンリンク伝送チャンネル継続時間指示フィールド
ダウンリンク伝送チャンネルの継続時間を示し、ダウンリンク伝送チャンネル継続時間指示フィールドは９ビットに配置可能であり、最大で５１１個のOFDMシンボルを示す。例えば、この９ビットは１００００００００とすると、十進数に変換すれば２５６、即ち２５６個のOFDMシンボルに対応する。
【０２３３】
（３）アップリンク伝送チャンネル継続時間指示フィールド
アップリンク伝送チャンネルの継続時間を示し、アップリンク伝送チャンネル継続時間指示フィールドは９ビットに配置可能であり、最大で５１１個のOFDMシンボルを示す。
【０２３４】
（４）ダウンリンク探査チャンネル配置フィールド
ダウンリンク探査チャンネルの存在性を示す。本応用例６において、ダウンリンク探査チャンネルの継続時間は固定で、ダウンリンク探査チャンネル配置フィールドは１ビットであってもよい。このビットはダウンリンク探査チャンネルが存在することを示す場合、このダウンリンク探査チャンネルが固定継続時間であることを間接に示すことに相当する。
【０２３５】
（５）アップリンク探査チャンネル配置フィールド
アップリンク探査チャンネルの存在性及び継続時間を示す。アップリンク探査チャンネル配置フィールドは２ビットでもよい。例えば００と記入すれば、アップリンク探査チャンネル無しを示し、０１と記入すれば、アップリンク探査チャンネルが１つのOFDMシンボルを占めることを示し、１０と記入すれば、アップリンク探査チャンネルが２個のOFDMシンボルを占めることを示し、１１と記入すれば、アップリンク探査チャンネルが４個のOFDMシンボルを占めることを示す。
【０２３６】
（６）アップリンクスケジューリングリクエストチャンネル配置フィールド
アップリンクスケジューリングリクエストチャンネルの存在性及び継続時間を示す。アップリンクスケジューリングリクエストチャンネル配置フィールドは２ビットでもよい。例えば００と記入すれば、アップリンクスケジューリングリクエストチャンネル無しを示し、０１と記入すれば、アップリンクスケジューリングリクエストチャンネルが１つのOFDMシンボルを占めることを示し、１０と記入すれば、アップリンクスケジューリングリクエストチャンネルが２個のOFDMシンボルを占めることを示し、１１と記入すれば、アップリンクスケジューリングリクエストチャンネルが４個のOFDMシンボルを占めることを示す。
【０２３７】
（７）アップリンクランダムアクセスチャンネル配置フィールド
アップリンクランダムアクセスチャンネルの存在性を示す。本応用例６において、アップリンクランダムアクセスチャンネルの継続時間は固定で、アップリンクランダムアクセスチャンネル配置フィールドは１ビットでもよい。このビットはアップリンクランダムアクセスチャンネルが存在することを示す場合、このアップリンクランダムアクセスチャンネルが固定継続時間であることを間接に示すことに相当する。
【０２３８】
これにより、システム情報チャンネルは、フィールド（１）〜（３）がチャンネルの継続時間情報を示し、フィールド（４）と（７）がチャンネルの存在性の情報を示し、フィールド（５）と（６）がチャンネルの存在性及び継続時間の情報を示す。
【０２３９】
その他の応用シーンの場合、上記のダウンリンク探査チャンネルとアップリンクランダムアクセスチャンネルは非固定継続時間でもよい。この時、ダウンリンク探査チャンネル配置フィールドとアップリンクランダムアクセスチャンネル配置フィールドが、多ビットでチャンネルの存在性及び時間、またはチャンネルの時間情報を示してもよい。
【０２４０】
本応用例６に係る物理フレーム構造は制御チャンネル、ダウンリンク伝送チャンネル、ダウンリンク探査チャンネル、アップリンク伝送チャンネル、アップリンク探査チャンネル、アップリンクランダムアクセスチャンネルとアップリンクスケジューリングリクエストチャンネルを含まないので、CAPは制御チャンネル継続時間指示フィールド、ダウンリンク伝送チャンネル継続時間指示フィールドとアップリンク伝送チャンネル継続時間指示フィールドには継続時間０と記入され、ダウンリンク探査チャンネル配置フィールドとアップリンクランダムアクセスチャンネル配置フィールドにはチャンネルが存在しないことを示す数値が記入され、アップリンク探査チャンネル配置フィールドとアップリンクスケジューリングリクエスト配置フィールドにはチャンネルが存在しないことを示す数値が記入される。
【０２４１】
本応用例６において、プリアンブルシーケンスとシステム情報チャンネルの継続時間は予め設定され、CAPとSTAはいずれもこの事前設定の状況を知っているため、STAはシステム情報チャンネルから現在の物理フレーム構造を示す情報を解析することで、現在の物理フレームにはプリアンブルシーケンスとシステム情報チャンネルのみを含むことを確定するので、現在の物理フレームで送信を実行せず、関連する受信のみを実行する。
【０２４２】
「応用例７」
図１９は本発明応用例７に係る物理フレームの構造の模式図である。そのうち、横座標は時間を示し、縦座標は周波数またはコードワードを示す。物理フレームはプリアンブルシーケンス、システム情報チャンネル、ダウンリンクガードインタバール、アップリンクスケジューリングリクエストチャンネル、及びアップリンクランダムアクセスチャンネルを含む。
【０２４３】
CAPは、プリアンブルシーケンスを送信することと、システム情報チャンネルで現在の物理フレーム構造を示す情報を送信することとを実行する。
【０２４４】
好ましくは、本応用例７におけるダウンリンクガードインタバール継続時間を、CAPによって現在の物理フレーム構造を示す情報に持たせる。この時、システム情報チャンネルは応用例６に記載するフィールドに加え、ガードインタバールの指示フィールドを有してもよい。このフィールドは多ビットでダウンリンクガードインタバールの継続時間を示してもよく、または、ガードインタバールが固定継続時間を有する場合、このフィールドは１ビットだけでダウンリンクガードインタバールの存在性を示してもよい。
【０２４５】
好ましくは、本応用例７に記載するダウンリンクガードインタバール継続時間を、CAPによってダウンリンク伝送チャンネル周期的ブロードキャストのブロードキャスト情報フレーム（BCF）に持たせる。BCFでは、２ビットでダウンリンクガードインタバールの継続時間を示し、例えば数値は０の場合、ダウンリンクガードインタバールは２個のOFDMシンボル、数値は１の場合、ダウンリンクガードインタバールは４個のOFDMシンボルを示す。STAはCAPが存在する無線ネットワークにアクセスする過程、及びアクセスに成功した後に、周期的にBCFを検出することにより、ダウンリンクガードインタバールの継続時間を取得する。この時、CAPは物理フレームごとに再びダウンリンクガードインタバールの継続時間を示す必要がなくなり、システム情報チャンネルのオーバーヘッドを節約する。
【０２４６】
STAは現在の物理フレームの構造を決定することにより、現在の物理フレームでは関連する受信を実行するほか、次のような送信動作を選択的に実行することもできる。
【０２４７】
アップリンクランダムアクセスチャンネルでランダムアクセスリクエストシーケンスを送信することにより、CAPはランダムアクセスリクエストのリソースを配分して送信することをトリガーする。
【０２４８】
アップリンクスケジューリングリクエストチャンネルでアップリンクスケジューリングシーケンスを送信することにより、CAPはアップリンクスケジューリングリクエストのリソースを配分して送信するをトリガーする。または、アップリンクスケジューリングリクエストチャンネルで快速シグナリングフィードバックを送信する。
【０２４９】
本応用例７において、STAは競合によりアップリンクランダムアクセスチャンネルとアップリンクスケジューリングリクエストチャンネルの伝送リソースを取得する。そこで、CAPは制御チャンネルで２つのチャンネルへのリソース指示の送信が必要なく、制御チャンネルの配置をしなくてもよい。
【０２５０】
好ましくは、本応用例７に記載する物理フレーム構造にも、アップリンクランダムアクセスリクエストチャンネルとアップリンクスケジューリングリクエストチャンネルのいずれかのみを含んでもよい。
【０２５１】
「応用例８」
本応用例８の応用シーンは、CAPはSTAに対してダウンリンクトラフィック伝送の要求があること、ダウンリンクトラフィック伝送前にチャンネル探査を行う必要があること、STAはアップリンクトラフィック、アップリンクシグナリングまたはダウンリンクトラフィックフィードバックの要求がないことを含むとする。
【０２５２】
第１の好ましい実施の形態として、CAPは２つの物理フレームでダウンリンクトラフィック伝送を完成する。図２０aと図２０bに示すように、そのうち、横座標は時間を示し、縦座標は周波数またはコードワードを示す。
【０２５３】
第１の物理フレームにおいて、CAPは、プリアンブルシーケンスを送信することと、システム情報チャンネルで現在の物理フレーム構造を示す情報を送信することと、制御チャンネルで伝送リソースの配分とスケジューリング、及び伝送リソースを占めるチャンネルの伝送フォーマットを示す情報を送信することと、ダウンリンク探査チャンネルでダウンリンク探査信号を送信することとを実行する。STAは現在の物理フレーム構造を示す情報を介して、第１の物理フレームの構造を決定し、これによって第１の物理フレームで次のような送信動作を実行することを確定することができる。
【０２５４】
アップリンク伝送チャンネルからCAPへダウンリンクチャンネル測定結果をフィードバックされる。ここのダウンリンクチャンネル測定結果は、STAによりCAPの送信したダウンリンク探査信号に基づいてダウンリンクチャンネルを測定してから得られるものであり、ダウンリンクCQI、または、ダウンリンクCQIとダウンリンクCSIを含む。第２の物理フレームにおいて、CAPは、プリアンブルシーケンスを送信することと、システム情報チャンネルで現在の物理フレーム構造を示す情報を送信することと、制御チャンネルで伝送リソースの配分とスケジューリング、及び伝送リソースを占めるチャンネルの伝送フォーマットを示す情報を送信することと、ダウンリンク伝送チャンネルでダウンリンクトラフィックデータを送信することとを実行する。
【０２５５】
STAは現在の物理フレーム構造を示す情報によって、第２の物理フレームの構造を確定することにより、第２の物理フレームで送信動作を実行しないことを確定する。
【０２５６】
第２の好ましい実施の形態として、CAPは２つの物理フレームでダウンリンクトラフィック伝送を完成する。図２１と図２０bに示すように、そのうち、横座標は時間を示し、縦座標は周波数またはコードワードを示す。
【０２５７】
第１の物理フレームにおいて、CAPは、プリアンブルシーケンスを送信することと、システム情報チャンネルで現在の物理フレーム構造を示す情報を送信することと、制御チャンネルで伝送リソースの配分とスケジューリング、及び伝送リソースを占めるチャンネルの伝送フォーマットを示す情報を送信することとを実行する。
【０２５８】
STAは第１の物理フレームの構造を確定することにより、第１の物理フレームで次のような送信動作を実行することを確定する。
【０２５９】
STAはアップリンク探査チャンネルでCAPへアップリンク探査信号を送信することにより、CAPがこのアップリンク探査信号によりアップリンクチャンネル品質の測定を行うか、またはアップリンクチャンネル品質とアップリンクチャンネル状態の測定を行う。アップダウンリンク互換性の原理に基づいて、ダウンリンクチャンネルのCQI、またはダウンリンクチャンネルのCQIとCSIを得る。
【０２６０】
第２の物理フレームにおいて、CAPは、プリアンブルシーケンスを送信することと、システム情報チャンネルで現在の物理フレーム構造を示す情報を送信することと、制御チャンネルで伝送リソースの配分とスケジューリング、及び伝送リソースを占めるチャンネルの伝送フォーマットを示す情報を送信することと、ダウンリンク伝送チャンネルでダウンリンクトラフィックデータを送信することとを実行する。
【０２６１】
STAは現在の物理フレーム構造を示す情報により、第２の物理フレームの構造を確定することにより、第２の物理フレームで送信動作を実行しないことを確定する。
【０２６２】
上記の２つの実施の形態において、CAPとSTAが送信動作を実行する角度から説明する。CAPが送信を実行する時、STAは関連する受信を実行する。STAが送信を実行する時、CAPは関連する受信を実行する。
【０２６３】
上記の２つの実施の形態において、CAPは応用例７と同様な２つの好ましい実施の形態により、ダウンリンクガードインタバールを示す。そのうち、第１種の場合、システム情報チャンネルは応用例６に記載するフィールドに加え、ガードインタバールの指示フィールドを有してもよく、このフィールドは多ビットでダウンリンクガードインタバールの継続時間を示してもよく、または、ガードインタバールが固定継続時間を有する場合、このフィールドは１ビットだけでダウンリンクガードインタバールの存在性を示してもよい。第２種の場合、システム情報チャンネルは実施例と同様なフィールドを有する。
【０２６４】
上記の２つの実施の形態において、もしCAPは前記の方式２を用いて現在の物理フレーム構造を示す情報を送信すると、第２の物理フレームを例にし、システム情報チャンネルの制御チャンネル継続時間指示フィールドに該当の数値を記入し、制御チャンネルで９ビットでダウンリンク伝送チャンネルの継続時間を示す。
【０２６５】
上記の２つの実施の形態において、もしダウンリンクトラフィックを伝送する前にチャンネル探査をしないと、CAPは図２０bに示す１つの物理フレームでダウンリンクトラフィック伝送を完成することができる。
【０２６６】
上記の２つの実施の形態において、第１の物理フレームと第２の物理フレームは連続または非連続でよい。
【０２６７】
上記の２つの実施の形態を除き、ダウンリンクトラフィックを伝送する前、ダウンリンク探査チャンネルとアップリンク探査チャンネルに基づいてチャンネル探査を行ってもよい。即ち第１の物理フレームにダウンリンク探査チャンネル、アップリンク探査チャンネルとアップリンク伝送チャンネルを同時に配置する。この時、CAPはSTAから送信されたアップリンク探査信号でアップリンクチャンネル状態の測定を行い、アップダウンリンク互換性に基づいてダウンリンクCSIを取得し、STAがアップリンク伝送チャンネルでフィードバックしたダウンリンクCQIを受信する。または、CAPはSTAから送信されたアップリンク探査信号でアップリンクチャンネル品質測定を行い、アップリンクダウンリンク互換性に基づいてダウンリンクCQIを取得し、STAがアップリンク伝送チャンネルでフィードバックしたダウンリンクCSIを受信する。
【０２６８】
上記の２つの実施の形態において、１つの物理フレームでチャンネル探査を完成することを例として説明したが、実際の応用の場合、複数の物理フレームを用いてチャンネル探査を行ってもよい。ここでは重複しない。
【０２６９】
「応用例９」
本応用例９の応用シーンは、STAにアップリンクトラフィック伝送の要求があること、アップリンクトラフィックを伝送する前にチャンネル探査を行わなければならないこと、CAPにダウンリンクトラフィック、ダウンリンクシグナリングまたはアップリンクトラフィックフィードバック要求がないことを含むとする。
【０２７０】
第１の好ましい実施の形態として、CAPがSTAにアップリンクトラフィック伝送の要求があることを知っている場合、STAは２つの物理フレームを介してアップリンク伝送を完成しなければならない。図２１と図２２に示すように、そのうち、横座標は時間を示し、縦座標は周波数またはコードワードを示す。
【０２７１】
第１の物理フレームにおいて、CAPは、プリアンブルシーケンスを送信することと、システム情報チャンネルで現在の物理フレーム構造を示す情報を送信することと、制御チャンネルで伝送リソースの配分とスケジューリング、及び伝送リソースを占めるチャンネルの伝送フォーマットを示す情報を送信することとを実行する。
【０２７２】
STAは現在の物理フレームの構造を確定することにより、第１物理フレームで次のような送信動作を実行することを確定する。
【０２７３】
アップリンク探査チャンネルでCAPへアップリンク探査信号を送信することにより、CAPがこのアップリンク探査信号でアップリンクチャンネル品質測定を行い、アップリンクのCQIを取得し、またはアップリンクチャンネル品質測定とアップリンクチャンネル状態測定を行うことで、アップリンクのCQIとCSIを得る。
【０２７４】
第２の物理フレームにおいて、CAPは、プリアンブルシーケンスを送信することと、システム情報チャンネルで現在の物理フレーム構造を示す情報を送信することと、制御チャンネルで伝送リソースの配分と指令、及び伝送リソースを占めるチャンネルの伝送フォーマットを示す情報を送信することとを実行する。
【０２７５】
STAは現在の物理フレームの構造を確定することにより、第２の物理フレームで次のような送信動作を実行することを確定する。
【０２７６】
アップリンク伝送チャンネルでアップリンクトラフィックデータを送信する。
【０２７７】
第２の好ましい実施の形態として、CAPがSTAにアップリンクトラフィック伝送の要求があることを知っている場合、STAは２つの物理フレームを介してアップリンク伝送を完成しなければならない。図２０aと図２２に示すように、そのうち、横座標は時間を示し、縦座標は周波数またはコードワードを示す。
【０２７８】
第１の物理フレームにおいて、CAPは、プリアンブルシーケンスを送信することと、システム情報チャンネルで現在の物理フレーム構造を示す情報を送信することと、制御チャンネルで伝送リソースの配分とスケジューリング、及び伝送リソースを占めるチャンネルの伝送フォーマットを示す情報を送信することと、ダウンリンク探査チャンネルでダウンリンク探査信号を送信することとを実行する。
【０２７９】
STAは現在の物理フレームの構造を確定することにより、第１物理フレームで次のような送信動作を実行することを確定する。
【０２８０】
アップリンク伝送チャンネルでCAPへダウンリンクCQI、またはダウンリンクCQIとCSIを送信することにより、CAPがアップダウンリンク互換性の原理に基づいてアップリンクのCQI、またはアップリンクのCQIとCSIを得る。
【０２８１】
第２の物理フレームにおいて、CAPは、プリアンブルシーケンスを送信することと、システム情報チャンネルで現在の物理フレーム構造を示す情報を送信することと、制御チャンネルで伝送リソースの配分と指令、及び伝送リソースを占めるチャンネルの伝送フォーマットを示す情報を送信することとを実行する。
【０２８２】
STAは現在の物理フレームの構造を確定することにより、第２の物理フレームで次のような送信動作を実行することを確定する。
【０２８３】
アップリンク伝送チャンネルでアップリンクトラフィックデータを送信する。
【０２８４】
上記の２つの実施の形態において、CAPとSTAが送信動作を実行する視点から説明すると、CAPが送信を実行する時、STAは関連する受信を実行し、STAが送信を実行する時、CAPは関連する受信を実行する。
【０２８５】
上記の２つの実施の形態において、CAPは応用例７と同様な２つの好ましい実施の形態により、ダウンリンクガードインタバールを示すことができる。そのうち、第１種の場合、システム情報チャンネルは応用例６に記載するフィールドに加え、ガードインタバールの指示フィールドを有してもよい。このフィールドは多ビットでダウンリンクガードインタバールの継続時間を示す。または、ガードインタバールが固定継続時間を有する場合、このフィールドは１ビットだけでダウンリンクガードインタバールの存在性を示してもよい。第２種の場合、システム情報チャンネルは実施例と同様なフィールドを有する。上記の２つの実施の形態において、CAPが前記の方式２を用いて現在の物理フレーム構造を示す情報を送信すれば、第２の物理フレームを例に、システム情報チャンネルでの制御チャンネル継続時間指示フィールドに該当の数値を記入し、制御チャンネルで９ビットを用いてアップリンク伝送チャンネルの継続時間を示す。
【０２８６】
上記の２つの実施の形態において、もしアップリンクチャンネル測定をしないと、CAPはアップリンク探査チャンネルを配置することではなく、図２２に示す１つの物理フレームでアップリンクトラフィック伝送を完成してもよい。
【０２８７】
上記の２つの実施の形態において、CAPは第１の物理フレームでダウンリンク探査チャンネル、アップリンク探査チャンネルとアップリンク伝送チャンネルを同時配置することもできる。この時、CAPはSTAの第１の物理フレームにおけるアップリンク探査チャンネルで送信されたアップリンク探査信号により、アップリンクチャンネル状態の測定を行い、アップリンクCSIを得る。STAが第１の物理フレームのアップリンク伝送チャンネルでフィードバックされたダウンリンクCQIを受信し、アップリンクダウンリンク互換性に基づいてアップリンクのCQIを取得し、または、CAPがSTAの第１の物理フレームのアップリンク探査チャンネルで送信されたアップリンク探査信号によりアップリンクチャンネル品質測定を行い、アップリンクのCQIを取得し、STAが第１の物理フレームのアップリンク伝送チャンネルでフィードバックされたダウンリンクCSIを受信し、アップリンクダウンリンク互換性に基づいてアップリンクCSIを得る。
【０２８８】
上記の２つ実施の形態において、１つの物理フレームでチャンネル探査を完成することを例に説明した。実用の場合に、複数の物理フレームによりチャンネル探査を完成してもよいが、ここで重複しない。
【０２８９】
上記の応用例６〜９は、それぞれ最も簡単な応用シーンに対し、可能な物理フレーム構造が複数挙げられていた。その目的として、本発明実施例に係る物理フレームにおいて、伝送チャンネルと相応な探査チャンネルの関連性を説明することである。実際の応用シーンではそれよりも複雑になる場合がある。例えばシステムに複数のSTAが存在し、CAPと各STAにはそれぞれ異なる伝送の要求があり、STAがチャンネル探査に対応可能かどうかに基づいて、アップリンクダウンリンクの伝送前にチャンネル探査が必要であることもあるし、アップリンクダウンリンクの伝送前にチャンネル探査が不要であることもある。次の応用例はそれぞれその他の応用シーンの場合に配置可能な物理フレーム構造を挙げる。
【０２９０】
「応用例１０」
【０２９１】
図２３は本発明応用例１０に係る物理フレームの構造を示す模式図である。
【０２９２】
図２３に示すように、物理フレームにダウンリンクサブフレームとアップリンクサブフレームを含む。ダウンリンクサブフレームにプリアンブルシーケンス、システム情報チャンネル、制御チャンネルとダウンリンク伝送チャンネルを含む。アップリンクサブフレームにアップリンク伝送チャンネルを含む。
【０２９３】
各STAは時間分割、周波数分割、コード分割、空間分割または上記の多重方式の組合を通じてアップリンク伝送リソースを共有することができる。
【０２９４】
好ましくは、CAPはシステム情報チャンネルで現在の物理フレーム構造を示す情報を送信する。次の例が挙げられる。
【０２９５】
６ビットで制御チャンネルの継続時間を示す。この６ビットは最大で６３個のOFDMシンボルを示す。例えば、この６ビットは０１００００である場合、十進数に変換すれば１６であり、１６個のOFDMシンボルに対応する。
【０２９６】
システム情報チャンネルにおいて、９ビットでダウンリンク伝送チャンネル継続時間を示し、最大で５１１個のOFDMシンボルを示す。例えば、この９ビットは１００００００００である場合、十進数に変換すれば２５６であり、２５６個のOFDMシンボルに対応する。
【０２９７】
システム情報チャンネルにおいて、９ビットでアップリンク伝送チャンネル継続時間を示し、最大で５１１個のOFDMシンボルを示す。
【０２９８】
システム情報チャンネルにおいて、１ビットでガードインタバールを示し、計１個のOFDMシンボルを示す。または、システム情報チャンネルでは、ガードインタバールを示しなく、システムで配置されておく。また、好ましくは、CAPもシステム情報チャンネルと制御チャンネルでは現在の物理フレーム構造を示す情報を送信する。次の例が挙げられる。
【０２９９】
システム情報チャンネルにおいて、６ビットで制御チャンネル継続時間を送信する。制御チャンネルにおいて、９ビットでダウンリンク伝送チャンネル継続時間を送信し、９ビットでアップリンク伝送チャンネル継続時間を送信する。
【０３００】
図２３の物理フレーム構造に基づいて、アップリンクダウンリンクの伝送中、シグナリングとトラフィックを分離させることができる。
【０３０１】
「応用例１１」
【０３０２】
図２４は本発明応用例１１に係る物理フレームの構造を示す模式図である。
【０３０３】
図２４に示すように、図２３を基に、ダウンリンクサブフレームにダウンリンク探査チャンネルが配置されている。ダウンリンク探査チャンネルの存在性情報はCAPが送信した現在の物理フレーム構造を示す情報に含まれ、１ビットで実現可能であり、システム情報チャンネルで送信されるものである。図２４に示すように、ダウンリンク探査チャンネルはダウンリンク伝送チャンネルの後ろに位置してよい。
【０３０４】
「応用例１２」
【０３０５】
図２５は本発明応用例１２に係る物理フレームの構造を示す模式図である。ダウンリンク探査チャンネルはダウンリンク伝送チャンネルの中に位置する。
【０３０６】
MU-MIMO伝送方式において、ダウンリンクMU-MIMOシステム性能がダウンリンクチャンネル状態情報の遅延に敏感するだけではなく、マルチユーザMIMOが大きな信号処理の複雑性がある。チャンネル状態情報の遅延、及び応用シーンによって各々のハードウェア処理の複雑性が異なることを鑑みて、ダウンリンク探査チャンネルはダウンリンク伝送チャンネルの中に位置すれば、より合理的である。ダウンリンク探査チャンネル位置が固定であれば、システム情報チャンネルで１ビットでダウンリンク探査チャンネルの存在性を示すことができる。システムに処理能力の異なるSTAが存在すれば、ダウンリンク探査チャンネル位置は可変である。この時、システム情報チャンネルでダウンリンク探査チャンネルの存在性だけではなく、図２５に示す２つのダウンリンク伝送チャンネルの継続時間を示す必要がある。２つのダウンリンク伝送チャンネルの継続時間は次のような３種の方法を採用してよい。
【０３０７】
それぞれダウンリンク伝送チャンネル１とダウンリンク伝送チャンネル２の継続時間を示す。
【０３０８】
それぞれダウンリンク伝送チャンネル総継続時間とダウンリンク伝送チャンネル１の継続時間を示す。
【０３０９】
それぞれダウンリンク伝送チャンネル総継続時間とダウンリンク伝送チャンネル２の継続時間を示す。
【０３１０】
上記のダウンリンク探査チャンネル位置を動的または半静的に配置することにより、処理能力の異なる機器に十分な処理時間を提供する。
【０３１１】
好ましくは、CAPがシステム情報チャンネルで現在の物理フレーム構造を示す情報を送信する。例えば、６ビットで制御チャンネル継続時間を示す。９ビットでダウンリンク伝送チャンネル総継続時間を示し、７ビットでダウンリンク伝送チャンネル２の継続時間を示す。９ビットでアップリンク伝送チャンネル継続時間を示す。２ビットでダウンリンク探査チャンネルを示す。それぞれダウンリンク探査チャンネル無し、ダウンリンク探査チャンネル位置１、ダウンリンク探査チャンネル位置２とダウンリンク探査チャンネル位置３、各々のSounding帯域幅の整合に用いられることを示す。ダウンリンク探査チャンネル位置１、２、３はいずれもシステム定義の確定位置である。
【０３１２】
また、好ましくは、CAPはシステム情報チャンネルと制御チャンネルで現在の物理フレーム構造を示す情報を送信してよい。例えば、システム情報チャンネルでは、CAPは６ビットで制御チャンネルの継続時間を示す。制御チャンネルでは、９ビットでダウンリンク伝送チャンネル総継続時間を示し、７ビットでダウンリンク伝送チャンネル２の継続時間を示し、９ビットでアップリンク伝送チャンネルの継続時間を示し、２ビットでダウンリンク探査チャンネルの位置を示す。
【０３１３】
「応用例１３」
図２６は本発明応用例１３に係る物理フレームの構造を示す模式図である。
【０３１４】
本応用例１３はアップリンクサブフレームにいくつかの補佐チャンネルを配置する。例えば、アップリンクサブフレームにアップリンク探査チャンネル、アップリンクスケジューリングリクエストチャンネルとアップリンクランダムアクセスチャンネルの内の１つのまたは複数を配置する。図２６は３種の補佐チャンネルの全てを含むフレーム構造の事例を示したが、実際はシステム応用シーンまたは方案によって、ある補佐チャンネルを考慮しなくてもよい。
【０３１５】
好ましくは、CAPはシステム情報チャンネルで現在の物理フレーム構造を示す情報を送信してよい。例えば、システム情報チャンネルにおいて、６ビットで制御チャンネル継続時間を示し、９ビットでダウンリンク伝送チャンネル継続時間を示し、９ビットでアップリンク伝送チャンネル継続時間を示す。２ビットでアップリンク探査チャンネルの存在性及び継続時間を示し、それぞれ０、１、２、４個のOFDMシンボルを示す。２ビットでアップリンクスケジューリングリクエストチャンネルの存在性及び継続時間を示し、それぞれ１、２、３、４個のOFDMシンボルを示す。１ビットでアップリンクランダムアクセスチャンネルの存在性を示し、それぞれ有と無という２つの場合を示す。有の場合、１個のOFDMシンボルと固定する。
【０３１６】
また、好ましくは、CAPはシステム情報チャンネルと制御チャンネルで現在の物理フレーム構造を示す情報を送信してよい。
【０３１７】
例えば、システム情報チャンネルにおいて、６ビットで制御チャンネルの継続時間を示し、１ビットでアップリンクランダムアクセスチャンネルの存在性を示す。制御チャンネルにおいて、９ビットでダウンリンク伝送チャンネルの継続時間を示し、９ビットでアップリンク伝送チャンネルの継続時間を示し、２ビットでアップリンク探査チャンネルの存在性及び時間を示し、２でアップリンクスケジューリングリクエストチャンネルの存在性及び継続時間を示す。
【０３１８】
「応用例１４」
図２７は本発明応用例１４に係る物理フレームの構造を示す模式図である。
【０３１９】
ダウンリンクサブフレームにダウンリンク探査チャンネルを配置するとともに、アップリンクサブフレームにもアップリンク探査チャンネル、アップリンクスケジューリングリクエストチャンネルとアップリンクランダムアクセスチャンネルを配置している。しかし、実際は、システム応用シーンまたは方案によって、ある補佐チャンネルを考慮しなくてもよい。
【０３２０】
好ましくは、アップリンクガードインタバールは送信早期リザーブを通じて、即ち、アップリンクの送信時間をアドバンスし、CAPとSTAにアップリンクからダウンリンクへの転換のガードインタバールを配置する。詳しくは図２８に示すように、CAPはSTAのネットワーク接続段階で制御チャンネルで送信されるリソースによってタイミングアドバンスの通知を示す。STAは以降のアップリンク送信操作において、いずれもこのタイミングアドバンスに基づいて早期送信を行う。早期にアップリンクガードインタバールをリザーブする場合、ダウンリンクからアップリンクへの転換のダウンリンクガードインタバールを示し、CAPとSTAまたはSTAと前記CAPの最大ダウンリンクからアップリンクへの送受信とアップリンクからダウンリンクへの送受信の保護時間の和よりも大きくする。
【０３２１】
「応用例１５」
図２９は本発明応用例１５に係る物理フレームの構造を示す模式図である。そのうち、横座標は時間を示し、縦座標は周波数またはコードワードを示す。
【０３２２】
現在の物理フレームに、CAPは、プリアンブルシーケンスを送信することと、システム情報チャンネルで現在の物理フレーム構造を示す情報を送信することと、制御チャンネルで伝送リソースの配分とスケジューリングリク、及び伝送リソースを占めたチャンネルの伝送フォーマットを示す情報を送信することと、ダウンリンク伝送チャンネル１でダウンリンクトラフィックデータ、ダウンリンクシグナリングとアップリンクトラフィックフィードバックの内の１つまたは複数を送信することと、ダウンリンク探査チャンネルでダウンリンク探査信号を送信することと、ダウンリンク伝送チャンネル２でダウンリンクトラフィックデータ、ダウンリンクシグナリングとアップリンクトラフィックフィードバックの内の１つまたは複数を送信することと、を実行する。
【０３２３】
STAは現在の物理フレームの構造を決定することにより、現在の物理フレームは次のような送信動作を実行する。
【０３２４】
アップリンク探査チャンネルでアップリンク探査信号を送信する。
【０３２５】
アップリンクスケジューリングリクエストチャンネルでアップリンクスケジューリングリクエストを発する。
【０３２６】
アップリンク伝送チャンネルでアップリンクトラフィック、及び/またはアップリンクシグナリング、及び/またはアップリンクフィードバックを送信する。
【０３２７】
アップリンクランダムアクセスチャンネルでランダムアクセスを発する。
【０３２８】
好ましくはアップリンクガードインタバールとダウンリンクガードインタバールはいずれも応用例２と似た方式に従い示しても良い。
【０３２９】
以上の具体応用例において、物理フレームにアップリンク伝送チャンネル、アップリンクスケジューリングリクエストチャンネルとアップリンクランダムアクセスチャンネルがある時、アップリンク伝送チャンネル、アップリンクスケジューリングリクエストチャンネルとアップリンクランダムアクセスチャンネルは時間分割多重、周波数分割多重、コード分割多重アクセスのいずれかまたは組合方式でリソースを多重化する。応用例１５に係る物理フレーム構造を例に、図３０はこのような多重化した１例を示す。こうの多重方式は予め配置が可能で且つCAPとSTAとも分かっている。この時、物理フレームにこの多重方式を示すことが不要となり、または制御チャンネルで示してよい。例えばアップリンクスケジューリングリクエストチャンネルがアップリンク伝送チャンネルで占めたサブキャリア数を４ビットで示し、最大で１６個サブキャリアが可能であり、アップリンク伝送チャンネル上部のエッジに位置する。アップリンクランダムアクセスチャンネルがップリンク伝送チャンネルで占めたサブキャリアの数を４ビットで示し、最大で１６個サブキャリアが可能であり、アップリンク伝送チャンネル下部のエッジに位置する。
【０３３０】
さらに、物理フレームに制御チャンネルとシステム情報チャンネルがある時、制御チャンネルとシステム情報チャンネルは時間分割多重、周波数分割多重、コード分割多重アクセスのいずれかまたは組合方式にてリソースを多重化することができる。応用例１５に係る物理フレーム構造を例に、図３１はこのような多重化した１例であり、システム情報チャンネルと制御チャンネルで周波数分割と時間分割との混合多重化を採用する。この多重方式は予め配置が可能で且つCAPとSTAとも分かっている。そこで物理フレームにこの多重方式を示すことが不要となる。制御チャンネルとシステム情報チャンネルはただ周波数分割のみでリソースを多重化してもよい。
【０３３１】
また、同一のチャンネルでは、各STAへ配分するリソースの間も時間分割、周波数分割、コード分割及び空間分割の１種または複数種組合の多重方式で伝送リソースを共有することができる。
【０３３２】
「応用例１６」
【０３３３】
現在の物理フレーム構造を示す情報は、第１チャンネルの存在性を示す情報を含む。第１チャンネルの存在性を示す情報が物理フレームの少なくとも１つのチャンネルに携帯される。
【０３３４】
好ましくは、第１チャンネルはダウンリンク探査チャンネルである。
【０３３５】
これを基に、現在の物理フレーム構造を示す情報は、第２チャンネルの時間を示す情報をさらに含む。第２チャンネルの継続時間を示す情報が物理フレームの少なくとも１つのチャンネルに携帯される。第２チャンネルはダウンリンク伝送チャンネルまたはアップリンク伝送チャンネルであってよい。
【０３３６】
この好ましい実施の形態において、アップリンク伝送の要求がある場合、先にダウンリンクチャンネル探査をしてから、アップリンクダウンリンク互換性に基づいて、アップリンクチャンネル測定結果を得る。ダウンリンク伝送の要求がある場合、先にダウンリンクチャンネル探査をして、直接にダウンリンクチャンネル測定結果を得る。
【０３３７】
別の好ましい実施の形態において、第１チャンネルはアップリンクランダムアクセスチャンネルである。
【０３３８】
「応用例１７」
現在の物理フレーム構造を示す情報は、第１チャンネルの存在性及び継続時間の情報を含む。第１チャンネルの存在性及び継続時間の情報が物理フレームの少なくとも１つのチャンネルに携帯される。
【０３３９】
好ましい実施の形態において、第１チャンネルはアップリンクスケジューリングリクエストチャンネルである。
【０３４０】
別の好ましい実施の形態において、第１チャンネルはアップリンク探査チャンネルである。
【０３４１】
これを基に、現在の物理フレーム構造を示す情報は、第２チャンネルの継続時間を示す情報をさらに含む。第２チャンネルの継続時間を示す情報が物理フレームの少なくとも１つのチャンネルに携帯される。第２チャンネルはアップリンク伝送チャンネルまたはダウンリンク伝送チャンネルである。
【０３４２】
この好ましい実施の形態において、ダウンリンク伝送の要求がある場合、先にアップリンクチャンネル探査をしてから、アップリンクダウンリンク互換性に基づいて、ダウンリンクチャンネル測定結果を得る。アップリンク伝送の要求がある場合、先にアップリンクチャンネル探査を行って、直接アップリンクチャンネル測定結果を得る。
【０３４３】
「応用例１８」
現在の物理フレーム構造を示す情報は、第１チャンネルの継続時間を示す情報を含み、該継続時間は０以上である。第１チャンネルの時間を示す情報が物理フレームの少なくとも１つのチャンネルに携帯される。
【０３４４】
第１種の好ましい実施の形態において、第１チャンネルは伝送リソースの配分と指令、及び伝送リソースを占めたチャンネルの伝送フォーマットを示す制御チャンネルである。
【０３４５】
第２種の好ましい実施の形態において、第１チャンネルはダウンリンク伝送チャンネルである。
【０３４６】
これを基に、現在の物理フレーム構造を示す情報は、第２チャンネルの存在性及び継続時間を示す情報を更に含む。第２チャンネルの存在性及び継続時間を示す情報が物理フレームの少なくとも１つのチャンネルに携帯される。第２チャンネルはアップリンク探査信号の伝送に用いられるアップリンク探査チャンネルである。
【０３４７】
この好ましい実施の形態において、ダウンリンク伝送の要求がある場合、先にアップリンクチャンネル測定を行い、アップリンクダウンリンク互換性に基づいてダウンリンクチャンネル測定結果を得る。
【０３４８】
第３種の好ましい実施の形態において、第１チャンネルはダウンリンク伝送チャンネルである。これを基に、現在の物理フレーム構造を示す情報は、第２チャンネルの存在性を示す情報をさらに含む。第２チャンネルの存在性を示す情報が物理フレームの少なくとも１つのチャンネルに携帯される。第２チャンネルはダウンリンク探査信号の伝送に用いられるダウンリンク探査チャンネルである。
【０３４９】
この好ましい実施の形態において、ダウンリンク伝送の要求がある場合、先にダウンリンクチャンネル測定を行い、ダウンリンクチャンネル測定結果を得る。
【０３５０】
第４種の好ましい実施の形態において、第１チャンネルはアップリンク伝送チャンネルである。
【０３５１】
これを基に、現在の物理フレーム構造を示す情報は、第２チャンネルの存在性及び継続時間を示す情報をさらに含む。第２チャンネルの存在性及び継続時間を示す情報が物理フレームの少なくとも１つのチャンネルに携帯される。第２チャンネルはアップリンク探査信号の伝送に用いられるアップリンク探査チャンネルである。
【０３５２】
この好ましい実施の形態において、アップリンク伝送の要求がある場合、先にアップリンクチャンネル測定を行い、アップリンクチャンネル測定結果を得る。
【０３５３】
第５種の好ましい実施の形態において、第１チャンネルはアップリンク伝送チャンネルである。これを基に、現在の物理フレーム構造を示す情報は、第２チャンネルの存在性を示す情報をさらに含む。第２チャンネルの存在性を示す情報が物理フレームの少なくとも１つのチャンネルに携帯される。第２チャンネルはダウンリンク探査信号の伝送に用いられるダウンリンク探査チャンネルである。
【０３５４】
この好ましい実施の形態において、アップリンク伝送の要求がある場合、先にダウンリンクチャンネル測定を行い、アップリンクダウンリンク互換性に基づいてアップリンクチャンネル測定結果を得る。
【０３５５】
「実施例４」
本発明の実施例では、フレーム構造における各チャンネルリソースの配分状況を具体的に示す方法を提供する。詳しくは下記の通り。
【０３５６】
１、システム情報チャンネルと制御チャンネル
システム情報チャンネルフィールド定義
システム情報チャンネルは時間空間コーディングではなくMCS０伝送を講じる。システム情報フィールドの定義を表１に示す。
【０３５７】
【表１】
2014515208.tif 000003
2014515208.tif 000004
そのうち、システム情報チャンネルは１６桁のCRCベリファイを用い、CRC生成多項式は
2014515208.tif 000005
。レジスター初期状態は０xFFであり、演算終了後、レジスター状態を逆にしてCRCベリファイシーケンスとして出力する。高階層レジスター出力は上位（
2014515208.tif 000006
）に、低階層レジスター出力は下位（
2014515208.tif 000007
）に対応する。
【０３５８】
２、制御チャンネルフィールドの定義
制御チャンネルでは、時間空間コーディングではなく、MCS１伝送を採用する。制御チャンネルは、複数のユニキャストとキャストスケジューリングシグナリングで構成される。アップリンクダウンリンクユニキャストスケジューリングシグナリングフィールドを表２に示す。
【０３５９】
【表２】
2014515208.tif 000008
2014515208.tif 000009
そのうち、
2014515208.tif 000010
はユニキャストスケジューリングシグナリングフィールドのCRCベリファイコードとCAP配分のこのセルに唯一の１２ビットIDとのXORである。
2014515208.tif 000011
【０３６０】
制御チャンネルで１６桁のCRCベリファイを使い、CRC生成多項式は
2014515208.tif 000012
。定義は表１と同じである。
【０３６１】
３、アップリンクダウンリンク伝送チャンネル
【０３６２】
アップリンクダウンリンク伝送チャンネルリソースの配分タイプは、アップリンクダウンリンク伝送チャンネルで、本部分が時間分割リソース多重スケジューリングに対応可能なものである。
【０３６３】
時間分割多重リソースの配分は、アップリンクまたはダウンリンク伝送チャンネルで各々のSTAに配分する時間周波数リソースをリソースグループと称する。
【０３６４】
時間分割多重の場合、STAリソースグループ内のOFDMシンボルインデックスは時間増長の方向に沿って０から
2014515208.tif 000013
まで。そのうち、
2014515208.tif 000014
はビット
2014515208.tif 000015
が対応する十進数を示す。
【０３６５】
アップリンクダウンリンク伝送チャンネルリソースは、時間分割多重リソースの配分を示す。
【０３６６】
STAスケジューリングシグナリング（表２）において、
2014515208.tif 000016
はSTAリソースグループスタートOFDMシンボルインデックスを示し、ドメイン値０〜５１０である。
2014515208.tif 000017
はSTAリソースグループが占めた連続OFDMシンボル数を示す。
【０３６７】
STAに配分するリソースグループには復調パイロットが占めたリソースを含む。
【０３６８】
伝送チャンネル復調パイロット
本部分は動的に復調パイロットグラフを調整することができる。制御チャンネルスケジューリングシグナリング
2014515208.tif 000018
（表２）によって異なるタイムドメインパイロットインタバールの配置が可能である。制御チャンネルスケジューリングシグナリング
2014515208.tif 000019
（表２）によって異なる周波数領域パイロットグラフの配置が可能である。
【０３６９】
表２の
2014515208.tif 000020
は０１または１０の場合、復調パイロットはプリコーディング処理（専用復調パイロット）を受ける必要がある。表２の
2014515208.tif 000021
は００または１１の場合、復調パイロットにプリコーディング処理（公衆復調パイロット）が不要である。
【０３７０】
復調パイロットグラフを表３に示す。
【０３７１】
【表３】
2014515208.tif 000022
そのうち、
（１）パイロットインタバール
2014515208.tif 000023
は同一の時間空間ストリームパイロットシンボルサブキャリア周期を指す。例えば、
2014515208.tif 000024
の場合、２個の隣接する有用なサブキャリアごとに１つの復調パイロットがあることを示す。
【０３７２】
（２）パイロットシンボル数
2014515208.tif 000025
は復調パイロットがタイムドメインで占めた連続OFDMシンボル数を示す。
【０３７３】
表４は、復調パイロットグラフにおける各パイロットシンボルが対応するサブキャリア位置を定義した。
【０３７４】
【表４】
2014515208.tif 000026
そのうち、
2014515208.tif 000027
は第
2014515208.tif 000028
個の時間空間ストリーム復調パイロットサブキャリアインデックス集合である。
2014515208.tif 000029
は復調パイロットが占めたOFDMシンボルを示す。表内の
2014515208.tif 000030
は周波数領域の復調パイロットインタバール、即ち
2014515208.tif 000031
を示す。
【０３７５】
復調パイロットインタバールの設計を次に挙げられる。
【０３７６】
制御チャンネルスケジューリングシグナリング
2014515208.tif 000032
（表２）によって異なるタイムドメインパイロットインタバールの配置が可能であり、異なる無線伝送環境に適応する。タイムドメインパイロットインタバールの配置
2014515208.tif 000033
は、
2014515208.tif 000034
個のOFDMシンボルごとに１グループ復調パイロットを挿入する。
2014515208.tif 000035
は短
2014515208.tif 000036
、
2014515208.tif 000037
は長
2014515208.tif 000038
である。長、短
2014515208.tif 000039
がMAC層BCFフレームで示す。
【０３７７】
復調プリアンブルシーケンス
【０３７８】
パイロットシーケンスの生成多項式は
2014515208.tif 000040
である。生成シーケンスはBPSK変調を介してパイロットシンボルシーケンス
2014515208.tif 000041
を得る。レジスター初期状態は、
2014515208.tif 000042
である。
【０３７９】
MSBは左、LSBは右である。
2014515208.tif 000043
はCAPのMACアドレス最下位７ビットである。
【０３８０】
復調パイロットは次のようなルールに従い、時間周波数リソースにマッピングする。
2014515208.tif 000044
数式の中：
2014515208.tif 000045
。
【０３８１】
2014515208.tif 000046
【０３８２】
ダウンリンク伝送チャンネルマルチアンテナ方案
マルチアンテナ伝送モードでは、第
2014515208.tif 000047
個のアンテナポートのタイムドメインベースバンド信号は、
2014515208.tif 000048
である。
【０３８３】
数式の中では、
2014515208.tif 000049
はタイムドメイン窓関数、
2014515208.tif 000050
は第
2014515208.tif 000051
個の空間ストリーム上の第
2014515208.tif 000052
個サブキャリアのロードシンボル、
2014515208.tif 000053
はプリコーディング行列
2014515208.tif 000054
の第
2014515208.tif 000055
行、
2014515208.tif 000056
列のエレメントである。
【０３８４】
本部分で対応可能なダウンリンクマルチアンテナ伝送モードは次のとおりである。
【０３８５】
モード１：開ループSU-MIMO
モード２：閉ループSU-MIMO
モード３：閉ループMU-MIMO
【０３８６】
そのうち、
モード１：開ループSU-MIMO
開ループSU-MIMOの場合、STAはパラレルで２つのコードワード受信が可能である。開ループモードではプリコーディング行列
2014515208.tif 000057
は列正交行列、且つ
2014515208.tif 000058
である。
【０３８７】
モード２：閉ループSU-MIMO
閉ループSU-MIMOの場合、STAはパラレルで２つのコードワードの受信が可能で、且つサブキャリアグループ単位にプリコーディングも可能である。プリコーディング行列グループの定義は、有用なサブキャリアのプリコーディンググループのグループ数が
2014515208.tif 000059
、第
2014515208.tif 000060
個のグループ内のサブキャリア序号集合が
2014515208.tif 000061
、このグループが同様なプリコーディング行列を使うことである。
【０３８８】
SU-MIMOモードでは同一のプリコーディンググループ内のサブキャリア数
2014515208.tif 000062
は次のような数式によって確定される。
【０３８９】
2014515208.tif 000063
【０３９０】
そのうち、
2014515208.tif 000064
定義は別紙B参照。プリコーディンググループを用いる場合、
2014515208.tif 000065
の数値は１と２という二種がある。
【０３９１】
2014515208.tif 000066
の場合、４個のサブキャリアグループは、以下の通りである。
【０３９２】
[ -１１５,-１１３ ][ -１１２,-１０９ ][ -１０８,-１０５ ][ -１０４,-１１ ][ -１００,-９７ ][ -９６,-９３ ][ -９２,-８９ ][ -８８,-８５ ][-８４,-８１ ][ -８０,-７７ ][ -７６,-７３ ][ -７２,-６９ ][ -６８,-６５ ][ -６４,-６１ ][ -６０,-５７ ][ -５６,-５３ ][ -５２,-４９ ][ -４８,-４５ ][ -４４,-４１ ][ -４０,-３７ ][ -３６,-３３ ][ -３２,-２９ ][ -２８,-２５ ][ -２４,-２１ ][ -２０,-１７ ][ -１６,-１３ ][ -１２,-９ ][ -８,-５ ][ -４,-１ ][ １,４ ][ ５,８ ][ ９,１２ ][ １３,１６ ][ １７,２０ ][ ２１,２４ ][ ２５,２８ ][ ２９,３２ ][ ３３,３６ ][ ３７,４０ ][ ４１,４４ ][ ４５,４８ ][ ４９,５２ ][ ５３,５６ ][ ５７,６０ ][ ６１,６４ ][ ６５,６８ ][ ６９,７２ ][ ７３,７６ ][ ７７,８０ ][ ８１,８４ ][ ８５,８８ ][ ８９,９２ ][ ９３,９６ ][ ９７,１００ ][ １１,１０４ ][ １０５,１０８ ][ １０９,１１２ ][ １１３,１１５ ]
【０３９３】
2014515208.tif 000067
の場合、８個のサブキャリアグループは、以下の通りである。
【０３９４】
[ -１１５,-１０５ ][ -１０４,-９７ ][ -９６,-８９ ][ -８８,-８１ ][ -８０,-７３ ][ -７２,-６５ ][ -６４,-５７ ][ -５６,-４９ ][-４８,-４１ ][ -４０,-３３ ][ -３２,-２５ ][ -２４,-１７ ][ -１６,-９ ][ -８,-１ ][ １,８ ][ ９,１６ ][ １７,２４ ][ ２５,３２ ][ ３３,４０ ][ ４１,４８ ][ ４９,５６ ][ ５７,６４ ][ ６５,７２ ][ ７３,８０ ][ ８１,８８ ][ ８９,９６ ][ ９７,１０４ ][ １０５,１１５ ]
【０３９５】
閉ループSU-MIMOでは、STAはMAC層に基づいて、フィードバックチャンネル情報を示すことができる。
【０３９６】
モード３：閉ループMU-MIMO
閉ループMU-MIMOの場合、各STAは１つのコードワードのみを受信でき、且つサブキャリアグループ単位にプリコーディングする。プリコーディング行列グループの定義は、有用なサブキャリアのプリコーディンググループのグループ数が
2014515208.tif 000068
、第
2014515208.tif 000069
個のグループ内のサブキャリア序号集合が
2014515208.tif 000070
、このグループが同様なプリコーディング行列を使うことである。MU-MIMOモードでは同一のプリコーディンググループ内のサブキャリア数
2014515208.tif 000071
は次のような数式によって確定される。
2014515208.tif 000072
【０３９７】
そのうち、
2014515208.tif 000073
の定義を表２に示す。CSI行列に基づいてフィードバックされたMU-MIMOプリコーディンググループを使う時、
2014515208.tif 000074
の数値は１である。
【０３９８】
閉ループMU-MIMOの場合、STAはMAC層に基づいて、フィードバックチャンネル情報を示すことができる。
【０３９９】
アップリンク伝送チャンネルマルチアンテナ方案
本部分で対応可能なアップリンクマルチアンテナ伝送モードは次のとおりである。
モード１：開ループSU-MIMO
モード２：閉ループSU-MIMO
【０４００】
４、シグナリング/フィードバック伝送チャンネル
ここで、前記シグナリング/フィードバック伝送チャンネルは伝送シグナリング及び/またはフィードバック情報に用いられるチャンネルである。
【０４０１】
STA時間リソースを分割多重する時、表２に示す
2014515208.tif 000075
はトラフィック伝送がSTAリソースグループのインデックスが
2014515208.tif 000076
のOFDMシンボルからグループデータ及びその復調パイロットの伝送が始まる。
2014515208.tif 000077
は
2014515208.tif 000078
が対応する十進数を示す。そのうち、
2014515208.tif 000079
は上位、
2014515208.tif 000080
は下位である。STAリソースグループでは、OFDMシンボル０〜OFDMシンボル
2014515208.tif 000081
はシグナリングまたはフィードバック伝送に用いられ、且つ伝送フォーマットが表２に記載する指示とは別の形式である。その対応する伝送フォーマットを表５に示す。
【０４０２】
【表５】
2014515208.tif 000082
シグナリング/フィードバック伝送は表２配分のトラフィック伝送リソースを多重化するほか、次のようなブロードキャストシグナリングで専用のシグナリング/フィードバック伝送リソースを配分することができる。
【０４０３】
ダウンリンクシグナリング/フィードバック伝送チャンネル
【０４０４】
図３２に示すように、ダウンリンクシグナリング/フィードバック伝送チャンネルはDL-TCHリソースを多重化する。全てのダウンリンクシグナリング/フィードバック伝送チャンネルは１つの復調パイロットを共有する。
【０４０５】
アップリンクシグナリング/フィードバック伝送チャンネル
【０４０６】
アップリンクシグナリング/フィードバック伝送チャンネルはUL-TCHリソースを多重化する。アップリンクシグナリング/フィードバック伝送チャンネルは２つの構造に対応可能であり、それぞれ図３３と図３４に示すようである。図３４のフォーマット２において、各々の基本リソースブロックは
2014515208.tif 000083
（相位フォローパイロットを含まない）である。そのうち、前４個のOFDMシンボルと後４個のOFDMシンボルは図に示すような方式で周波数ホッピングする。
【０４０７】
シグナリング/フィードバック伝送チャンネルリソース指示
フレームごとに、シグナリング/フィードバック伝送チャンネルがDL-TCHとUL-TCHで占めたリソースは、CCHブロードキャストスケジューリングシグナリングでキャスト方式を用いて全てのSTAに通知する。このブロードキャストスケジューリングシグナリングは制御チャンネルリソースを使って、制御チャンネルスケジューリングシグナリングと同様なグループサイズを有し、同様な伝送フォーマットを取る（表２を参照）。ブロードキャストスケジューリングシグナリングCRCベリファイはMAC層で定義されるBSTAIDを用いてスクランブリングを行う。具体的なフィールドの定義を表６に示す。
【０４０８】
【表６】
2014515208.tif 000084
そのうち、ダウンリンクシグナリングフィードバックチャンネルが占めたOFDMシンボル数は
2014515208.tif 000085
、インデックスが０のOFDMシンボルは公衆復調パイロット占用リソースである。CRCの定義は表１と同じである。
【０４０９】
シグナリング/フィードバック伝送チャンネルの配分
CAPは表７に示すシグナリングにより、STAにシグナリング/フィードバック伝送チャンネルを配分することができる。
【０４１０】
【表７】
2014515208.tif 000086
そのうち、
ダウンリンクシグナリングフィードバック伝送チャンネルでは、
2014515208.tif 000087
は対応するSTAダウンリンクシグナリングフィードバック伝送チャンネルの第１のOFDMシンボルを示し、
2014515208.tif 000088
はダウンリンクシグナリングフィードバック伝送チャンネル公衆復調パイロットを示して無効指示に属する。
【０４１１】
アップリンクシグナリングフィードバック伝送チャンネルフォーマット１では、
2014515208.tif 000089
は対応するSTAアップリンクシグナリングフィードバック伝送チャンネルの第１のOFDMシンボルを示し、
2014515208.tif 000090
の対応するOFDMシンボルはこのSTAアップリンクシグナリングフィードバック伝送チャンネルの復調パイロットである。フォーマット１に対して、
2014515208.tif 000091
は無効指示である。
【０４１２】
アップリンクシグナリングフィードバック伝送チャンネルフォーマット２では、
2014515208.tif 000092
は対応するSTAアップリンクシグナリングフィードバック伝送チャンネルインデックスを示し、
2014515208.tif 000093
はシグナリング/フィードバックチャンネル０を示す。
【０４１３】
ダウンリンクシグナリングフィードバック伝送チャンネルとアップリンクシグナリングフィードバック伝送チャンネルフォーマット１では、各々のOFDMシンボルは１つのシグナリング/フィードバックチャンネルである。アップリンクシグナリングフィードバック伝送チャンネルフォーマット２でが、各々のリソースブロックは１つのシグナリング/フィードバックチャンネルである。
【０４１４】
５、アップリンクダウンリンク探査チャンネル
ダウンリンク探査チャンネル
システム情報フィールドSICHに記載する
2014515208.tif 000094
の場合、このフレームにはダウンリンク探査チャンネルを配置する。ダウンリンク探査チャンネルがダウンリンク伝送チャンネルの具体位置及びダウンリンク探査チャンネルパイロットグラフはMAC層BCFフレーム（表２）で示される。
【０４１５】
ダウンリンク探査パイロットグラフ
ダウンリンク探査チャンネルで対応可能なロジックアンテナポート数は１〜８個であり、パイロットグラフは次に挙げられる。
【０４１６】
【表８】
2014515208.tif 000095
表９に、復調パイロットグラフにおける各パイロットシンボルの対応するサブキャリア位置を定義する。
【０４１７】
【表９】
2014515208.tif 000096
そのうち、
2014515208.tif 000097
は第
2014515208.tif 000098
個のアンテナポート探査パイロットの占めたサブキャリアインデックス集合である。
2014515208.tif 000099
は探査パイロットの占めたOFDMシンボルを示す。
【０４１８】
ダウンリンク探査シーケンスの生成
パイロットシーケンス生成多項式は
2014515208.tif 000100
である。生成シーケンスはBPSK変調でパイロットシンボルシーケンス
2014515208.tif 000101
を得る。レジスター初期状態は、
2014515208.tif 000102
【０４１９】
MSBは左、LSBは右である。
2014515208.tif 000103
はCAPのMACアドレス最下位７ビットである。
【０４２０】
探査パイロットは次のようなルールに従い、時間周波数リソースにマッピングする。
2014515208.tif 000104
ただし、
2014515208.tif 000105
である。
【０４２１】
2014515208.tif 000106
【０４２２】
アップリンク探査チャンネル
【０４２３】
アップリンク探査パイロットポート
【０４２４】
アップリンク探査パイロットポートを表１０に示す。
【０４２５】
【表１０】
2014515208.tif 000107
アップリンク探査チャンネル配分
【０４２６】
CAPは表１１に示すシグナリングを介してSTAにアップリンク探査チャンネルを配分する。
【０４２７】
【表１１】
2014515208.tif 000108
そのうち、アップリンク探査パイロットポートインデックスはSTAアンテナ０の探査パイロットポートを示す。STAはマルチアンテナ配置であれば、その他のアンテナアップリンク探査パイロットポートインデックスは次の数式である。
2014515208.tif 000109
そのうち、
2014515208.tif 000110
はビット
2014515208.tif 000111
の対応する十進数を示す。
【０４２８】
アップリンク探査プリアンブルシーケンス
プリアンブルシーケンス生成多項式は
2014515208.tif 000112
である。生成シーケンスはBPSK変調を通じてパイロットシンボルシーケンス
2014515208.tif 000113
を得る。レジスター初期状態は、
2014515208.tif 000114
である。
【０４２９】
MSBは左、LSBは右である。
2014515208.tif 000115
はCAPのMACアドレス最下位７ビットである。
【０４３０】
CAPはSTAに配分するアップリンク探査パイロットポート集合は、
2014515208.tif 000116
であり、そのうち、
2014515208.tif 000117
は表１０におけるサブキャリアインデックス、
2014515208.tif 000118
は表１０におけるOFDMシンボルインデックス、
2014515208.tif 000119
はSTAアンテナポートインデックス、
2014515208.tif 000120
はアップリンク探査パイロットポートインデックスである。アップリンク探査パイロットは次のようなルールに従い、時間周波数リソースにマッピングする。
2014515208.tif 000121
ただし、
2014515208.tif 000122
、
2014515208.tif 000123
【０４３１】
６、アップリンクスケジューリングリクエストチャンネル
アップリンクスケジューリングリクエスト信号は図３５に示す方法に従い発生する。
【０４３２】
図において、CAP_MACはCAPのMACアドレスの最下位７ビットを示す。
2014515208.tif 000124
はPNシーケンスインデックス（
2014515208.tif 000125
）、
2014515208.tif 000126
は循環シフトパラメータセット、
2014515208.tif 000127
は循環シフトパラメータインデックス（
2014515208.tif 000128
）である。
【０４３３】
PNシーケンスの発生
PNシーケンスは生成多項式が
2014515208.tif 000129
である最大長線性フィードバックシフトレジスタシーケンスを用いる。そのブロック図を図３６に示す。
【０４３４】
レジスターの初期値は
2014515208.tif 000130
、MSBは左、LSBは右である。そのうち、
2014515208.tif 000131
はCAPのMACアドレスの最下位７ビットである。
【０４３５】
変調マッピング
シーケンス
2014515208.tif 000132
はBPSKによる変調後、シーケンス
2014515208.tif 000133
を得る。
【０４３６】
サブキャリアマッピング
シーケンス
2014515208.tif 000134
は次の数式によってサブキャリアマッピングを行うことで、シーケンス
2014515208.tif 000135
を得る。
2014515208.tif 000136
【０４３７】
周波数領域循環シフト
サブキャリアがマッピングされた後のシーケンス
2014515208.tif 000137
は次の数式によって循環シフトを行うことで、シーケンス
2014515208.tif 000138
を得る。
2014515208.tif 000139
ただし、
2014515208.tif 000140
はIFFTのポイント数、
2014515208.tif 000141
、
2014515208.tif 000142
は循環シフトパラメータ、単位はサンプリングポイント数である。２０MHzシステムに対し、
2014515208.tif 000143
、
2014515208.tif 000144
{０ ３２ ６４ ９６ １２８ １６０ １９２ ２２４}である。
【０４３８】
独立リソースリクエストのフレームリソース配分
CAPは表１２に示すシグナリングを介して、STAに独立リソースリクエストフレームの占めたUL-TCHリソースを配分する。
【０４３９】
【表１２】
2014515208.tif 000145
2014515208.tif 000146
７、アップリンクランダムアクセスチャンネル
ランダムアクセス信号発生
ランダムアクセス信号の発生はアップリンクスケジューリングリクエスト信号と同様である。アップリンクランダムアクセス信号のシーケンスインデックス番号と循環シフトインデックス番号
2014515208.tif 000147
は各STAによってランダム選択される。
【０４４０】
ランダムアクセスチャンネルフォーマット
フォーマット１を図３７に示す。
2014515208.tif 000148
【０４４１】
フォーマット２を図３８に示す。
2014515208.tif 000149
【０４４２】
フォーマット３を図３９に示す。
2014515208.tif 000150
【０４４３】
ランダムアクセスリクエストフレームリソースの配分
CAPは表１３に示すシグナリングを介してSTAにランダムアクセスリクエストフレームの占めたUL-TCHリソースを配分する。
【０４４４】
【表１３】
2014515208.tif 000151
そのうち、送信タイミングアドバンスは
2014515208.tif 000152
、単位は、サンプリングポイント数である。タイミングアドバンスは１００nS単位であり、サンプリングクロックは２０MHzの場合、
2014515208.tif 000153
。
【０４４５】
ランダムアクセス応答フレームリソース配分
【０４４６】
CAPは表１４に示すシグナリングを介してSTAにランダムアクセス応答フレームの占めたDL-TCHリソースを示す。
【０４４７】
【表１４】
2014515208.tif 000154
2014515208.tif 000155
アップリンクパワー制御
開ループパワー制御
【０４４８】
TDDシステムアップリンクダウンリンクのチャンネル互換性を鑑みて、開ループパワー制御を行う。
2014515208.tif 000156
ただし、
2014515208.tif 000157
は、伝送経路損失の見積もり値である。STA受信信号パワーとCAP送信パワーによって見積もる。CAP送信パワーはMAC層BCFフレームで示す。
2014515208.tif 000158
は、異なるMCSが対応する搬送波対雑音比である。
2014515208.tif 000159
は、CAPがSTAに配分する伝送帯域幅である。
【０４４９】
閉ループ制御：
【表１５】
2014515208.tif 000160
「実施例５」
【０４５０】
本発明実施例は、シグナリング及び/またはフィードバック伝送リソースを示すリソース指示方法であって、 
ユーザトラフィックデータの伝送に用いられるユーザリソースグループ内の、シグナリング及び/またはフィードバック伝送用のリソースを示す指示情報を持つスケジューリングシグナリングを生成するステップ１と、
前記スケジューリングシグナリングを送信するステップ２とを含むリソース指示方法を提供する。
【０４５１】
前記スケジューリングシグナリングは、ユーザリソースグループのスタート位置と長さを示すための指示情報をさらに持つ。
【０４５２】
本発明実施例では、シグナリング及び/またはフィードバック伝送用のリソースはユーザ伝送リソースと多重化される。リソーススケジューリングに従い、適応にシグナリングフィードバックチャンネルと伝送チャンネルの多重を配置する。スケジューリングシグナリングフォーマットについて、表２を参照する。
2014515208.tif 000161
はトラフィック伝送がSTAリソースグループにおけるインデックス
2014515208.tif 000162
のOFDMシンボルからグループデータ及びその復調パイロットを開始することを示す。
2014515208.tif 000163
は
2014515208.tif 000164
が対応する十進数である。そのうち、
2014515208.tif 000165
は上位、
2014515208.tif 000166
は下位である。図３３に示すように、ユーザリソースグループでは、OFDMシンボル０〜OFDMシンボル
2014515208.tif 000167
はシグナリングまたはフィードバック伝送に用いられ、STAリソースグループにおけるインデックス
2014515208.tif 000168
のOFDMシンボルからグループデータ及びその復調パイロットを開始する。
【０４５３】
シグナリング及び/またはフィードバック情報の伝送時、両側で約定したシグナリング及び/またはフィードバック伝送フォーマットに基づいて伝送する。
【０４５４】
上記のリソース指示方法を実現するために、本発明実施例は、
ユーザトラフィックデータの伝送に用いられるユーザリソースグループ内の、シグナリング及び/またはフィードバック伝送用のリソースを示す指示情報を持つスケジューリングシグナリングを生成するパッケージモジュールと、
【０４５５】
前記スケジューリングシグナリングを送信するための送信モジュールとを備えるリソーススケジューリング装置をさらに提供する。
【０４５６】
前記スケジューリングシグナリングはユーザリソースグループのスタート位置と長さを示すための情報をさらに持つ。
【０４５７】
前記スケジューリングシグナリングは予め設定されたシグナリング及び/またはフィードバック伝送フォーマットによって伝送することを更に示す。
【０４５８】
また、本発明実施例は、前記スケジューリングシグナリングを受信して伝送するするためデータ送信方法であって、
ユーザトラフィックデータの伝送に用いられるユーザリソースグループ内の、シグナリング及び/またはフィードバック伝送用のリソースを示す指示情報を持つスケジューリングシグナリングを受信するステップ１と、
前記指示情報に従い、ユーザリソースグループにおける対応な位置でシグナリング及び/またはフィードバックメッセージを伝送するステップ２とを含むデータ送信方法を提供する。
【０４５９】
データの伝送時、予め設定されたシグナリング及び/またはフィードバック伝送フォーマットに基づいて伝送する。
【０４６０】
上記のデータ送信方法を実現するために、本発明実施例は、
ユーザトラフィックデータの伝送に用いられるユーザリソースグループ内の、シグナリング及び/またはフィードバック伝送用のリソースを示す指示情報を持つスケジューリングシグナリングを受信するための受信モジュールと、
前記指示情報に従い、ユーザリソースグループにおける対応な位置でシグナリング及び/またはフィードバックメッセージを伝送するための送信モジュールとを備るデータ送信装置を提供する
【０４６１】
前記送信モジュールは、予め設定されたシグナリング及び/またはフィードバック伝送フォーマットに基づいて伝送する。
【０４６２】
「実施例６」
本発明実施例は、シグナリング及び/またはフィードバック伝送リソースを示すためのリソーススケジューリング方法であって、
シグナリング及び/またはフィードバック伝送のリソースを示すための情報を持つ第１のスケジューリングシグナリングを生成するステップ１と、
前記第１のスケジューリングシグナリングを送信するステップ２とを含むリソース指示方法を提供する。
【０４６３】
前記シグナリング及び/またはフィードバック伝送のリソースを示す情報にはスタート位置と長さを含む。
【０４６４】
前記シグナリング及び/またはフィードバック伝送のリソースを示す情報にはリソース多重方式を示すフォーマットを含む。
【０４６５】
前記リソース多重方式は時間分割多重、周波数分割多重、時間周波数多重またはコード分割多重であってもよい。
【０４６６】
前記シグナリング及び/またはフィードバック伝送のリソースを示す情報にはスペクトル重合モードでこの第１シグナリングに適用するサブチャンネルまたはサブキャリアを示すことを含む。
【０４６７】
上記のステップ２以降、ステップ３と４をさらに含む。
【０４６８】
ステップ３では、シグナリング及び/またはフィードバック伝送のリソースを配分するための情報を持ち、各ユーザに配分するシグナリング及び/またはフィードバック伝送のリソースを示す第２シグナリングを生成する。
【０４６９】
ステップ４では、前記第２スケジューリングシグナリングを送信する。
【０４７０】
前記シグナリング及び/またはフィードバック伝送のリソースを配分する情報には１つまたは複数のユーザ識別STAID、及び対応するSTAの前記シグナリング及び/またはフィードバック伝送のリソースでのスタート位置と長さを含む。
【０４７１】
前記STAIDは１つSTAを唯一に識別してもよい。
【０４７２】
前記STAIDはブロードキャストID識別であってもよい。前記ブロードキャストID識別は、全てのSTAの共有するID識別を指し、各STAはいずれも前記ブロードキャストID識別を介して対応するシグナリングを受信する。
【０４７３】
前記STAの占めたシグナリング及び/またはフィードバックチャンネルの数を示すことにより、前記STAのサイズを示してもよい。各々のシグナリング及び/またはフィードバックチャンネルの単位サイズは１個のOFDMシンボル（モード１、即ち時間分割多重方式）または１個の単位リソースブロック（モード２、即ち時周波数分割多重方式）である。
【０４７４】
本発明実施例では、シグナリング及び/またはフィードバック伝送用のリソースはユーザ伝送リソースと独立している。具体的には、本発明実施例に係る第１のスケジューリングシグナリングを表６に示す。第２のスケジューリングシグナリングを表７に示す。図３３と図３４に示す２つの伝送モードに対応する。
【０４７５】
上記のリソーススケジューリング方法を実現するために、本発明実施例は、
【０４７６】
シグナリング及び/またはフィードバック伝送のリソースを示すための情報を持つ第１スケジューリングシグナリングを生成するための第１パッケージモジュールと、
【０４７７】
前記第１スケジューリングシグナリングを送信するための第１送信モジュールとを備えるリソース指示装置を提供する。
【０４７８】
前記シグナリング及び/またはフィードバック伝送のリソースを示す情報にはスタート位置と長さを含む。
【０４７９】
前記シグナリング及び/またはフィードバック伝送のリソースを示す情報にはリソース多重方式を示すためのフォーマットを含む。
【０４８０】
前記リソース多重方式は時間分割多重、周波数分割多重、時間周波数多重またはコード分割多重であってもよい。
【０４８１】
前記シグナリング及び/またはフィードバック伝送のリソースを示す情報にはスペクトル重合モードでこの第１シグナリングに適用するサブチャンネルまたはサブキャリアを示すことを含む。
【０４８２】
前記リソース指示装置は、さらに
シグナリング及び/またはフィードバック伝送のリソースを配分するための情報を持ち、各ユーザに配分するシグナリング及び/またはフィードバック伝送のリソースを示す第２スケジューリングシグナリングを生成するための第２パッケージモジュールと、
前記第２スケジューリングシグナリングを送信するための第２送信モジュールとを備える。
【０４８３】
前記シグナリング及び/またはフィードバック伝送のリソースを配分する情報には、１つまたは複数のユーザ識別STAID、及びが対応するSTAの前記シグナリング及び/またはフィードバック伝送のリソースでのスタート位置と長さを含む。
【０４８４】
前記STAIDは１つのSTAを唯一に識別してもよい。
【０４８５】
前記STAIDはブロードキャストID識別であってもよい。
【０４８６】
前記STAの占めたシグナリング及び/またはフィードバックチャンネルの数を示すことにより、前記STAのサイズを示す。各々のシグナリング及び/またはフィードバックチャンネルの単位サイズは１個のOFDMシンボル（モード１、図３３を参照）または１個の単位リソースブロック（モード２、図３４を参照）である。
【０４８７】
開示におけるステップの特定順序または段階は例示的な方法の実施例である。設計の好みベースで、過程の中のステップの特定順序または段階は、本開示の保護範囲から脱離することなく新たに振り当てることができると理解すべきである。特許請求の範囲における方法請求項は例示的な順序により各ステップの要素が挙げられるが、記載している特定順序または段階に限られることではない。
【０４８８】
前記の詳しい説明では、各特徴を共にシグナル実施の形態に組み合わせて、本開示を簡素化するが、このような開示方法を下記の意図の反映に説明するわけではなく、即ち、リクエストされる保護の主題の実施の形態は各請求項に明瞭に記載されている特徴よりも多い。その逆に、添付される特許請求の範囲で反映している通り、本発明は開示されるシグナル実施の形態の全ての特徴よりも少ない状態に属する。このため、添付される特許請求の範囲が特に明瞭に詳細な説明に合弁され、そのうち、各請求項が独自に本発明の独立の好ましい技術案とする。
【０４８９】
前記の記述は１つまたは複数の実施例の例を含む。当然ながら、前記の実施例を説明するために、部品または方法に対するすべての可能な組み合わせの説明は不可能であるが、当業者は各実施例を更に組み合わせ・配列できることを理解すべきである。このため、本文では説明する実施例は、添付される特許請求の範囲の保護範囲における全てのこのような変更、修正と変形を含む。また、明細書または特許請求の範囲に使用される「含める」という用語については、当該用語の表現する方式は「含む」という用語と類似し、請求項では接続用語で説明する「含む」の通りである。なお、特許請求の範囲及び明細書におけるいずれかの「または」という用語は「非排他的なまたは」を表すものである。
【０４９０】
本願は、出願日が２０１１年３月２５日、出願番号が２０１１１００７４５９８．５、発明の名称が「無線通信システムにおける復調パイロットの調整方法及びシステム」である中国特許出願の優先権を主張するものであり、当該先行出願の全部内容は本願に表される。
【０４９１】
本願は、出願日が２０１１年３月３１日、出願番号が２０１１１００８０６３７．２、発明の名称が「スケジューリング方法、無線通信システム及び機器」である中国特許出願の優先権を主張するものであり、当該先行出願の全部内容は本願に表される。
【０４９２】
本願は、出願日が２０１１年５月１９日、出願番号が２０１１１０１３０１９４．３、発明の名称が「通信システム」である中国特許出願の優先権を主張するものであり、当該先行出願の全部内容は本願に表される。
【０４９３】
本願は、出願日が２０１２年１月１６日、出願番号が２０１２１００１２０３０．５、発明の名称が「リソーススケジューリング方法及び機器」である中国特許出願の優先権を主張するものであり、当該先行出願の全部内容は本願に表される。
【０４９４】
本願は、出願日が２０１２年２月１６日、出願番号が２０１２１００３５７８３．８、発明の名称が「リソーススケジューリング方法及び装置」である中国特許出願の優先権を主張するものであり、当該先行出願の全部内容は本願に表される。
【０４９５】
本願は、出願日が２０１２年２月２１日、出願番号が２０１２１００４１６５５．４、発明の名称が「無線通信システム及び無線通信に用いられる装置」である中国特許出願の優先権を主張するものであり、当該先行出願の全部内容は本願に表される。
【０４９６】
本願は、出願日が２０１２年２月２１日、出願番号が２０１２１００４１６５０．１、発明の名称が「無線通信に用いられる装置」である中国特許出願の優先権を主張するものであり、当該先行出願の全部内容は本願に表される。
【０４９７】
本願は、出願日が２０１２年２月２１日、出願番号が２０１２１００４１６５１．６、発明の名称が「無線通信に用いられる装置」である中国特許出願の優先権を主張するものであり、当該先行出願の全部内容は本願に表される。
【図１】
2014515208.tif 000169
【図２】
2014515208.tif 000170
【図３】
2014515208.tif 000171
【図４】
2014515208.tif 000172
【図５】
2014515208.tif 000173
【図６】
2014515208.tif 000174
【図７】
2014515208.tif 000175
【図８】
2014515208.tif 000176
【図９】
2014515208.tif 000177
【図１０】
2014515208.tif 000178
【図１１】
2014515208.tif 000179
【図１２】
2014515208.tif 000180
【図１３】
2014515208.tif 000181
【図１４】
2014515208.tif 000182
【図１５】
2014515208.tif 000183
【図１６】
2014515208.tif 000184
【図１７】
2014515208.tif 000185
【図１８】
2014515208.tif 000186
【図１９】
2014515208.tif 000187
【図２０Ａ】
2014515208.tif 000188
【図２０Ｂ】
2014515208.tif 000189
【図２１】
2014515208.tif 000190
【図２２】
2014515208.tif 000191
【図２３】
2014515208.tif 000192
【図２４】
2014515208.tif 000193
【図２５】
2014515208.tif 000194
【図２６】
2014515208.tif 000195
【図２７】
2014515208.tif 000196
【図２８】
2014515208.tif 000197
【図２９】
2014515208.tif 000198
【図３０】
2014515208.tif 000199
【図３１】
2014515208.tif 000200
【図３５】
2014515208.tif 000201
【図３６】
2014515208.tif 000202
【図３７】
2014515208.tif 000203
【図３８】
2014515208.tif 000204
【図３９】
2014515208.tif 000205
【図３２】
2014515208.tif 000206
【図３３】
2014515208.tif 000207
【図３４】
2014515208.tif 000208
【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
伝送要求に応じて、リソースをスケジューリングすること、
スケジューリングされたリソースとマッチングする非固定フレーム長のフレーム構造を配置することを含むことを特徴とするリソーススケジューリング方法。
【請求項２】
前記フレーム構造に、少なくとも同期を取るためのプリアンブルシーケンスと、フレーム構造を示す情報を担持するためのシステム情報チャンネルとを配置し、
アップリンク伝送要求がある場合、前記アップリンク伝送要求に応じてアップリンク伝送リソースをスケジューリングして、前記フレーム構造にアップリンク伝送チャンネルを配置し、
ダウンリンク伝送要求がある場合、前記ダウンリンク伝送要求に応じてダウンリンク伝送リソースをスケジューリングして、前記フレーム構造にダウンリンク伝送チャンネルを配置することを特徴とする請求項１に記載の方法。
【請求項３】
前記アップリンク伝送要求は、アップリンクトラフィックを伝送する要求、アップリンクシグナリングを伝送する要求及びダウンリンクトラフィックに対してフィードバックする要求の中の１つまたは複数を含み、
前記アップリンク伝送要求に応じて配置されるアップリンク伝送チャンネルは、アップリンクトラフィック伝送チャンネル、アップリンクシグナリングチャンネルとダウンリンクトラフィックフィードバックチャンネルの中の１つまたは複数を含み、
前記ダウンリンク伝送要求は、ダウンリンクトラフィックを伝送する要求、ダウンリンクシグナリングを伝送する要求、アップリンクトラフィックに対してフィードバックする要求の中の１つまたは複数を含み、
前記ダウンリンク伝送要求に応じて配置されるダウンリンク伝送チャンネルは、ダウンリンクトラフィック伝送チャンネル、ダウンリンクシグナリングチャンネルとアップリンクトラフィックフィードバックチャンネルの中の１つまたは複数を含むことを特徴とする請求項２に記載の方法。
【請求項４】
前記アップリンク伝送要求がある場合、前記フレーム構造にステーションSTAがセンターアクセスポイントCAPへアップリンク探査信号を送信するためのアップリンク探査チャンネルを配置し、
前記アップリンク伝送要求に応じてアップリンク伝送リソースをスケジューリングする時、前記アップリンク探査チャンネルでアップリンク探査信号を測定して、アップリンクのチャンネル品質情報CQIを算出し、算出されたアップリンクCQIに合わせてアップリンク伝送リソースをスケジューリングし、または、
アップリンク伝送要求がある場合、前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、
アップリンク伝送要求に応じてアップリンク伝送リソースをスケジューリングする時、アップリンクダウンリンク互換性に基づいて、STAよりフィードバックされたダウンリンクCQIによってアップリンクCQIを確定して、前記アップリンクCQIに合わせてアップリンク伝送リソースをスケジューリングし、または、
アップリンク伝送要求がある場合、前記フレーム構造にSTAがCAPへアップリンク探査信号を送信するための探査チャンネルを配置し、
前記アップリンク伝送要求に応じてアップリンク伝送リソースをスケジューリングする時、前記アップリンク探査チャンネルでアップリンク探査信号を測定して、アップリンクCQIとアップリンクのチャンネル状態情報CSIを算出して、前記アップリンクCQIとアップリンクCSIに合わせてアップリンク伝送リソースをスケジューリングし、または、
アップリンク伝送要求がある場合、前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルと、STAがCAPへダウンリンク探査信号に基づいて算出されたダウンリンクCSIをフィードバックするためのCSIフィードバックチャンネルとを配置し、
アップリンク伝送要求に応じてアップリンク伝送リソースをスケジューリングする時、アップリンクダウンリンク互換性に基づいて、STAよりフィードバックされたダウンリンクCQIによってアップリンクCQIを確定して、且つSTAよりフィードバックされたダウンリンクCSIによってアップリンクCSIを確定して、アップリンクCQIとアップリンクCSIに合わせてアップリンク伝送リソースをスケジューリングし、または、
アップリンク伝送要求がある場合、前記フレーム構造に、ステーションSTAがセンターアクセスポイントCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、
アップリンク伝送要求に応じてアップリンク伝送リソースをスケジューリングする時、前記アップリンク探査チャンネルでアップリンク探査信号を測定して、アップリンクのチャンネル品質情報CSIを算出し、且つアップリンクダウンリンク互換性に基づいてSTAよりフィードバックされたダウンリンクCQIによってアップリンクCQIを確定し、アップリンクCQIとアップリンクCSIに合わせてアップリンク伝送リソースをスケジューリングし、または、
アップリンク伝送要求がある場合、前記フレーム構造に、ステーションSTAがセンターアクセスポイントCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCSIをフィードバックするためのCSIフィードバックチャンネルとを配置し、
アップリンク伝送要求に応じてアップリンク伝送リソースをスケジューリングする時、前記アップリンク探査チャンネルでアップリンク探査信号を測定して、アップリンクのチャンネル品質情報CQIを算出し、且つアップリンクダウンリンク互換性に基づいてSTAよりフィードバックされたダウンリンクCSIによってアップリンクCSIを確定し、アップリンクCQIとアップリンクCSIに合わせてアップリンク伝送リソースをスケジューリングすることを特徴とする請求項２に記載の方法。
【請求項５】
ダウンリンク伝送要求がある場合、前記フレーム構造にSTAがCAPへアップリンク探査信号を送信するためのアップリンク探査チャンネルを配置し、
ダウンリンク伝送要求に応じてダウンリンクリソースをスケジューリングする時、前記アップリンク探査チャンネルでアップリンク探査信号を測定して、アップリンクCQIを算出し、アップリンクダウンリンク互換性に基づいて、ダウンリンクCQIを確定し、算出されたダウンリンクCQIに合わせてダウンリンク伝送リソースをスケジューリングし、または、
ダウンリンク伝送要求がある場合、前記フレーム構造にSTAがCAPへアップリンク探査信号を送信するためのアップリンク探査チャンネルを配置し、
ダウンリンク伝送要求に応じてダウンリンクリソースをスケジューリングする時、前記アップリンク探査チャンネルでアップリンク探査信号を測定して、アップリンクCQIとアップリンクCSIを算出し、アップリンクダウンリンク互換性に基づいて、ダウンリンクCQIとダウンリンクCSIを得て、前記ダウンリンクCQIとダウンリンクCSIに合わせてダウンリンク伝送リソースをスケジューリングし、または、
ダウンリンク伝送要求がある場合、前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、
ダウンリンク伝送要求に応じてダウンリンクリソースをスケジューリングする時、STAよりフィードバックされたダウンリンクCQIによってリソースをスケジューリングし、または、
ダウンリンク伝送要求がある場合、前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルと、STAがCAPへダウンリンク探査信号に基づいて算出されたダウンリンクCSIをフィードバックするためのCSIフィードバックチャンネルとを配置し、
ダウンリンク伝送要求に応じてダウンリンクリソースをスケジューリングする時、STAよりフィードバックされたダウンリンクCQIとダウンリンクCSIによってダウンリンク伝送リソースをスケジューリングし、または、
ダウンリンク伝送要求がある場合、前記フレーム構造に、CAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、
ダウンリンク伝送要求に応じてダウンリンクリソースをスケジューリングする時、前記アップリンク探査チャンネルでアップリンク探査信号を測定して、アップリンクCSIを算出し、アップリンクダウンリンク互換性に基づいて、ダウンリンクCQIを確定し、前記ダウンリンクCSIとSTAよりフィードバックされたダウンリンクCQIによってダウンリンク伝送リソースをスケジューリングすることを特徴とする請求項２に記載の方法。
【請求項６】
前記フレーム構造に伝送リソースの配分とスケジューリング、および伝送リソースを占めるチャンネルの伝送フォーマットを示すための制御チャンネルを配置することをさらに含むことを特徴とする請求項３に記載の方法。
【請求項７】
伝送要求に応じてリソースをスケジューリングするためのスケジューリングモジュールと、
スケジューリングされたリソースとマッチングする非固定フレーム長のフレーム構造を配置する配置モジュールとを含むことを特徴とするリソーススケジューリング機器。
【請求項８】
前記配置モジュールは、前記フレーム構造に少なくとも同期を取るためのプリアンブルシーケンスと、フレーム構造を示す情報を担持するためのシステム情報チャンネルとを配置し、
前記配置モジュールは、前記アップリンク伝送要求に応じてアップリンク伝送リソースをスケジューリングして、前記フレーム構造にアップリンク伝送チャンネルを配置し、且つ、前記ダウンリンク伝送要求に応じてダウンリンク伝送リソースをスケジューリングして、前記フレーム構造にダウンリンク伝送チャンネルを配置することを特徴とする請求項７に記載の機器。
【請求項９】
前記アップリンク伝送要求は、アップリンクトラフィックを伝送する要求、アップリンクシグナリングを伝送する要求及びダウンリンクトラフィックに対してフィードバックする要求の中の１つまたは複数を含み、
前記配置モジュールによって配置されるアップリンク伝送チャンネルは、アップリンクトラフィック伝送チャンネル、アップリンクシグナリングチャンネルとダウンリンクトラフィックフィードバックチャンネルの中の１つまたは複数を含み、
前記ダウンリンク伝送要求は、ダウンリンクトラフィックを伝送する要求、ダウンリンクシグナリングを伝送する要求、アップリンクトラフィックに対してフィードバックする要求の中の１つまたは複数を含み、
前記配置モジュールによって配置されるダウンリンク伝送チャンネルは、ダウンリンクトラフィック伝送チャンネル、ダウンリンクシグナリングチャンネルとアップリンクトラフィックフィードバックチャンネルの中の１つまたは複数を含むことを特徴とする請求項８に記載の機器。
【請求項１０】
前記配置モジュールは、前記アップリンク伝送要求がある場合、さらに前記フレーム構造にステーションSTAがセンターアクセスポイントCAPへアップリンク探査信号を送信するためのアップリンク探査チャンネルを配置し、
前記スケジューリングモジュールは、前記アップリンク伝送要求に応じてアップリンク伝送リソースをスケジューリングする時、前記アップリンク探査チャンネルでアップリンク探査信号を測定して、アップリンクのチャンネル品質情報CQIを算出し、算出されたアップリンクCQIに合わせてアップリンク伝送リソースをスケジューリングし、または、
前記配置モジュールは、アップリンク伝送要求がある場合、さらに前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、
前記スケジューリングモジュールは、アップリンク伝送要求に応じてアップリンク伝送リソースをスケジューリングする時、アップリンクダウンリンク互換性に基づいて、STAよりフィードバックされたダウンリンクCQIによってアップリンクCQIを確定して、前記アップリンクCQIに合わせてアップリンク伝送リソースをスケジューリングし、または、
前記配置モジュールは、アップリンク伝送要求がある場合、さらに前記フレーム構造にSTAがCAPへアップリンク探査信号を送信するための探査チャンネルを配置し、
前記スケジューリングモジュールは、前記アップリンク伝送要求に応じてアップリンク伝送リソースをスケジューリングする時、前記アップリンク探査チャンネルでアップリンク探査信号を測定して、アップリンクCQIとアップリンクのチャンネル状態情報CSIを算出して、前記アップリンクCQIとアップリンクCSIに合わせてアップリンク伝送リソースをスケジューリングし、または、 前記配置モジュールは、アップリンク伝送要求がある場合、さらに前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルと、STAがCAPへダウンリンク探査信号に基づいて算出されたダウンリンクCSIをフィードバックするためのCSIフィードバックチャンネルとを配置し、
前記スケジューリングモジュールは、アップリンク伝送要求に応じてアップリンク伝送リソースをスケジューリングする時、アップリンクダウンリンク互換性に基づいて、STAよりフィードバックされたダウンリンクCQIによってアップリンクCQIを確定して、且つSTAよりフィードバックされたダウンリンクCSIによってアップリンクCSIを確定して、アップリンクCQIとアップリンクCSIに合わせてアップリンク伝送リソースをスケジューリングし、または、
前記配置モジュールは、アップリンク伝送要求がある場合、さらに前記フレーム構造に、ステーションSTAがセンターアクセスポイントCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、
前記スケジューリングモジュールは、アップリンク伝送要求に応じてアップリンク伝送リソースをスケジューリングする時、前記アップリンク探査チャンネルでアップリンク探査信号を測定して、アップリンクのチャンネル品質情報CSIを算出し、且つアップリンクダウンリンク互換性に基づいてSTAよりフィードバックされたダウンリンクCQIによってアップリンクCQIを確定し、アップリンクCQIとアップリンクCSIに合わせてアップリンク伝送リソースをスケジューリングし、または、
前記配置モジュールは、アップリンク伝送要求がある場合、さらに前記フレーム構造に、ステーションSTAがセンターアクセスポイントCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCSIをフィードバックするためのCSIフィードバックチャンネルとを配置し、
前記スケジューリングモジュールは、アップリンク伝送要求に応じてアップリンク伝送リソースをスケジューリングする時、前記アップリンク探査チャンネルでアップリンク探査信号を測定して、アップリンクのチャンネル品質情報CQIを算出し、且つアップリンクダウンリンク互換性に基づいてSTAよりフィードバックされたダウンリンクCSIによってアップリンクCSIを確定し、アップリンクCQIとアップリンクCSIに合わせてアップリンク伝送リソースをスケジューリングすることを特徴とする請求項８に記載の機器。
【請求項１１】
前記配置モジュールは、ダウンリンク伝送要求がある場合、さらに前記フレーム構造にSTAがCAPへアップリンク探査信号を送信するためのアップリンク探査チャンネルを配置し、 
前記スケジューリングモジュールは、ダウンリンク伝送要求に応じてダウンリンクリソースをスケジューリングする時、前記アップリンク探査チャンネルでアップリンク探査信号を測定して、アップリンクCQIを算出し、アップリンクダウンリンク互換性に基づいて、ダウンリンクCQIを確定し、前記ダウンリンクCQIに合わせてダウンリンク伝送リソースをスケジューリングし、または、
前記配置モジュールは、ダウンリンク伝送要求がある場合、さらに前記フレーム構造にSTAがCAPへアップリンク探査信号を送信するためのアップリンク探査チャンネルを配置し、
前記スケジューリングモジュールは、ダウンリンク伝送要求に応じてダウンリンクリソースをスケジューリングする時、前記アップリンク探査チャンネルでアップリンク探査信号を測定して、アップリンクCQIとアップリンクCSIを算出し、アップリンクダウンリンク互換性に基づいて、ダウンリンクCQIとダウンリンクCSIを確定し、前記ダウンリンクCQIとダウンリンクCSIに合わせてダウンリンク伝送リソースをスケジューリングし、または、
前記配置モジュールは、ダウンリンク伝送要求がある場合、さらに前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、
前記スケジューリングモジュールは、ダウンリンク伝送要求に応じてダウンリンクリソースをスケジューリングする時、STAよりフィードバックされたダウンリンクCQIに合わせてリソースをスケジューリングし、または、
前記配置モジュールは、ダウンリンク伝送要求がある場合、さらに前記フレーム構造に、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルと、STAがCAPへダウンリンク探査信号に基づいて算出されたダウンリンクCSIをフィードバックするためのCSIフィードバックチャンネルとを配置し、
前記スケジューリングモジュールは、ダウンリンク伝送要求に応じてダウンリンクリソースをスケジューリングする時、STAよりフィードバックされたダウンリンクCQIとダウンリンクCSIに合わせてダウンリンク伝送リソースをスケジューリングし、または、
前記配置モジュールは、ダウンリンク伝送要求がある場合、さらに前記フレーム構造に、STAがCAPへアップリンク探査信号を送信するためのアップリンク探査チャンネルと、CAPがSTAへダウンリンク探査信号を送信するためのダウンリンク探査チャンネルと、STAがCAPへダウンリンク探査信号に基づいて算出されたダウンリンクCQIをフィードバックするためのCQIフィードバックチャンネルとを配置し、
前記スケジューリングモジュールは、ダウンリンク伝送要求に応じてダウンリンクリソースをスケジューリングする時、前記アップリンク探査チャンネルでアップリンク探査信号を測定して、アップリンクCSIを算出し、アップリンクダウンリンク互換性に基づいて、ダウンリンクCQIを確定し、前記ダウンリンクCSIとSTAよりフィードバックされたダウンリンクCQIによってダウンリンク伝送リソースをスケジューリングすることを特徴とする請求項８に記載の機器。
【請求項１２】
前記配置モジュールは、さらに前記フレーム構造にSTAがアップリンクスケジューリングリクエストを送信するためのアップリンクスケジューリングリクエストチャンネルを配置し、CAPへアップリンク伝送要求を報告するための伝送リソースをリクエストすることを特徴とする請求項８に記載の機器。
【請求項１３】
前記配置モジュールは、さらに前記フレーム構造にSTAがCAPへアクセスし、CAPと相関関係を樹立するためのランダムアクセスチャンネルを配置することを特徴とする請求項８に記載の機器。
【請求項１４】
前記配置モジュールは、さらに前記フレーム構造に伝送リソースの配分とスケジューリング、および伝送リソースを占めるチャンネルの伝送フォーマットを示すための制御チャンネルを配置することを特徴とする請求項８に記載の機器。
【請求項１５】
ユーザートラフィックデータを伝送するユーザーリソースグループで、シグナリング及び/またはフィードバック伝送のリソースを示す指示情報を担持するスケジューリングシグナリングを生成すること、
前記スケジューリングシグナリングを送信することを含むことを特徴とするリソース指示方法。
【請求項１６】
前記スケジューリングシグナリングには、さらにユーザーのリソースグループのスタート位置と長さを示すための情報を担持し、及び/または
前記スケジューリングシグナリングは、さらに既定のシグナリング及び/またはフィードバック伝送フォーマットに基づいく伝送を示すことを特徴とする請求項１５に記載の方法。
【請求項１７】
シグナリング及び/またはフィードバック伝送のリソースを示すための情報を担持する第１スケジューリングシグナリングを生成すること、
前記第１スケジューリングシグナリングを送信することを含むことを特徴とするリソース指示方法。
【請求項１８】
前記シグナリング及び/またはフィードバック伝送のリソースを示す情報には、スタート位置と長さを含み、及び／または、
前記シグナリング及び/またはフィードバック伝送のリソースを示す情報には、リソース多重方式を示すためのフォーマットを含み、及び／または、
前記シグナリング及び/またはフィードバック伝送のリソースを示す情報には、スケジューリング周波数スペクトル集成モードで当該第１スケジューリングシグナリングに適用するサブシグナリングまたはサブキャリアを示すことを含むことを特徴とする請求項１７に記載の方法。
【請求項１９】
シグナリング及び/またはフィードバック伝送のリソースを配分する情報を担持し、各ユーザーに配分したシグナリング及び/またはフィードバック伝送のリソースを示す第２スケジューリングシグナリングを生成すること、
前記第２スケジューリングシグナリングを送信することをさらに含むことを特徴とする請求項１７に記載の方法。
【請求項２０】
前記シグナリング及び/またはフィードバック伝送のリソースを配分する情報には、１つまたは複数のユーザー識別STAID、及び対応するSTAが前記シグナリング及び/またはフィードバック伝送のリソースにおけるスタート位置と長さを含むことを特徴とする請求項１９に記載の方法。
【国際調査報告】
2014515208.tif 000209
2014515208.tif 000210
2014515208.tif 000211
2014515208.tif 000212
2014515208.tif 000213
2014515208.tif 000214